(57)【要約】【課題】箱体の角部の内側を補強するための部材を別途組み立てる必要がなく、箱体の角部の内側を補強するための部材を容易に箱体の角部に設けることができる箱体を提供する。【解決手段】箱体としての内箱部Ａは、スリーブ状部５と、底面図５０と、正面部１０から連設された内側正面部１１０と、側面部２０から連設された内側側面部２０と、側面部３０から連設された内側側面部と、補強部１６０と、補強片部１６８と、補強片部１７０と、補強部１８０とを有し、補強部１６０の糊代部１６６は、側面部２０に接着され、補強部１８０の糊代部１８６は、背面部４０に接着されている。スリーブ状部５を筒状に広げることにより、補強部１６０、１８０と補強片部１６８、１７０がスリーブ状部５の角部から内側に迫り出した状態となる。また、内箱部Ａの外側に外箱部を設けることにより、包装箱が構成される。【選択図】図８
2018052542.tif 000002
【特許請求の範囲】
【請求項１】
箱体であって、
底面部（５０）と、
底面部の各辺から立設した側面構成部で、糊代部（４９）と第１側面部（２０）と第２側面部（１０）と第３側面部（３０）と第４側面部（４０）とを有し、糊代部、第１側面部、第２側面部、第３側面部、第４側面部の順に連設され、糊代部が第４側面部の第３側面部側とは反対側の端部領域に接着され、箱体を箱状に組み立てた状態では、互いに隣接する側面部が略直角をなす側面構成部（５）と、
第１側面部と第２側面部と第３側面部と第４側面部の４つの側面部のうちの少なくとも２つの側面部の上辺から水平方向の折れ線を介して該側面部に対して折り返して連設された内側側面部を有する内側側面部群（１０５）と、
内側側面部群における１つの内側側面部である第１内側側面部が第１側面部と第２側面部の一方から連設され、該第１内側側面部の側辺で第１側面部と第２側面部間の角部側の側辺である第１側辺から連設された第１補強部（１６０）で、該第１側辺から第１折れ線（Ｃ１１）を介して連設された第１補強板部（１６２）と、第１補強板部の該第１側辺側とは反対側の辺部から第１折れ線と平行な第２折れ線（Ｃ１２）を介して連設された第２補強板部（１６４）と、第２補強板部の第１補強板部側とは反対側の辺部から第１折れ線と平行な第３折れ線（Ｃ１３）を介して連設された第１補強部糊代部（１６６）とを有し、第１折れ線と第２折れ線間の長さに第２折れ線と第３折れ線間の長さを加算した長さ（Ｌ１６０）が、第１折れ線と第１側面部と第２側面部間の折れ線（Ｃ３）との間の水平方向の長さである第１長さ（Ｌ１０、Ｌ２１）よりも長く形成され、第１折れ線と第２折れ線間の長さ（Ｌ１６２）が第１長さよりも短く形成され、第１補強部糊代部は、第１側面部と第２側面部の他方の内側の面に接着された第１補強部（１６０）と、
内側側面部群における他の１つの内側側面部である第２内側側面部が第３側面部と第４側面部の一方から連設され、該第２内側側面部の側辺で第３側面部と第４側面部間の角部側の側辺である第２側辺から連設された第２補強部（１８０）で、該第２側辺から第４折れ線（Ｃ１６）を介して連設された第３補強板部（１８２）と、第３補強板部の該第２側辺側とは反対側の辺部から第４折れ線と平行な第５折れ線（Ｃ１７）を介して連設された第４補強板部（１８４）と、第４補強板部の第３補強板部側とは反対側の辺部から第４折れ線と平行な第６折れ線（Ｃ１８）を介して連設された第２補強部糊代部（１８６）とを有し、第４折れ線と第５折れ線間の長さに第５折れ線と第６折れ線間の長さを加算した長さ（Ｌ１８０）が、第４折れ線と第３側面部と第４側面部間の折れ線（Ｃ１）との間の水平方向の長さである第２長さ（Ｌ３０、Ｌ４１）よりも長く形成され、第４折れ線と第５折れ線間の長さ（Ｌ１８２）が第２長さよりも短く形成され、第２補強部糊代部は、第３側面部と第４側面部の他方の内側の面に接着された第２補強部（１８０）と、
第１内側側面部が第１側面部から連設された場合の第１内側側面部と、第２内側側面部が第４側面部から連設された場合の第２内側側面部（１４０）と、第１内側側面部が第２側面部から連設された場合に第１側面部から連設された他の１つの内側側面部である第３内側側面部（１２０）とのいずれかである第１特定側面部の側辺で第１側面部と第４側面部間の角部側の側辺である第３側辺から連設された第１補強片部で、第３側辺側の端部である基端から先端までの長さが、第３側辺と第１側面部と第４側面部間の境界線との間の水平方向の長さ（Ｌ２０、Ｌ４０）よりも長く形成された第１補強片部（１７０）と、
第１内側側面部が第２側面部から連設された場合の第１内側側面部（１１０）と、第２内側側面部が第３側面部から連設された場合の第２内側側面部（１３０）と、第１内側側面部が第１側面部から連設された場合に第２側面部から連設された他の１つの内側側面部である第４内側側面部と、第２内側側面部が第４側面部から連設された場合に第３側面部から連設された他の１つの内側側面部である第５内側側面部のいずれかである第２特定側面部の側辺で第２側面部と第３側面部間の角部側の側辺である第４側辺から連設された第２補強片部で、第４側辺側の端部である基端から先端までの長さが、第４側辺と第２側面部と第３側面部間の折れ線との間の水平方向の長さ（Ｌ１３、Ｌ３１）よりも長く形成された第２補強片部（１６８）と、
を有し、箱体が、シート状のブランクにより形成され、
第１側面部と第２側面部間の折れ線を介して第１側面部を第２側面部に対して折り返すとともに、第３側面部と第４側面部間の折れ線を介して第４側面部を第３側面部に対して折り返した状態として側面構成部を折り畳んだ場合には、第１補強部は、第２折れ線を介して折り返した状態となり、第２補強部は、第５折れ線を介して折り返した状態となり、
側面構成部を筒状に広げていくことにより、第１補強部における第１補強板部と第２補強板部間の角度が大きくなっていき、第１補強板部と第２補強板部が第１側面部と第２側面部間の角部に対して内側に迫り出した状態となり、第２補強部における第３補強板部と第４補強板部間の角度が大きくなっていき、第３補強板部と第４補強板部が第３側面部と第４側面部間の角部に対して内側に迫り出した状態となり、第１補強片部が、第１特定側面部に対して傾斜していくことにより、第１側面部と第４側面部間の角部に対して内側に迫り出した状態となり、第２補強片部が、第２特定側面部に対して傾斜していくことにより、第２側面部と第３側面部間の角部に対して内側に迫り出した状態となることを特徴とする箱体。
【請求項２】
側面構成部を筒状に広げていくことにより、第１補強片部の先端が、第４側面部と第１側面部のうち第１特定側面部が連設されていない側面部の内側の面、又は、第１特定側面部が第１側面部から連設されている場合に第４側面部に接着された糊代部の内側の面に接することによって、第１補強片部が第１特定側面部に対して傾斜していき、第２補強片部の先端が、第２側面部と第３側面部のうち第２特定側面部が連設されていない側面部の内側の面に接することによって、第２補強片部が第２特定側面部に対して傾斜していくことを特徴とする請求項１に記載の箱体。
【請求項３】
第２側面部の上辺の高さ位置と第３側面部の上辺の高さ位置と第４側面部の上辺の高さ位置とは、第１側面部の上辺の高さ位置と略同一の高さに形成され、第１補強板部の上端の高さ位置と、第２補強板部の上端の高さ位置と、第３補強板部の上端の高さ位置と、第４補強板部の上端の高さ位置と、第１補強片部の上端の高さ位置と、第２補強片部の上端の高さ位置とは、第１側面部の上辺の高さ位置と略同一の高さに形成されていることを特徴とする請求項１又は２に記載の箱体。
【請求項４】
包装箱であって、
内箱部（Ａ）と外箱部（Ｂ）とを有し、
内箱部が、
底面部（５０）と、
底面部の各辺から立設した内側スリーブ状部で、内箱部糊代部（４９）と第１内箱部側面部（２０）と第２内箱部側面部（１０）と第３内箱部側面部（３０）と第４内箱部側面部（４０）とを有し、内箱部糊代部、第１内箱部側面部、第２内箱部側面部、第３内箱部側面部、第４内箱部側面部の順に連設され、内箱部糊代部が第４内箱部側面部の第３内箱部側面部側とは反対側の端部領域に接着され、内箱部を箱状に組み立てた状態では、互いに隣接する側面部が略直角をなす内側スリーブ状部（５）と、
第１内箱部側面部と第２内箱部側面部と第３内箱部側面部と第４内箱部側面部の４つの内箱部側面部のうちの少なくとも２つの内箱部側面部の上辺から水平方向の折れ線を介して該側面部に対して折り返して連設された内側側面部を有する内側側面部群（１０５）と、
内側側面部群における１つの内側側面部である第１内側側面部が第１内箱部側面部と第２内箱部側面部の一方から連設され、該第１内側側面部の側辺で第１内箱部側面部と第２内箱部側面部間の角部側の側辺である第１側辺から連設された第１補強部（１６０）で、該第１側辺から第１折れ線（Ｃ１１）を介して連設された第１補強板部（１６２）と、第１補強板部の該第１側辺側とは反対側の辺部から第１折れ線と平行な第２折れ線（Ｃ１２）を介して連設された第２補強板部（１６４）と、第２補強板部の第１補強板部側とは反対側の辺部から第１折れ線と平行な第３折れ線（Ｃ１３）を介して連設された第１補強部糊代部（１６６）とを有し、第１折れ線と第２折れ線間の長さに第２折れ線と第３折れ線間の長さを加算した長さ（Ｌ１６０）が、第１折れ線と第３内箱部側面部と第４内箱部側面部間の折れ線（Ｃ３）との間の水平方向の長さである第１長さ（Ｌ１０、Ｌ２１）よりも長く形成され、第１折れ線と第２折れ線間の長さ（Ｌ１６２）が第１長さよりも短く形成され、第１補強部糊代部は、第１内箱部側面部と第２内箱部側面部の他方の内側の面に接着された第１補強部（１６０）と、
内側側面部群における他の１つの内側側面部である第２内側側面部が第３内箱部側面部と第４内箱部側面部の一方から連設され、該第２内側側面部の側辺で第３内箱部側面部と第４内箱部側面部間の角部側の側辺である第２側辺から連設された第２補強部（１８０）で、該第２側辺から第４折れ線（Ｃ１６）を介して連設された第３補強板部（１８２）と、第３補強板部の該第２側辺側とは反対側の辺部から第４折れ線と平行な第５折れ線（Ｃ１７）を介して連設された第４補強板部（１８４）と、第４補強板部の第３補強板部側とは反対側の辺部から第４折れ線と平行な第６折れ線（Ｃ１８）を介して連設された第２補強部糊代部（１８６）とを有し、第４折れ線と第５折れ線間の長さに第５折れ線と第６折れ線間の長さを加算した長さ（Ｌ１８０）が、第４折れ線と第３内箱部側面部と第４内箱部側面部間の折れ線（Ｃ１）との間の水平方向の長さである第２長さ（Ｌ３０、Ｌ４１）よりも長く形成され、第４折れ線と第５折れ線間の長さ（Ｌ１８２）が第２長さよりも短く形成され、第２補強部糊代部は、第３内箱部側面部と第４内箱部側面部の他方の内側の面に接着された第２補強部（１８０）と、
第１内側側面部が第１内箱部側面部から連設された場合の第１内側側面部と、第２内側側面部が第４内箱部側面部から連設された場合の第２内側側面部（１４０）と、第１内側側面部が第２内箱部側面部から連設された場合に第１内箱部側面部から連設された他の１つの内側側面部である第３内側側面部（１２０）とのいずれかである第１特定側面部の側辺で第１内箱部側面部と第４内箱部側面部間の角部側の側辺である第３側辺から連設された第１補強片部で、第３側辺側の端部である基端から先端までの長さが、第３側辺と第１内箱部側面部と第４内箱部側面部間の境界線との間の水平方向の長さ（Ｌ２０、Ｌ４０）よりも長く形成された第１補強片部（１７０）と、
第１内側側面部が第２内箱部側面部から連設された場合の第１内側側面部（１１０）と、第２内側側面部が第３内箱部側面部から連設された場合の第２内側側面部（１３０）と、第１内側側面部が第１内箱部側面部から連設された場合に第２内箱部側面部から連設された他の１つの内側側面部である第４内側側面部と、第２内側側面部が第４内箱部側面部から連設された場合に第３内箱部側面部から連設された他の１つの内側側面部である第５内側側面部ののいずれかである第２特定側面部の側辺で第２内箱部側面部と第３内箱部側面部間の角部側の側辺である第４側辺から連設された第２補強片部で、第４側辺側の端部である基端から先端までの長さが、第４側辺と第２内箱部側面部と第３内箱部側面部間の折れ線との間の水平方向の長さ（Ｌ１３、Ｌ３１）よりも長く形成された第２補強片部（１６８）と、
を有し、
第１内箱部側面部と第２内箱部側面部と第３内箱部側面部と第４内箱部側面部とにおける２つの内箱部側面部において、内箱部側面部の一部が分離部（２４、３４）として内箱部側面部における分離部以外の部分である内箱部側面部本体部と切目線を介して分離可能に形成され、
外箱部が、
内箱部の外側の面に沿って設けられた外側スリーブ状部で、第１内箱部側面部の外側の面に沿って形成された第１外箱部側面部（２２０）と、第２内箱部側面部の外側の面に沿って形成された第２外箱部側面部（２１０）と、第３内箱部側面部の外側の面に沿って形成された第３外箱部側面部（２３０）と、第４内箱部側面部の外側の面に沿って形成された第４外箱部側面部（２４０）とを有し、外箱部を箱状に組み立てた状態では、互いに隣接する側面部が略直角をなす外側スリーブ状部（２０５）と、
外側スリーブ状部の上端から折れ線を介して連設された蓋部と、を有し、
内箱部と外箱部とが、それぞれシート状のブランクにより形成され、
第１外箱部側面部と第２外箱部側面部間の折れ線を介して第１外箱部側面部を第２外箱部側面部に対して折り返すとともに、第３外箱部側面部と第４外箱部側面部間の折れ線を介して第４外箱部側面部を第３外箱部側面部に対して折り返した状態として外側スリーブ状部を折り畳んだ状態とするとともに、第１内箱部側面部と第２内箱部側面部間の折れ線を介して第１内箱部側面部を第２内箱部側面部に対して折り返すとともに、第３内箱部側面部と第４内箱部側面部間の折れ線を介して第４内箱部側面部を第３内箱部側面部に対して折り返した状態として内側スリーブ状部を折り畳んだ状態として、包装箱を折り畳んだ場合には、第１補強部は、第２折れ線を介して折り返した状態となり、第２補強部は、第５折れ線を介して折り返した状態となり、
外側スリーブ状部と内側スリーブ状部を筒状に広げていくことにより、第１補強部における第１補強板部と第２補強板部間の角度が大きくなっていき、第１補強板部と第２補強板部が第１内箱部側面部と第２内箱部側面部間の角部に対して内側に迫り出した状態となり、第２補強部における第３補強板部と第４補強板部間の角度が大きくなっていき、第３補強板部と第４補強板部が第３内箱部側面部と第４内箱部側面部間の角部に対して内側に迫り出した状態となり、第１補強片部が、第１特定側面部に対して傾斜していくことにより、第１内箱部側面部と第４内箱部側面部間の角部に対して内側に迫り出した状態となり、第２補強片部が、第２特定側面部に対して傾斜していくことにより、第２内箱部側面部と第３内箱部側面部間の角部に対して内側に迫り出した状態となり、
内箱部における分離部が設けられた内箱部側面部である分離部形成内箱部側面部に対応した外箱部側面部に分離部が接着され、外箱部側面部における分離部が接着された領域を含む片部である回動片部（２２４、２３４）が分離部が接着された外箱部側面部の他の部分に対して回動可能に形成され、回動片部を外側に回動させることにより分離部と内箱部側面部本体部間の切目線が切断されて分離部が回動片部に接着した状態で内箱部から分離することを特徴とする包装箱。
【請求項５】
内側スリーブ状部を筒状に広げていくことにより、第１補強片部の先端が、第４内箱部側面部と第１内箱部側面部のうち第１特定側面部が連設されていない内箱部側面部の内側の面、又は、第１特定側面部が第１内箱部側面部から連設されている場合に第４内箱部側面部に接着された内箱部糊代部の内側の面に接することによって、第１補強片部が第１特定側面部に対して傾斜していき、第２補強片部の先端が、第２内箱部側面部と第３内箱部側面部のうち第２特定側面部が連設されていない内箱部側面部の内側の面に接することによって、第２補強片部が第２特定側面部に対して傾斜していくことを特徴とする請求項４に記載の包装箱。
【請求項６】
包装箱であって、
内箱部（Ａ）と外箱部（Ｂ）とを有し、
内箱部が、
底面部（５０）と、
底面部の各辺から立設した内側スリーブ状部で、内箱部糊代部（４９）と第１内箱部側面部（２０）と第２内箱部側面部（１０）と第３内箱部側面部（３０）と第４内箱部側面部（４０）とを有し、内箱部糊代部、第１内箱部側面部、第２内箱部側面部、第３内箱部側面部、第４内箱部側面部の順に連設されるか、又は、第１内箱部側面部、第２内箱部側面部、第３内箱部側面部、第４内箱部側面部、内箱部糊代部の順に連設され、内箱部糊代部が、内箱部糊代部が第１内箱部側面部から連設された場合には、第４内箱部側面部の第３内箱部側面部側とは反対側の端部領域に接着され、内箱部糊代部が第４内箱部側面部から連設された場合には、第１内箱部側面部の第２内箱部側面部側とは反対側の端部領域に接着され、内箱部を箱状に組み立てた状態では、互いに隣接する側面部が略直角をなす内側スリーブ状部（５）と、
第１内箱部側面部の上辺から水平方向の折れ線を介して第１内箱部側面部に対して折り返して連設された第１内側側面部（１２０）と、
第２内箱部側面部の上辺から水平方向の折れ線を介して第２内箱部側面部に対して折り返して連設された第２内側側面部（１１０）と、
第３内箱部側面部の上辺から水平方向の折れ線を介して第３内箱部側面部に対して折り返して連設された第３内側側面部（１３０）と、
第１内側側面部と第２内側側面部の一方の側辺で第１内箱部側面部と第２内箱部側面部間の角部側の側辺である第１側辺から連設された第１補強部（１６０）で、該第１側辺から第１折れ線（Ｃ１１）を介して連設された第１補強板部（１６２）と、第１補強板部の該第１側辺側とは反対側の辺部から第１折れ線と平行な第２折れ線（Ｃ１２）を介して連設された第２補強板部（１６４）と、第２補強板部の第１補強板部側とは反対側の辺部から第１折れ線と平行な第３折れ線（Ｃ１３）を介して連設された第１補強部糊代部（１６６）とを有し、第１折れ線と第２折れ線間の長さに第２折れ線と第３折れ線間の長さを加算した長さ（Ｌ１６０）が、第１折れ線と第３内箱部側面部と第４内箱部側面部間の折れ線（Ｃ３）との間の水平方向の長さである第１長さ（Ｌ１０、Ｌ２１）よりも長く形成され、第１折れ線と第２折れ線間の長さ（Ｌ１６２）が第１長さよりも短く形成され、第１補強部糊代部は、第１内箱部側面部と第２内箱部側面部の２つの側面部において第１内側側面部と第２内側側面部の他方が連設された側面部の内側の面に接着された第１補強部（１６０）と、
第３内側側面部の側辺で第３内箱部側面部と第４内箱部側面部間の角部側の側辺である第２側辺から連設された第２補強部（１８０）で、該第２側辺から第４折れ線（Ｃ１６）を介して連設された第３補強板部（１８２）と、第３補強板部の該第２側辺側とは反対側の辺部から第４折れ線と平行な第５折れ線（Ｃ１７）を介して連設された第４補強板部（１８４）と、第４補強板部の第３補強板部側とは反対側の辺部から第４折れ線と平行な第６折れ線（Ｃ１８）を介して連設された第２補強部糊代部（１８６）とを有し、第４折れ線と第５折れ線間の長さに第５折れ線と第６折れ線間の長さを加算した長さ（Ｌ１８０）が、第４折れ線と第３内箱部側面部と第４内箱部側面部間の折れ線（Ｃ１）との間の水平方向の長さである第２長さ（Ｌ３０）よりも長く形成され、第４折れ線と第５折れ線間の長さ（Ｌ１８２）が第２長さよりも短く形成され、第２補強部糊代部は、第４内箱部側面部の内側の面に接着された第２補強部（１８０）と、
第１内側側面部の側辺で第１内箱部側面部と第４内箱部側面部間の角部側の側辺である第３側辺から連設された第１補強片部で、第３側辺側の端部である基端から先端までの長さ（Ｌ１７０）が、第３側辺と第１内箱部側面部と第４内箱部側面部間の境界線との間の水平方向の長さ（Ｌ２０）よりも長く形成された第１補強片部（１７０）と、
第２内側側面部と第３内側側面部の一方の側辺で第２内箱部側面部と第３内箱部側面部間の角部側の側辺である第４側辺から連設された第２補強片部で、第４側辺側の端部である基端から先端までの長さ（Ｌ１６８）が、第４側辺と第２内箱部側面部と第３内箱部側面部間の折れ線との間の水平方向の長さ（Ｌ１３、Ｌ３１）よりも長く形成された第２補強片部（１６８）と、
を有し、
第１内箱部側面部と第２内箱部側面部と第３内箱部側面部と第４内箱部側面部とにおける２つの内箱部側面部において、内箱部側面部の一部が分離部（２４、３４）として内箱部側面部における分離部以外の部分である内箱部側面部本体部と切目線を介して分離可能に形成され、
外箱部が、
内箱部の外側の面に沿って設けられた外側スリーブ状部で、第１内箱部側面部の外側の面に沿って形成された第１外箱部側面部（２２０）と、第２内箱部側面部の外側の面に沿って形成された第２外箱部側面部（２１０）と、第３内箱部側面部の外側の面に沿って形成された第３外箱部側面部（２３０）と、第４内箱部側面部の外側の面に沿って形成された第４外箱部側面部（２４０）とを有し、外箱部を箱状に組み立てた状態では、互いに隣接する側面部が略直角をなす外側スリーブ状部（２０５）と、
外側スリーブ状部の上端から折れ線を介して連設された蓋部と、を有し、
内箱部と外箱部とが、それぞれシート状のブランクにより形成され、
第１外箱部側面部と第２外箱部側面部間の折れ線を介して第１外箱部側面部を第２外箱部側面部に対して折り返すとともに、第３外箱部側面部と第４外箱部側面部間の折れ線を介して第４外箱部側面部を第３外箱部側面部に対して折り返した状態として外側スリーブ状部を折り畳んだ状態とするとともに、第１内箱部側面部と第２内箱部側面部間の折れ線を介して第１内箱部側面部を第２内箱部側面部に対して折り返すとともに、第３内箱部側面部と第４内箱部側面部間の折れ線を介して第４内箱部側面部を第３内箱部側面部に対して折り返した状態として内側スリーブ状部を折り畳んだ状態として、包装箱を折り畳んだ場合には、第１補強部は、第２折れ線を介して折り返した状態となり、第２補強部は、第５折れ線を介して折り返した状態となり、
外側スリーブ状部と内側スリーブ状部を筒状に広げていくことにより、第１補強部における第１補強板部と第２補強板部間の角度が大きくなっていき、第１補強板部と第２補強板部が第１内箱部側面部と第２内箱部側面部間の角部に対して内側に迫り出した状態となり、第２補強部における第３補強板部と第４補強板部間の角度が大きくなっていき、第３補強板部と第４補強板部が第３内箱部側面部と第４内箱部側面部間の角部に対して内側に迫り出した状態となり、第１補強片部が、第１特定側面部に対して傾斜していくことにより、第１内箱部側面部と第４内箱部側面部間の角部に対して内側に迫り出した状態となり、第２補強片部が、第２特定側面部に対して傾斜していくことにより、第２内箱部側面部と第３内箱部側面部間の角部に対して内側に迫り出した状態となり、
内箱部における分離部が設けられた内箱部側面部である分離部形成内箱部側面部に対応した外箱部側面部に分離部が接着され、外箱部側面部における分離部が接着された領域を含む片部である回動片部（２２４、２３４）が分離部が接着された外箱部側面部の他の部分に対して回動可能に形成され、回動片部を外側に回動させることにより分離部と内箱部側面部本体部間の切目線が切断されて分離部が回動片部に接着した状態で内箱部から分離することを特徴とする包装箱。
【請求項７】
内側スリーブ状部をを筒状に広げていくことにより、第１補強片部の先端が、第４内箱部側面部の内側の面、又は、第４内箱部側面部に接着された内箱部糊代部の内側の面に接することによって、第１補強片部が第１内側側面部に対して傾斜していき、第２補強片部の先端が、第２内箱部側面部と第３内箱部側面部のうち第２内側側面部と第３内側側面部の他方が連設された内箱部側面部の内側の面に接することによって、第２補強片部が第２内側側面部と第３内側側面部の一方に対して傾斜していくことを特徴とする請求項６に記載の包装箱。
【請求項８】
分離部は、第１内箱部側面部と第３内箱部側面部に形成され、第２内箱部側面部に切欠部又は開口部を設けるための切目線が設けられ、第２内箱部側面部に設けられた該切目線を破断することにより、第２内箱部側面部に切欠部又は開口部が形成されることを特徴とする請求項６又は７に記載の包装箱。
【請求項９】
第１補強部は、第２内側側面部の側辺から連設されており、第２補強片部は、第２内側側面部の側辺から連設されており、分離部は、第１内箱部側面部と第３内箱部側面部に形成されていることを特徴とする請求項６又は７又は８に記載の包装箱。
【請求項１０】
分離部は、第１内箱部側面部と第３内箱部側面部に形成され、分離部が接着された外箱部側面部においては、回動片部の外周の一部に沿って切目線が形成され、回動片部の外周の一部に沿って形成された該切目線から連設された切目線により押込み片部（２２６、２３６）が回動片部に隣接して設けられ、
第１内箱部側面部と第１内側側面部には、第１外箱部側面部の押込み片部の領域に対応した領域を含む領域に第１外箱部側面部の押込み片部の押し込んだ際に、該押込み片部の第１内箱部側面部と第１内側側面部への接触を防止するための開口部（２４ｂ、１２２）が設けられ、
第３内箱部側面部と第３内側側面部には、第３外箱部側面部の押込み片部の領域に対応した領域を含む領域に第３外箱部側面部の押込み片部の押し込んだ際に、該押込み片部の第３内箱部側面部と第３内側側面部への接触を防止するための開口部（３４ｂ、１３２）が設けられていることを特徴とする請求項６又は７又は８又は９に記載の包装箱。
【請求項１１】
第２内箱部側面部の上辺の高さ位置と第３内箱部側面部の上辺の高さ位置と第４内箱部側面部の上辺の高さ位置とは、第１内箱部側面部の上辺の高さ位置と略同一の高さに形成され、第１補強板部の上端の高さ位置と、第２補強板部の上端の高さ位置と、第３補強板部の上端の高さ位置と、第４補強板部の上端の高さ位置と、第１補強片部の上端の高さ位置と、第２補強片部の上端の高さ位置とは、第１内箱部側面部の上辺の高さ位置と略同一の高さに形成されていることを特徴とする請求項４又は５又は６又は７又は８又は９又は１０に記載の包装箱。
【請求項１２】
内箱部の底面部が、第１内箱部側面部と第２内箱部側面部と第３内箱部側面部と第４内箱部側面部の４つの内箱部側面部における相対する２つの内箱部側面部の下辺から連設された底面本体部（５２、５８）と、該４つの内箱部側面部における他の相対する２つの内箱部側面部の下辺から連設されたフラップ部（５４、５６）とを有し、フラップ部を内側スリーブ状部に対して内側に折り曲げるととともに底面本体部を内側スリーブ状部に対して内側に折り曲げて底面本体部がフラップ部の下側となるようにして、２つの底面本体部の先端同士が当接又は近接して内箱部の底面が閉じた状態となり、
外箱部において、第１外箱部側面部と第２外箱部側面部と第３外箱部側面部と第４外箱部側面部の４つの外箱部側面部におけるフラップ部が連設された内箱部側面部であるフラップ部連設側面部（２０、３０）に対応する外箱部側面部（１２０、１３０）の下端から、フラップ連設側面部の一方の下端領域と２つの底面本体部とフラップ連設側面部の他方の下端領域とに接着した接着テープ（Ｔ１）のフラップ連設側面部における接着領域を露出させるための切欠部（２２８、２３８）が形成されていることを特徴とする請求項４又は５又は６又は７又は８又は９又は１０又は１１に記載の包装箱。
【発明の詳細な説明】
【技術分野】
【０００１】
本発明は、箱体に関するものであり、特に、角部を補強することができる箱体に関するものである。
【背景技術】
【０００２】
従来より、箱体の角部の内側を補強することができるものとして、特許文献１〜３のものが存在する。
【０００３】
すなわち、特許文献１の補強箱においては、補強片２８は、側面部６、８の上端部に連結された第１補強片３０と、第１補強片３０に第１折曲げ線３１を介し連結された第２補強片３２と、第２補強片３２に第２折曲げ線３３を介し連結された第３補強片３４とを有し、補強片２８を周壁１１の内側に折り曲げ、各補強片３０、３２、３４を各折曲げ線３１、３３で谷折りにして三角筒状に折り曲げて、周壁１１の四隅部内面に密着させた状態で、係止突片３５を係止孔３６に嵌入係止するものである。
【０００４】
また、特許文献２の梱包箱においては、支持片６０は、内フラップ２１に形成された切り目により内フラップの幅方向端部に区画形成され、切り目７０は、内フラップ２１の側辺に平行で内フラップ２１と側面板４１との境界線に達する第１切り分け線７１と、第１切り分け線７１の端点を起点として内フラップ２１の側辺に向けて直角に形成された第２切り分け線７２とを有し、第２切り分け線７２の終点と辺部１１の端部との間には切り目無し部分７２が形成され、切り目なし部分７３を内側に折り曲げて支持片６０を側面板４１に重ね合わせ、支持部６０は、切り目なし部分７３から連設された外側区画Ａ１と、外側区画Ａ１に対して折り曲げられる内側区画Ａ２とに区画され、内側区画Ａ２を外側区画Ａ１に対して折り曲げることにより、支持片６０が、Ｖ字形の立体形状に形成されて、補強作用が向上する。
【０００５】
また、特許文献３の包装箱においては、胴部２の四隅部に４つのコーナー支持部３ａ，３ｂが設けられ、２つの第１コーナー支持部３ａにおいては、第２側板５の一側の上縁から第１連結片９を内方に折り曲げ、第１連結片９に連設された第１対向片１２を下方に折り曲げ、第１対向片１２に連設された第１帯片１３を多角筒状に折り曲げる。また、２つの第２コーナー支持部３ｂにおいても、第２側板５の他側の上縁から第２連結片１０を内方に折り曲げ、第２連結片１０に連設された第２対向片１７を下方に折り曲げ、第２対向片１７に連設された第２帯片１８を多角筒状に折り曲げる。
【先行技術文献】
【特許文献】
【０００６】
【特許文献１】特開平１１−３０１６４２号公報
【特許文献２】特開２００８−１２７０５０号公報
【特許文献３】特開２０１０−２６０５７９号公報
【発明の概要】
【発明が解決しようとする課題】
【０００７】
しかし、上記各先行技術文献の箱においては、箱体の角部の内側を補強するための部材を別途組み立てる必要があるという問題があった。
【０００８】
つまり、特許文献１の補強箱においては、第１側面部５と第２側面部６と第３側面部７と第４側面部８とで四角筒状に組み立てた状態で、補強片２８を周壁１１の内側に折り曲げ、各補強片３０、３２、３４を各折曲げ線３１、３３で谷折りにして三角筒状に折り曲げて、周壁１１の四隅部内面に密着させた状態で、係止突片３５を係止孔３６に嵌入係止させなければならず、また、特許文献２の梱包箱においては、側面板４１〜４４を四角筒状に組み立てた状態で、切り目なし部分７３を内側に折り曲げて支持片６０を側面板４１に重ね合わせ、内側区画Ａ２を外側区画Ａ１に対して折り曲げることにより、支持片６０をＶ字形の立体形状に形成する必要があり、また、特許文献３の包装箱においては、第１側板４と第２側板５を四角筒状に組み立てた状態で、第２側板５の上縁から第１連結片９（第２連結片１０）を内方に折り曲げ、第１連結片９（第２連結片１０）に連設された第１対向片１２（第２対向片１７）を下方に折り曲げ、第１対向片１２（第２対向片１７）に連設された第１帯片１３（第２帯片１８）を多角筒状に折り曲げる必要がある。
【０００９】
つまり、４つの側面部を四角筒状に組み立てる操作とは別に、箱体の角部の内側を補強するための部材を組み立てる操作が必要になる。
【００１０】
そこで、本発明は、箱体の角部の内側を補強するための部材を別途組み立てる必要がなく、箱体の角部の内側を補強するための部材を容易に箱体の角部に設けることができる箱体を提供することを目的とする。
【課題を解決するための手段】
【００１１】
本発明は上記問題点を解決するために創作されたものであって、第１には、箱体であって、底面部（５０）と、底面部の各辺から立設した側面構成部で、糊代部（４９）と第１側面部（２０）と第２側面部（１０）と第３側面部（３０）と第４側面部（４０）とを有し、糊代部、第１側面部、第２側面部、第３側面部、第４側面部の順に連設され、糊代部が第４側面部の第３側面部側とは反対側の端部領域に接着され、箱体を箱状に組み立てた状態では、互いに隣接する側面部が略直角をなす側面構成部（５）と、第１側面部と第２側面部と第３側面部と第４側面部の４つの側面部のうちの少なくとも２つの側面部の上辺から水平方向の折れ線を介して該側面部に対して折り返して連設された内側側面部を有する内側側面部群（１０５）と、内側側面部群における１つの内側側面部である第１内側側面部が第１側面部と第２側面部の一方から連設され、該第１内側側面部の側辺で第１側面部と第２側面部間の角部側の側辺である第１側辺から連設された第１補強部（１６０）で、該第１側辺から第１折れ線（Ｃ１１）を介して連設された第１補強板部（１６２）と、第１補強板部の該第１側辺側とは反対側の辺部から第１折れ線と平行な第２折れ線（Ｃ１２）を介して連設された第２補強板部（１６４）と、第２補強板部の第１補強板部側とは反対側の辺部から第１折れ線と平行な第３折れ線（Ｃ１３）を介して連設された第１補強部糊代部（１６６）とを有し、第１折れ線と第２折れ線間の長さに第２折れ線と第３折れ線間の長さを加算した長さ（Ｌ１６０）が、第１折れ線と第１側面部と第２側面部間の折れ線（Ｃ３）との間の水平方向の長さである第１長さ（Ｌ１０、Ｌ２１）よりも長く形成され、第１折れ線と第２折れ線間の長さ（Ｌ１６２）が第１長さよりも短く形成され、第１補強部糊代部は、第１側面部と第２側面部の他方の内側の面に接着された第１補強部（１６０）と、内側側面部群における他の１つの内側側面部である第２内側側面部が第３側面部と第４側面部の一方から連設され、該第２内側側面部の側辺で第３側面部と第４側面部間の角部側の側辺である第２側辺から連設された第２補強部（１８０）で、該第２側辺から第４折れ線（Ｃ１６）を介して連設された第３補強板部（１８２）と、第３補強板部の該第２側辺側とは反対側の辺部から第４折れ線と平行な第５折れ線（Ｃ１７）を介して連設された第４補強板部（１８４）と、第４補強板部の第３補強板部側とは反対側の辺部から第４折れ線と平行な第６折れ線（Ｃ１８）を介して連設された第２補強部糊代部（１８６）とを有し、第４折れ線と第５折れ線間の長さに第５折れ線と第６折れ線間の長さを加算した長さ（Ｌ１８０）が、第４折れ線と第３側面部と第４側面部間の折れ線（Ｃ１）との間の水平方向の長さである第２長さ（Ｌ３０、Ｌ４１）よりも長く形成され、第４折れ線と第５折れ線間の長さ（Ｌ１８２）が第２長さよりも短く形成され、第２補強部糊代部は、第３側面部と第４側面部の他方の内側の面に接着された第２補強部（１８０）と、第１内側側面部が第１側面部から連設された場合の第１内側側面部と、第２内側側面部が第４側面部から連設された場合の第２内側側面部（１４０）と、第１内側側面部が第２側面部から連設された場合に第１側面部から連設された他の１つの内側側面部である第３内側側面部（１２０）とのいずれかである第１特定側面部の側辺で第１側面部と第４側面部間の角部側の側辺である第３側辺から連設された第１補強片部で、第３側辺側の端部である基端から先端までの長さが、第３側辺と第１側面部と第４側面部間の境界線との間の水平方向の長さ（Ｌ２０、Ｌ４０）よりも長く形成された第１補強片部（１７０）と、第１内側側面部が第２側面部から連設された場合の第１内側側面部（１１０）と、第２内側側面部が第３側面部から連設された場合の第２内側側面部（１３０）と、第１内側側面部が第１側面部から連設された場合に第２側面部から連設された他の１つの内側側面部である第４内側側面部と、第２内側側面部が第４側面部から連設された場合に第３側面部から連設された他の１つの内側側面部である第５内側側面部のいずれかである第２特定側面部の側辺で第２側面部と第３側面部間の角部側の側辺である第４側辺から連設された第２補強片部で、第４側辺側の端部である基端から先端までの長さが、第４側辺と第２側面部と第３側面部間の折れ線との間の水平方向の長さ（Ｌ１３、Ｌ３１）よりも長く形成された第２補強片部（１６８）と、を有し、箱体が、シート状のブランクにより形成され、第１側面部と第２側面部間の折れ線を介して第１側面部を第２側面部に対して折り返すとともに、第３側面部と第４側面部間の折れ線を介して第４側面部を第３側面部に対して折り返した状態として側面構成部を折り畳んだ場合には、第１補強部は、第２折れ線を介して折り返した状態となり、第２補強部は、第５折れ線を介して折り返した状態となり、側面構成部を筒状に広げていくことにより、第１補強部における第１補強板部と第２補強板部間の角度が大きくなっていき、第１補強板部と第２補強板部が第１側面部と第２側面部間の角部に対して内側に迫り出した状態となり、第２補強部における第３補強板部と第４補強板部間の角度が大きくなっていき、第３補強板部と第４補強板部が第３側面部と第４側面部間の角部に対して内側に迫り出した状態となり、第１補強片部が、第１特定側面部に対して傾斜していくことにより、第１側面部と第４側面部間の角部に対して内側に迫り出した状態となり、第２補強片部が、第２特定側面部に対して傾斜していくことにより、第２側面部と第３側面部間の角部に対して内側に迫り出した状態となることを特徴とする。
【００１２】
第１の構成の箱体によれば、側面構成部を筒状に組み立てることにより、第１補強部と第２補強部と第１補強片部と第２補強片部とが側面構成部の角部から内側に迫り出した状態となるので、箱体の角部の内側を補強するための部材を別途組み立てる必要がなく、箱体の角部の内側を補強するための部材を容易に箱体の角部に設けることができる。
【００１３】
また、第１補強部と第２補強部と第１補強片部と第２補強片部とが側面構成部の角部から内側に迫り出した状態となるので、箱体の４つの角部が補強され、箱体全体の剛性を高めることができ、特に、上下方向からの圧縮強度を高めることができる。
【００１４】
なお、第１の構成において、「該第１内側側面部の側辺で第１側面部と第２側面部間の角部側の側辺である第１側辺」を「該第１内側側面部の側辺で第１側面部と第２側面部間の角部側の側辺で、第１側面部と第２側面部と第３側面部と第４側面部の４つの側面部において第１内側側面部が連設された側面部の上辺に対して直角をなす第１側辺」としてもよく、「該第２内側側面部の側辺で第３側面部と第４側面部間の角部側の側辺である第２側辺」を「該第２内側側面部の側辺で第３側面部と第４側面部間の角部側の側辺で、第１側面部と第２側面部と第３側面部と第４側面部の４つの側面部において第２内側側面部が連設された側面部の上辺に対して直角をなす第２側辺」としてもよく、「第１特定側面部の側辺で第１側面部と第４側面部間の角部側の側辺である第３側辺」を「第１特定側面部の側辺で第１側面部と第４側面部間の角部側の側辺で、第１側面部と第２側面部と第３側面部と第４側面部の４つの側面部において第１特定側面部が連設された側面部の上辺に対して直角をなす第３側辺」としてもよく、「第２特定側面部の側辺で第２側面部と第３側面部間の角部側の側辺である第４側辺」を「第２特定側面部の側辺で第２側面部と第３側面部間の角部側の側辺で、第１側面部と第２側面部と第３側面部と第４側面部の４つの側面部において第２特定側面部が連設された側面部の上辺に対して直角をなす第４側辺」としてもよい。
【００１５】
また、第２には、上記第１の構成において、側面構成部を筒状に広げていくことにより、第１補強片部の先端が、第４側面部と第１側面部のうち第１特定側面部が連設されていない側面部の内側の面、又は、第１特定側面部が第１側面部から連設されている場合に第４側面部に接着された糊代部の内側の面に接することによって、第１補強片部が第１特定側面部に対して傾斜していき、第２補強片部の先端が、第２側面部と第３側面部のうち第２特定側面部が連設されていない側面部の内側の面に接することによって、第２補強片部が第２特定側面部に対して傾斜していくことを特徴とする。
【００１６】
また、第１−１の構成として、以下の構成としてもよい。すなわち、「箱体であって、底面部（５０）と、底面部の各辺から立設した側面構成部で、糊代部（４９）と第１側面部（２０）と第２側面部（１０）と第３側面部（３０）と第４側面部（４０）とを有し、糊代部、第１側面部、第２側面部、第３側面部、第４側面部の順に連設され、糊代部が第４側面部の第３側面部側とは反対側の端部領域に接着され、箱体を箱状に組み立てた状態では、互いに隣接する側面部が略直角をなす側面構成部（５）と、第２側面部の上辺から水平方向の折れ線を介して第２側面部に対して折り返して連設された第１内側側面部（１１０）と、第４側面部の上辺から水平方向の折れ線を介して第４側面部に対して折り返して連設された第２内側側面部（１４０）と、第１内側側面部の側辺で第１側面部と第２側面部間の角部側の側辺である第１側辺から連設された第１補強部（１６０）で、該第１側辺から第１折れ線（Ｃ１１）を介して連設された第１補強板部（１６２）と、第１補強板部の該第１側辺側とは反対側の辺部から第１折れ線と平行な第２折れ線（Ｃ１２）を介して連設された第２補強板部（１６４）と、第２補強板部の第１補強板部側とは反対側の辺部から第１折れ線と平行な第３折れ線（Ｃ１３）を介して連設された第１補強部糊代部（１６６）とを有し、第１折れ線と第２折れ線間の長さに第２折れ線と第３折れ線間の長さを加算した長さ（Ｌ１６０）が、第１折れ線と第３側面部と第４側面部間の折れ線（Ｃ３）との間の水平方向の長さである第１長さ（Ｌ１０）よりも長く形成され、第１折れ線と第２折れ線間の長さ（Ｌ１６２）が第１長さよりも短く形成され、第１補強部糊代部は、第１側面部の内側の面に接着された第１補強部（１６０）と、第２内側側面部の側辺で第３側面部と第４側面部間の角部側の側辺である第２側辺から連設された第２補強部（１８０）で、該第２側辺から第４折れ線（Ｃ１６）を介して連設された第３補強板部（１８２）と、第３補強板部の該第２側辺側とは反対側の辺部から第４折れ線と平行な第５折れ線（Ｃ１７）を介して連設された第４補強板部（１８４）と、第４補強板部の第３補強板部側とは反対側の辺部から第４折れ線と平行な第６折れ線（Ｃ１８）を介して連設された第２補強部糊代部（１８６）とを有し、第４折れ線と第５折れ線間の長さに第５折れ線と第６折れ線間の長さを加算した長さ（Ｌ１８０）が、第４折れ線と第３側面部と第４側面部間の折れ線（Ｃ１）との間の水平方向の長さである第２長さ（Ｌ４１）よりも長く形成され、第４折れ線と第５折れ線間の長さ（Ｌ１８２）が第２長さよりも短く形成され、第２補強部糊代部は、第３側面部と第４側面部の他方の内側の面に接着された第２補強部（１８０）と、第２内側側面部の側辺で第１側面部と第４側面部間の角部側の側辺である第３側辺から連設された第１補強片部で、第３側辺側の端部である基端から先端までの長さ（Ｌ１７０）が、第３側辺と第１側面部と第４側面部間の境界線との間の水平方向の長さ（Ｌ４０）よりも長く形成された第１補強片部（１７０）と、第１内側側面部の側辺で第２側面部と第３側面部間の角部側の側辺である第４側辺から連設された第２補強片部で、第４側辺側の端部である基端から先端までの長さ（Ｌ１６８）が、第４側辺と第２側面部と第３側面部間の折れ線との間の水平方向の長さ（Ｌ１３）よりも長く形成された第２補強片部（１６８）と、を有し、箱体が、シート状のブランクにより形成され、第１側面部と第２側面部間の折れ線を介して第１側面部を第２側面部に対して折り返すとともに、第３側面部と第４側面部間の折れ線を介して第４側面部を第３側面部に対して折り返した状態として側面構成部を折り畳んだ場合には、第１補強部は、第２折れ線を介して折り返した状態となり、第２補強部は、第５折れ線を介して折り返した状態となり、側面構成部を筒状に広げていくことにより、第１補強部における第１補強板部と第２補強板部間の角度が大きくなっていき、第１補強板部と第２補強板部が第１側面部と第２側面部間の角部に対して内側に迫り出した状態となり、第２補強部における第３補強板部と第４補強板部間の角度が大きくなっていき、第３補強板部と第４補強板部が第３側面部と第４側面部間の角部に対して内側に迫り出した状態となり、第１補強片部が、第１特定側面部に対して傾斜していくことにより、第１側面部と第４側面部間の角部に対して内側に迫り出した状態となり、第２補強片部が、第２特定側面部に対して傾斜していくことにより、第２側面部と第３側面部間の角部に対して内側に迫り出した状態となることを特徴とする箱体。」としてもよい。
【００１７】
第１−１の構成の箱体によれば、側面構成部を筒状に組み立てることにより、第１補強部と第２補強部と第１補強片部と第２補強片部とが側面構成部の角部から内側に迫り出した状態となるので、箱体の角部の内側を補強するための部材を別途組み立てる必要がなく、箱体の角部の内側を補強するための部材を容易に箱体の角部に設けることができる。
【００１８】
また、第１補強部と第２補強部と第１補強片部と第２補強片部とが側面構成部の角部から内側に迫り出した状態となるので、箱体の４つの角部が補強され、箱体全体の剛性を高めることができ、特に、上下方向からの圧縮強度を高めることができる。
【００１９】
なお、上記第１−１の構成において、側面構成部を筒状に広げていくことにより、第１補強片部の先端が、第１側面部の内側の面に接することによって、第１補強片部が第２内側側面部に対して傾斜していき、また、第２補強片部の先端が、第３側面部の内側の面に接することによって、第２補強片部が第１内側側面部に対して傾斜していくことを特徴とするものとしてもよい。
【００２０】
また、上記第１−１の構成において、「第１内側側面部の側辺で第１側面部と第２側面部間の角部側の側辺である第１側辺」を「第１内側側面部の側辺で第１側面部と第２側面部間の角部側の側辺であり、第２側面部の上辺に対して直角をなす第１側辺」としてもよく、「第２内側側面部の側辺で第３側面部と第４側面部間の角部側の側辺である第２側辺」を「第２内側側面部の側辺で第３側面部と第４側面部間の角部側の側辺であり、第４側面部の上辺に対して直角をなす第２側辺」としてもよく、「第２内側側面部の側辺で第１側面部と第４側面部間の角部側の側辺である第３側辺」を「第２内側側面部の側辺で第１側面部と第４側面部間の角部側の側辺であり、第２側面部の上辺に対して直角をなす第１側辺」としてもよく、「第１内側側面部の側辺で第２側面部と第３側面部間の角部側の側辺である第４側辺」を「第１内側側面部の側辺で第２側面部と第３側面部間の角部側の側辺であり、第４側面部の上辺に対して直角をなす第２側辺」としてもよい。
【００２１】
また、第１−２の構成として、以下の構成としてもよい。すなわち、「箱体であって、底面部（５０）と、底面部の各辺から立設した側面構成部で、糊代部（４９）と第１側面部（２０）と第２側面部（１０）と第３側面部（３０）と第４側面部（４０）とを有し、糊代部、第１側面部、第２側面部、第３側面部、第４側面部の順に連設され、糊代部が第４側面部の第３側面部側とは反対側の端部領域に接着され、箱体を箱状に組み立てた状態では、互いに隣接する側面部が略直角をなす側面構成部（５）と、第１側面部の上辺から水平方向の折れ線を介して第１側面部に対して折り返して連設された第１内側側面部（１２０）と、第３側面部の上辺から水平方向の折れ線を介して第３側面部に対して折り返して連設された第２内側側面部（１３０）と、第１内側側面部の側辺で第１側面部と第２側面部間の角部側の側辺である第１側辺から連設された第１補強部（１６０）で、該第１側辺から第１折れ線（Ｃ１１）を介して連設された第１補強板部（１６２）と、第１補強板部の該第１側辺側とは反対側の辺部から第１折れ線と平行な第２折れ線（Ｃ１２）を介して連設された第２補強板部（１６４）と、第２補強板部の第１補強板部側とは反対側の辺部から第１折れ線と平行な第３折れ線（Ｃ１３）を介して連設された第１補強部糊代部（１６６）とを有し、第１折れ線と第２折れ線間の長さに第２折れ線と第３折れ線間の長さを加算した長さ（Ｌ１６０）が、第１折れ線と第３側面部と第４側面部間の折れ線（Ｃ３）との間の水平方向の長さである第１長さ（Ｌ２１）よりも長く形成され、第１折れ線と第２折れ線間の長さ（Ｌ１６２）が第１長さよりも短く形成され、第１補強部糊代部は、第１側面部の内側の面に接着された第１補強部（１６０）と、第２内側側面部の側辺で第３側面部と第４側面部間の角部側の側辺である第２側辺から連設された第２補強部（１８０）で、該第２側辺から第４折れ線（Ｃ１６）を介して連設された第３補強板部（１８２）と、第３補強板部の該第２側辺側とは反対側の辺部から第４折れ線と平行な第５折れ線（Ｃ１７）を介して連設された第４補強板部（１８４）と、第４補強板部の第３補強板部側とは反対側の辺部から第４折れ線と平行な第６折れ線（Ｃ１８）を介して連設された第２補強部糊代部（１８６）とを有し、第４折れ線と第５折れ線間の長さに第５折れ線と第６折れ線間の長さを加算した長さ（Ｌ１８０）が、第４折れ線と第３側面部と第４側面部間の折れ線（Ｃ１）との間の水平方向の長さである第２長さ（Ｌ３０）よりも長く形成され、第４折れ線と第５折れ線間の長さ（Ｌ１８２）が第２長さよりも短く形成され、第２補強部糊代部は、第３側面部と第４側面部の他方の内側の面に接着された第２補強部（１８０）と、第１内側側面部の側辺で第１側面部と第４側面部間の角部側の側辺である第３側辺から連設された第１補強片部で、第３側辺側の端部である基端から先端までの長さ（Ｌ１７０）が、第３側辺と第１側面部と第４側面部間の境界線との間の水平方向の長さ（Ｌ２０）よりも長く形成された第１補強片部（１７０）と、第２内側側面部の側辺で第２側面部と第３側面部間の角部側の側辺である第４側辺から連設された第２補強片部で、第４側辺側の端部である基端から先端までの長さ（Ｌ１６８）が、第４側辺と第２側面部と第３側面部間の折れ線との間の水平方向の長さ（Ｌ３１）よりも長く形成された第２補強片部（１６８）と、を有し、箱体が、シート状のブランクにより形成され、第１側面部と第２側面部間の折れ線を介して第１側面部を第２側面部に対して折り返すとともに、第３側面部と第４側面部間の折れ線を介して第４側面部を第３側面部に対して折り返した状態として側面構成部を折り畳んだ場合には、第１補強部は、第２折れ線を介して折り返した状態となり、第２補強部は、第５折れ線を介して折り返した状態となり、側面構成部を筒状に広げていくことにより、第１補強部における第１補強板部と第２補強板部間の角度が大きくなっていき、第１補強板部と第２補強板部が第１側面部と第２側面部間の角部に対して内側に迫り出した状態となり、第２補強部における第３補強板部と第４補強板部間の角度が大きくなっていき、第３補強板部と第４補強板部が第３側面部と第４側面部間の角部に対して内側に迫り出した状態となり、第１補強片部が、第１特定側面部に対して傾斜していくことにより、第１側面部と第４側面部間の角部に対して内側に迫り出した状態となり、第２補強片部が、第２特定側面部に対して傾斜していくことにより、第２側面部と第３側面部間の角部に対して内側に迫り出した状態となることを特徴とする箱体。」としてもよい。
【００２２】
第１−２の構成の箱体によれば、側面構成部を筒状に組み立てることにより、第１補強部と第２補強部と第１補強片部と第２補強片部とが側面構成部の角部から内側に迫り出した状態となるので、箱体の角部の内側を補強するための部材を別途組み立てる必要がなく、箱体の角部の内側を補強するための部材を容易に箱体の角部に設けることができる。
【００２３】
また、第１補強部と第２補強部と第１補強片部と第２補強片部とが側面構成部の角部から内側に迫り出した状態となるので、箱体の４つの角部が補強され、箱体全体の剛性を高めることができ、特に、上下方向からの圧縮強度を高めることができる。
【００２４】
なお、上記第１−２の構成において、側面構成部を筒状に広げていくことにより、第１補強片部の先端が、第４側面部の内側の面、又は、第４側面部に接着された糊代部の内側の面に接することによって、第１補強片部が第１内側側面部に対して傾斜していき、また、第２補強片部の先端が、第２側面部の内側の面に接することによって、第２補強片部が第２内側側面部に対して傾斜していくことを特徴とするものとしてもよい。
【００２５】
また、上記第１−２の構成において、「第１内側側面部の側辺で第１側面部と第２側面部間の角部側の側辺である第１側辺」を「第１内側側面部の側辺で第１側面部と第２側面部間の角部側の側辺であり、第１側面部の上辺に対して直角をなす第１側辺」としてもよく、「第２内側側面部の側辺で第３側面部と第４側面部間の角部側の側辺である第２側辺」を「第２内側側面部の側辺で第３側面部と第４側面部間の角部側の側辺であり、第３側面部の上辺に対して直角をなす第２側辺」としてもよく、「第１内側側面部の側辺で第１側面部と第４側面部間の角部側の側辺である第３側辺」を「第１内側側面部の側辺で第１側面部と第４側面部間の角部側の側辺であり、第１側面部の上辺に対して直角をなす第１側辺」としてもよく、「第２内側側面部の側辺で第２側面部と第３側面部間の角部側の側辺である第４側辺」を「第２内側側面部の側辺で第２側面部と第３側面部間の角部側の側辺であり、第３側面部の上辺に対して直角をなす第２側辺」としてもよい。
【００２６】
また、第１−３の構成として、以下の構成としてもよい。すなわち、「箱体であって、底面部（５０）と、底面部の各辺から立設した側面構成部で、糊代部（４９）と第１側面部（２０）と第２側面部（１０）と第３側面部（３０）と第４側面部（４０）とを有し、糊代部、第１側面部、第２側面部、第３側面部、第４側面部の順に連設され、糊代部が第４側面部の第３側面部側とは反対側の端部領域に接着され、箱体を箱状に組み立てた状態では、互いに隣接する側面部が略直角をなす側面構成部（５）と、第２側面部の上辺から水平方向の折れ線を介して第２側面部に対して折り返して連設された第１内側側面部（１１０）と、第３側面部の上辺から水平方向の折れ線を介して第３側面部に対して折り返して連設された第２内側側面部（１３０）と、第４側面部の上辺から水平方向の折れ線を介して第４側面部に対して折り返して連設された第３内側側面部（１４０）と、第１内側側面部の側辺で第１側面部と第２側面部間の角部側の側辺である第１側辺から連設された第１補強部（１６０）で、該第１側辺から第１折れ線（Ｃ１１）を介して連設された第１補強板部（１６２）と、第１補強板部の該第１側辺側とは反対側の辺部から第１折れ線と平行な第２折れ線（Ｃ１２）を介して連設された第２補強板部（１６４）と、第２補強板部の第１補強板部側とは反対側の辺部から第１折れ線と平行な第３折れ線（Ｃ１３）を介して連設された第１補強部糊代部（１６６）とを有し、第１折れ線と第２折れ線間の長さに第２折れ線と第３折れ線間の長さを加算した長さ（Ｌ１６０）が、第１折れ線と第３側面部と第４側面部間の折れ線（Ｃ３）との間の水平方向の長さである第１長さ（Ｌ１０）よりも長く形成され、第１折れ線と第２折れ線間の長さ（Ｌ１６２）が第１長さよりも短く形成され、第１補強部糊代部は、第１側面部の内側の面に接着された第１補強部（１６０）と、第２内側側面部と第３内側側面部の一方の側辺で第３側面部と第４側面部間の角部側の側辺である第２側辺から連設された第２補強部（１８０）で、該第２側辺から第４折れ線（Ｃ１６）を介して連設された第３補強板部（１８２）と、第３補強板部の該第２側辺側とは反対側の辺部から第４折れ線と平行な第５折れ線（Ｃ１７）を介して連設された第４補強板部（１８４）と、第４補強板部の第３補強板部側とは反対側の辺部から第４折れ線と平行な第６折れ線（Ｃ１８）を介して連設された第２補強部糊代部（１８６）とを有し、第４折れ線と第５折れ線間の長さに第５折れ線と第６折れ線間の長さを加算した長さ（Ｌ１８０）が、第４折れ線と第３側面部と第４側面部間の折れ線（Ｃ１）との間の水平方向の長さである第２長さ（Ｌ３０、Ｌ４１）よりも長く形成され、第４折れ線と第５折れ線間の長さ（Ｌ１８２）が第２長さよりも短く形成され、第２補強部糊代部は、第３側面部と第４側面部の２つの側面部において第２内側側面部と第３内側側面部の他方が連設された側面部の内側の面に接着された第２補強部（１８０）と、第３内側側面部の側辺で第１側面部と第４側面部間の角部側の側辺である第３側辺から連設された第１補強片部で、第３側辺側の端部である基端から先端までの長さ（Ｌ１７０）が、第３側辺と第１側面部と第４側面部間の境界線との間の水平方向の長さ（Ｌ４０）よりも長く形成された第１補強片部（１７０）と、第１内側側面部と第２内側側面部の一方の側辺で第２側面部と第３側面部間の角部側の側辺である第４側辺から連設された第２補強片部で、第４側辺側の端部である基端から先端までの長さ（Ｌ１６８）が、第４側辺と第２側面部と第３側面部間の折れ線との間の水平方向の長さ（Ｌ１３、Ｌ３１）よりも長く形成された第２補強片部（１６８）と、を有し、箱体が、シート状のブランクにより形成され、第１側面部と第２側面部間の折れ線を介して第１側面部を第２側面部に対して折り返すとともに、第３側面部と第４側面部間の折れ線を介して第４側面部を第３側面部に対して折り返した状態として側面構成部を折り畳んだ場合には、第１補強部は、第２折れ線を介して折り返した状態となり、第２補強部は、第５折れ線を介して折り返した状態となり、側面構成部を筒状に広げていくことにより、第１補強部における第１補強板部と第２補強板部間の角度が大きくなっていき、第１補強板部と第２補強板部が第１側面部と第２側面部間の角部に対して内側に迫り出した状態となり、第２補強部における第３補強板部と第４補強板部間の角度が大きくなっていき、第３補強板部と第４補強板部が第３側面部と第４側面部間の角部に対して内側に迫り出した状態となり、第１補強片部が、第１特定側面部に対して傾斜していくことにより、第１側面部と第４側面部間の角部に対して内側に迫り出した状態となり、第２補強片部が、第２特定側面部に対して傾斜していくことにより、第２側面部と第３側面部間の角部に対して内側に迫り出した状態となることを特徴とする箱体。」としてもよい。
【００２７】
第１−３の構成の箱体によれば、側面構成部を筒状に組み立てることにより、第１補強部と第２補強部と第１補強片部と第２補強片部とが側面構成部の角部から内側に迫り出した状態となるので、箱体の角部の内側を補強するための部材を別途組み立てる必要がなく、箱体の角部の内側を補強するための部材を容易に箱体の角部に設けることができる。
【００２８】
また、第１補強部と第２補強部と第１補強片部と第２補強片部とが側面構成部の角部から内側に迫り出した状態となるので、箱体の４つの角部が補強され、箱体全体の剛性を高めることができ、特に、上下方向からの圧縮強度を高めることができる。
【００２９】
なお、上記第１−３の構成において、側面構成部を筒状に広げていくことにより、第１補強片部の先端が、第１側面部の内側の面に接することによって、第１補強片部が第３内側側面部に対して傾斜していき、また、第２補強片部の先端が、第２側面部と第３側面部のうち第１内側側面部と第２内側側面部の他方が連設された側面部の内側の面に接することによって、第２補強片部が第１内側側面部と第２内側側面部の該一方に対して傾斜していくことを特徴とするものとしてもよい。
【００３０】
また、上記第１−３の構成において、「第１内側側面部の側辺で第１側面部と第２側面部間の角部側の側辺である第１側辺」を「第１内側側面部の側辺で第１側面部と第２側面部間の角部側の側辺であり、第２側面部の上辺に対して直角をなす第１側辺」としてもよく、「第２内側側面部と第３内側側面部の一方の側辺で第３側面部と第４側面部間の角部側の側辺である第２側辺」を「第２内側側面部と第３内側側面部の一方の側辺で第３側面部と第４側面部間の角部側の側辺であり、第３側面部と第４側面部の２つの側面部において第２内側側面部と第３内側側面部の一方が連設された側面部の上辺に対して直角をなす第２側辺」としてもよく、「第３内側側面部の側辺で第１側面部と第４側面部間の角部側の側辺である第３側辺」を「第３内側側面部の側辺で第１側面部と第４側面部間の角部側の側辺であり、第４側面部の上辺に対して直角をなす第３側辺」としてもよく、「第１内側側面部と第２内側側面部の一方の側辺で第２側面部と第３側面部間の角部側の側辺である第４側辺」を「第１内側側面部と第２内側側面部の一方の側辺で第２側面部と第３側面部間の角部側の側辺であり、第２側面部と第３側面部の２つの側面部において第１内側側面部と第２内側側面部の一方が連設された側面部の上辺に対して直角をなす第４側辺」としてもよい。
【００３１】
また、第１−４の構成として、以下の構成としてもよい。すなわち、「箱体であって、底面部（５０）と、底面部の各辺から立設した側面構成部で、糊代部（４９）と第１側面部（２０）と第２側面部（１０）と第３側面部（３０）と第４側面部（４０）とを有し、糊代部、第１側面部、第２側面部、第３側面部、第４側面部の順に連設され、糊代部が第４側面部の第３側面部側とは反対側の端部領域に接着され、箱体を箱状に組み立てた状態では、互いに隣接する側面部が略直角をなす側面構成部（５）と、第１側面部の上辺から水平方向の折れ線を介して第１側面部に対して折り返して連設された第１内側側面部（１２０）と、第２側面部の上辺から水平方向の折れ線を介して第２側面部に対して折り返して連設された第２内側側面部（１１０）と、第３側面部の上辺から水平方向の折れ線を介して第３側面部に対して折り返して連設された第３内側側面部（１３０）と、第１内側側面部と第２内側側面部の一方の側辺で第１側面部と第２側面部間の角部側の側辺である第１側辺から連設された第１補強部（１６０）で、該第１側辺から第１折れ線（Ｃ１１）を介して連設された第１補強板部（１６２）と、第１補強板部の該第１側辺側とは反対側の辺部から第１折れ線と平行な第２折れ線（Ｃ１２）を介して連設された第２補強板部（１６４）と、第２補強板部の第１補強板部側とは反対側の辺部から第１折れ線と平行な第３折れ線（Ｃ１３）を介して連設された第１補強部糊代部（１６６）とを有し、第１折れ線と第２折れ線間の長さに第２折れ線と第３折れ線間の長さを加算した長さ（Ｌ１６０）が、第１折れ線と第３側面部と第４側面部間の折れ線（Ｃ３）との間の水平方向の長さである第１長さ（Ｌ１０、Ｌ２１）よりも長く形成され、第１折れ線と第２折れ線間の長さ（Ｌ１６２）が第１長さよりも短く形成され、第１補強部糊代部は、第１側面部と第２側面部の２つの側面部において第１内側側面部と第２内側側面部の他方が連設された側面部の内側の面に接着された第１補強部（１６０）と、第３内側側面部の側辺で第３側面部と第４側面部間の角部側の側辺である第２側辺から連設された第２補強部（１８０）で、該第２側辺から第４折れ線（Ｃ１６）を介して連設された第３補強板部（１８２）と、第３補強板部の該第２側辺側とは反対側の辺部から第４折れ線と平行な第５折れ線（Ｃ１７）を介して連設された第４補強板部（１８４）と、第４補強板部の第３補強板部側とは反対側の辺部から第４折れ線と平行な第６折れ線（Ｃ１８）を介して連設された第２補強部糊代部（１８６）とを有し、第４折れ線と第５折れ線間の長さに第５折れ線と第６折れ線間の長さを加算した長さ（Ｌ１８０）が、第４折れ線と第３側面部と第４側面部間の折れ線（Ｃ１）との間の水平方向の長さである第２長さ（Ｌ３０）よりも長く形成され、第４折れ線と第５折れ線間の長さ（Ｌ１８２）が第２長さよりも短く形成され、第２補強部糊代部は、第４側面部の内側の面に接着された第２補強部（１８０）と、第１内側側面部の側辺で第１側面部と第４側面部間の角部側の側辺である第３側辺から連設された第１補強片部で、第３側辺側の端部である基端から先端までの長さ（Ｌ１７０）が、第３側辺と第１側面部と第４側面部間の境界線との間の水平方向の長さ（Ｌ２０）よりも長く形成された第１補強片部（１７０）と、第２内側側面部と第３内側側面部の一方の側辺で第２側面部と第３側面部間の角部側の側辺である第４側辺から連設された第２補強片部で、第４側辺側の端部である基端から先端までの長さ（Ｌ１６８）が、第４側辺と第２側面部と第３側面部間の折れ線との間の水平方向の長さ（Ｌ１３、Ｌ３１）よりも長く形成された第２補強片部（１６８）と、を有し、箱体が、シート状のブランクにより形成され、第１側面部と第２側面部間の折れ線を介して第１側面部を第２側面部に対して折り返すとともに、第３側面部と第４側面部間の折れ線を介して第４側面部を第３側面部に対して折り返した状態として側面構成部を折り畳んだ場合には、第１補強部は、第２折れ線を介して折り返した状態となり、第２補強部は、第５折れ線を介して折り返した状態となり、側面構成部を筒状に広げていくことにより、第１補強部における第１補強板部と第２補強板部間の角度が大きくなっていき、第１補強板部と第２補強板部が第１側面部と第２側面部間の角部に対して内側に迫り出した状態となり、第２補強部における第３補強板部と第４補強板部間の角度が大きくなっていき、第３補強板部と第４補強板部が第３側面部と第４側面部間の角部に対して内側に迫り出した状態となり、第１補強片部が、第１特定側面部に対して傾斜していくことにより、第１側面部と第４側面部間の角部に対して内側に迫り出した状態となり、第２補強片部が、第２特定側面部に対して傾斜していくことにより、第２側面部と第３側面部間の角部に対して内側に迫り出した状態となることを特徴とする箱体。」としてもよい。
【００３２】
第１−４の構成の箱体によれば、側面構成部を筒状に組み立てることにより、第１補強部と第２補強部と第１補強片部と第２補強片部とが側面構成部の角部から内側に迫り出した状態となるので、箱体の角部の内側を補強するための部材を別途組み立てる必要がなく、箱体の角部の内側を補強するための部材を容易に箱体の角部に設けることができる。
【００３３】
また、第１補強部と第２補強部と第１補強片部と第２補強片部とが側面構成部の角部から内側に迫り出した状態となるので、箱体の４つの角部が補強され、箱体全体の剛性を高めることができ、特に、上下方向からの圧縮強度を高めることができる。
【００３４】
なお、上記第１−４の構成において、側面構成部を筒状に広げていくことにより、第１補強片部の先端が、第４側面部の内側の面、又は、第４側面部に接着された糊代部の内側の面に接することによって、第１補強片部が第１内側側面部に対して傾斜していき、また、第２補強片部の先端が、第２側面部と第３側面部のうち第２内側側面部と第３内側側面部の他方が連設された側面部の内側の面に接することによって、第２補強片部が第２内側側面部と第３内側側面部の一方に対して傾斜していくことを特徴とするものとしてもよい。
【００３５】
また、上記第１−４の構成において、「第１内側側面部と第２内側側面部の一方の側辺で第１側面部と第２側面部間の角部側の側辺である第１側辺」を「第１内側側面部と第２内側側面部の一方の側辺で第１側面部と第２側面部間の角部側の側辺であり、第１側面部と第２側面部の２つの側面部において第１内側側面部と第２内側側面部の一方が連設された側面部の上辺に対して直角をなす第１側辺」としてもよく、「第３内側側面部の側辺で第３側面部と第４側面部間の角部側の側辺である第２側辺」を「第３内側側面部の側辺で第３側面部と第４側面部間の角部側の側辺であり、第３側面部の上辺に対して直角をなする第２側辺」としてもよく、「第１内側側面部の側辺で第１側面部と第４側面部間の角部側の側辺である第３側辺」を「第１内側側面部の側辺で第１側面部と第４側面部間の角部側の側辺であり、第１側面部の上辺に対して直角をなする第３側辺」としてもよく、「第２内側側面部と第３内側側面部の一方の側辺で第２側面部と第３側面部間の角部側の側辺である第４側辺」を「第２内側側面部と第３内側側面部の一方の側辺で第２側面部と第３側面部間の角部側の側辺であり、第２側面部と第３側面部の２つの側面部において第２内側側面部と第３内側側面部の一方が連設された側面部の上辺に対して直角をなする第４側辺」としてもよい。
【００３６】
また、第１−５の構成として、以下の構成としてもよい。すなわち、「箱体であって、底面部（５０）と、底面部の各辺から立設した側面構成部で、糊代部（４９）と第１側面部（２０）と第２側面部（１０）と第３側面部（３０）と第４側面部（４０）とを有し、糊代部、第１側面部、第２側面部、第３側面部、第４側面部の順に連設され、糊代部が第４側面部の第３側面部側とは反対側の端部領域に接着され、箱体を箱状に組み立てた状態では、互いに隣接する側面部が略直角をなす側面構成部（５）と、第１側面部の上辺から水平方向の折れ線を介して第１側面部に対して折り返して連設された第１内側側面部（１２０）と、第２側面部の上辺から水平方向の折れ線を介して第２側面部に対して折り返して連設された第２内側側面部（１１０）と、第４側面部の上辺から水平方向の折れ線を介して第４側面部に対して折り返して連設された第３内側側面部（１４０）と、第１内側側面部と第２内側側面部の一方の側辺で第１側面部と第２側面部間の角部側の側辺である第１側辺から連設された第１補強部（１６０）で、該第１側辺から第１折れ線（Ｃ１１）を介して連設された第１補強板部（１６２）と、第１補強板部の該第１側辺側とは反対側の辺部から第１折れ線と平行な第２折れ線（Ｃ１２）を介して連設された第２補強板部（１６４）と、第２補強板部の第１補強板部側とは反対側の辺部から第１折れ線と平行な第３折れ線（Ｃ１３）を介して連設された第１補強部糊代部（１６６）とを有し、第１折れ線と第２折れ線間の長さに第２折れ線と第３折れ線間の長さを加算した長さ（Ｌ１６０）が、第１折れ線と第３側面部と第４側面部間の折れ線（Ｃ３）との間の水平方向の長さである第１長さ（Ｌ１０、Ｌ２１）よりも長く形成され、第１折れ線と第２折れ線間の長さ（Ｌ１６２）が第１長さよりも短く形成され、第１補強部糊代部は、第１側面部と第２側面部の２つの側面部において第１内側側面部と第２内側側面部の他方が連設された側面部の内側の面に接着された第１補強部（１６０）と、第３内側側面部の側辺で第３側面部と第４側面部間の角部側の側辺である第２側辺から連設された第２補強部（１８０）で、該第２側辺から第４折れ線（Ｃ１６）を介して連設された第３補強板部（１８２）と、第３補強板部の該第２側辺側とは反対側の辺部から第４折れ線と平行な第５折れ線（Ｃ１７）を介して連設された第４補強板部（１８４）と、第４補強板部の第３補強板部側とは反対側の辺部から第４折れ線と平行な第６折れ線（Ｃ１８）を介して連設された第２補強部糊代部（１８６）とを有し、第４折れ線と第５折れ線間の長さに第５折れ線と第６折れ線間の長さを加算した長さ（Ｌ１８０）が、第４折れ線と第３側面部と第４側面部間の折れ線（Ｃ１）との間の水平方向の長さである第２長さ（Ｌ４１）よりも長く形成され、第４折れ線と第５折れ線間の長さ（Ｌ１８２）が第２長さよりも短く形成され、第２補強部糊代部は、第３側面部の内側の面に接着された第２補強部（１８０）と、第１内側側面部と第３内側側面部の一方の側辺で第１側面部と第４側面部間の角部側の側辺である第３側辺から連設された第１補強片部で、第３側辺側の端部である基端から先端までの長さ（Ｌ１７０）が、第３側辺と第１側面部と第４側面部間の境界線との間の水平方向の長さ（Ｌ２０、Ｌ４０）よりも長く形成された第１補強片部（１７０）と、第２内側側面部の側辺で第２側面部と第３側面部間の角部側の側辺である第４側辺から連設された第２補強片部で、第４側辺側の端部である基端から先端までの長さ（Ｌ１６８）が、第４側辺と第２側面部と第３側面部間の折れ線との間の水平方向の長さ（Ｌ１３）よりも長く形成された第２補強片部（１６８）と、を有し、箱体が、シート状のブランクにより形成され、第１側面部と第２側面部間の折れ線を介して第１側面部を第２側面部に対して折り返すとともに、第３側面部と第４側面部間の折れ線を介して第４側面部を第３側面部に対して折り返した状態として側面構成部を折り畳んだ場合には、第１補強部は、第２折れ線を介して折り返した状態となり、第２補強部は、第５折れ線を介して折り返した状態となり、側面構成部を筒状に広げていくことにより、第１補強部における第１補強板部と第２補強板部間の角度が大きくなっていき、第１補強板部と第２補強板部が第１側面部と第２側面部間の角部に対して内側に迫り出した状態となり、第２補強部における第３補強板部と第４補強板部間の角度が大きくなっていき、第３補強板部と第４補強板部が第３側面部と第４側面部間の角部に対して内側に迫り出した状態となり、第１補強片部が、第１特定側面部に対して傾斜していくことにより、第１側面部と第４側面部間の角部に対して内側に迫り出した状態となり、第２補強片部が、第２特定側面部に対して傾斜していくことにより、第２側面部と第３側面部間の角部に対して内側に迫り出した状態となることを特徴とする箱体。」としてもよい。
【００３７】
第１−５の構成の箱体によれば、側面構成部を筒状に組み立てることにより、第１補強部と第２補強部と第１補強片部と第２補強片部とが側面構成部の角部から内側に迫り出した状態となるので、箱体の角部の内側を補強するための部材を別途組み立てる必要がなく、箱体の角部の内側を補強するための部材を容易に箱体の角部に設けることができる。
【００３８】
また、第１補強部と第２補強部と第１補強片部と第２補強片部とが側面構成部の角部から内側に迫り出した状態となるので、箱体の４つの角部が補強され、箱体全体の剛性を高めることができ、特に、上下方向からの圧縮強度を高めることができる。
【００３９】
なお、上記第１−５の構成において、側面構成部を筒状に広げていくことにより、第１補強片部の先端が、第１補強片部が第１内側側面部から連設された場合には、第４側面部の内側の面、又は、第４側面部に接着された糊代部の内側の面に接することによって、第１補強片部が第１内側側面部に対して傾斜していき、第１補強片部が第３内側側面部から連設された場合には、第１側面部の内側の面に接することによって、第１補強片部が第３内側側面部に対して傾斜していき、また、第２補強片部の先端が、第３側面部の内側の面に接することによって、第２補強片部が第２内側側面部に対して傾斜していくことを特徴とするものとしてもよい。
【００４０】
また、上記第１−５の構成において、「第１内側側面部と第２内側側面部の一方の側辺で第１側面部と第２側面部間の角部側の側辺である第１側辺」を「第１内側側面部と第２内側側面部の一方の側辺で第１側面部と第２側面部間の角部側の側辺であり、第１側面部と第２側面部の２つの側面部において第１内側側面部と第２内側側面部の一方が連設された側面部の上辺に対して直角をなす第１側辺」としてもよく、「第３内側側面部の側辺で第３側面部と第４側面部間の角部側の側辺である第２側辺」を「第３内側側面部の側辺で第３側面部と第４側面部間の角部側の側辺であり、第４側面部の上辺に対して直角をなす第２側辺」としてもよく、「第１内側側面部と第３内側側面部の一方の側辺で第１側面部と第４側面部間の角部側の側辺である第３側辺」を「第１内側側面部と第３内側側面部の一方の側辺で第１側面部と第４側面部間の角部側の側辺であり、第１側面部と第４側面部の２つの側面部において第１内側側面部と第３内側側面部の一方が連設された側面部の上辺に対して直角をなす第３側辺」としてもよく、「第２内側側面部の側辺で第２側面部と第３側面部間の角部側の側辺である第４側辺」を「第２内側側面部の側辺で第２側面部と第３側面部間の角部側の側辺であり、第２側面部の上辺に対して直角をなす第４側辺」としてもよい。
【００４１】
また、第１−６の構成として、以下の構成としてもよい。すなわち、「箱体であって、底面部（５０）と、底面部の各辺から立設した側面構成部で、糊代部（４９）と第１側面部（２０）と第２側面部（１０）と第３側面部（３０）と第４側面部（４０）とを有し、糊代部、第１側面部、第２側面部、第３側面部、第４側面部の順に連設され、糊代部が第４側面部の第３側面部側とは反対側の端部領域に接着され、箱体を箱状に組み立てた状態では、互いに隣接する側面部が略直角をなす側面構成部（５）と、第１側面部の上辺から水平方向の折れ線を介して第１側面部に対して折り返して連設された第１内側側面部（１２０）と、第３側面部の上辺から水平方向の折れ線を介して第３側面部に対して折り返して連設された第２内側側面部（１３０）と、第４側面部の上辺から水平方向の折れ線を介して第４側面部に対して折り返して連設された第３内側側面部（１４０）と、第１内側側面部の側辺で第１側面部と第２側面部間の角部側の側辺である第１側辺から連設された第１補強部（１６０）で、該第１側辺から第１折れ線（Ｃ１１）を介して連設された第１補強板部（１６２）と、第１補強板部の該第１側辺側とは反対側の辺部から第１折れ線と平行な第２折れ線（Ｃ１２）を介して連設された第２補強板部（１６４）と、第２補強板部の第１補強板部側とは反対側の辺部から第１折れ線と平行な第３折れ線（Ｃ１３）を介して連設された第１補強部糊代部（１６６）とを有し、第１折れ線と第２折れ線間の長さに第２折れ線と第３折れ線間の長さを加算した長さ（Ｌ１６０）が、第１折れ線と第３側面部と第４側面部間の折れ線（Ｃ３）との間の水平方向の長さである第１長さ（Ｌ２１）よりも長く形成され、第１折れ線と第２折れ線間の長さ（Ｌ１６２）が第１長さよりも短く形成され、第１補強部糊代部は、第２側面部の内側の面に接着された第１補強部（１６０）と、第２内側側面部と第３内側側面部の一方の側辺で第３側面部と第４側面部間の角部側の側辺である第２側辺から連設された第２補強部（１８０）で、該第２側辺から第４折れ線（Ｃ１６）を介して連設された第３補強板部（１８２）と、第３補強板部の該第２側辺側とは反対側の辺部から第４折れ線と平行な第５折れ線（Ｃ１７）を介して連設された第４補強板部（１８４）と、第４補強板部の第３補強板部側とは反対側の辺部から第４折れ線と平行な第６折れ線（Ｃ１８）を介して連設された第２補強部糊代部（１８６）とを有し、第４折れ線と第５折れ線間の長さに第５折れ線と第６折れ線間の長さを加算した長さ（Ｌ１８０）が、第４折れ線と第３側面部と第４側面部間の折れ線（Ｃ１）との間の水平方向の長さである第２長さ（Ｌ３０、Ｌ４１）よりも長く形成され、第４折れ線と第５折れ線間の長さ（Ｌ１８２）が第２長さよりも短く形成され、第２補強部糊代部は、第３側面部と第４側面部の２つの側面部において第３内側側面部と第４内側側面部の他方が連設された側面部の内側の面に接着された第２補強部（１８０）と、第１内側側面部と第３内側側面部の一方の側辺で第１側面部と第４側面部間の角部側の側辺である第３側辺から連設された第１補強片部で、第３側辺側の端部である基端から先端までの長さ（Ｌ１７０）が、第３側辺と第１側面部と第４側面部間の境界線との間の水平方向の長さ（Ｌ２０、Ｌ４０）よりも長く形成された第１補強片部（１７０）と、第２内側側面部の側辺で第２側面部と第３側面部間の角部側の側辺である第４側辺から連設された第２補強片部で、第４側辺側の端部である基端から先端までの長さ（Ｌ１６８）が、第４側辺と第２側面部と第３側面部間の折れ線との間の水平方向の長さ（Ｌ３１）よりも長く形成された第２補強片部（１６８）と、を有し、箱体が、シート状のブランクにより形成され、第１側面部と第２側面部間の折れ線を介して第１側面部を第２側面部に対して折り返すとともに、第３側面部と第４側面部間の折れ線を介して第４側面部を第３側面部に対して折り返した状態として側面構成部を折り畳んだ場合には、第１補強部は、第２折れ線を介して折り返した状態となり、第２補強部は、第５折れ線を介して折り返した状態となり、側面構成部を筒状に広げていくことにより、第１補強部における第１補強板部と第２補強板部間の角度が大きくなっていき、第１補強板部と第２補強板部が第１側面部と第２側面部間の角部に対して内側に迫り出した状態となり、第２補強部における第３補強板部と第４補強板部間の角度が大きくなっていき、第３補強板部と第４補強板部が第３側面部と第４側面部間の角部に対して内側に迫り出した状態となり、第１補強片部が、第１特定側面部に対して傾斜していくことにより、第１側面部と第４側面部間の角部に対して内側に迫り出した状態となり、第２補強片部が、第２特定側面部に対して傾斜していくことにより、第２側面部と第３側面部間の角部に対して内側に迫り出した状態となることを特徴とする箱体。」としてもよい。
【００４２】
第１−６の構成の箱体によれば、側面構成部を筒状に組み立てることにより、第１補強部と第２補強部と第１補強片部と第２補強片部とが側面構成部の角部から内側に迫り出した状態となるので、箱体の角部の内側を補強するための部材を別途組み立てる必要がなく、箱体の角部の内側を補強するための部材を容易に箱体の角部に設けることができる。
【００４３】
また、第１補強部と第２補強部と第１補強片部と第２補強片部とが側面構成部の角部から内側に迫り出した状態となるので、箱体の４つの角部が補強され、箱体全体の剛性を高めることができ、特に、上下方向からの圧縮強度を高めることができる。
【００４４】
なお、上記第１−６の構成において、側面構成部を筒状に広げていくことにより、第１補強片部の先端が、第１補強片部が第１内側側面部から連設された場合には、第４側面部の内側の面、又は、第４側面部に接着された糊代部の内側の面に接することによって、第１補強片部が第１内側側面部に対して傾斜していき、第１補強片部が第３内側側面部から連設された場合には、第１側面部の内側の面に接することによって、第１補強片部が第３内側側面部に対して傾斜していき、また、第２補強片部の先端が、第２側面部の内側の面に接することによって、第２補強片部が第２内側側面部に対して傾斜していくことを特徴とするものとしてもよい。
【００４５】
また、上記第１−６の構成において、「第１内側側面部の側辺で第１側面部と第２側面部間の角部側の側辺である第１側辺」を「第１内側側面部の側辺で第１側面部と第２側面部間の角部側の側辺であり、第１側面部の上辺に対して直角をなす第１側辺」としてもよく、「第３内側側面部と第４内側側面部の一方の側辺で第３側面部と第４側面部間の角部側の側辺である第２側辺」を「第３内側側面部と第４内側側面部の一方の側辺で第３側面部と第４側面部間の角部側の側辺であり、第３側面部と第４側面部の２つの側面部において第３内側側面部と第４内側側面部の一方が連設された側面部の上辺に対して直角をなす第２側辺」としてもよく、「第１内側側面部と第３内側側面部の一方の側辺で第１側面部と第４側面部間の角部側の側辺である第３側辺」を「第１内側側面部と第３内側側面部の一方の側辺で第１側面部と第４側面部間の角部側の側辺であり、第１側面部と第４側面部の２つの側面部において第１内側側面部と第３内側側面部の一方が連設された側面部の上辺に対して直角をなす第３側辺」としてもよく、「第２内側側面部の側辺で第２側面部と第３側面部間の角部側の側辺である第４側辺」を「第２内側側面部の側辺で第２側面部と第３側面部間の角部側の側辺であり、第３側面部の上辺に対して直角をなす第４側辺」としてもよい。
【００４６】
また、第１−７の構成として、以下の構成としてもよい。すなわち、「箱体であって、底面部（５０）と、底面部の各辺から立設した側面構成部で、糊代部（４９）と第１側面部（２０）と第２側面部（１０）と第３側面部（３０）と第４側面部（４０）とを有し、糊代部、第１側面部、第２側面部、第３側面部、第４側面部の順に連設され、糊代部が第４側面部の第３側面部側とは反対側の端部領域に接着され、箱体を箱状に組み立てた状態では、互いに隣接する側面部が略直角をなす側面構成部（５）と、第１側面部の上辺から水平方向の折れ線を介して第１側面部に対して折り返して連設された第１内側側面部（１２０）と、第２側面部の上辺から水平方向の折れ線を介して第２側面部に対して折り返して連設された第２内側側面部（１１０）と、第３側面部の上辺から水平方向の折れ線を介して第３側面部に対して折り返して連設された第３内側側面部（１３０）と、第４側面部の上辺から水平方向の折れ線を介して第４側面部に対して折り返して連設された第４内側側面部（１４０）と、第１内側側面部と第２内側側面部の一方の側辺で第１側面部と第２側面部間の角部側の側辺である第１側辺から連設された第１補強部（１６０）で、該第１側辺から第１折れ線（Ｃ１１）を介して連設された第１補強板部（１６２）と、第１補強板部の該第１側辺側とは反対側の辺部から第１折れ線と平行な第２折れ線（Ｃ１２）を介して連設された第２補強板部（１６４）と、第２補強板部の第１補強板部側とは反対側の辺部から第１折れ線と平行な第３折れ線（Ｃ１３）を介して連設された第１補強部糊代部（１６６）とを有し、第１折れ線と第２折れ線間の長さに第２折れ線と第３折れ線間の長さを加算した長さ（Ｌ１６０）が、第１折れ線と第３側面部と第４側面部間の折れ線（Ｃ３）との間の水平方向の長さである第１長さ（Ｌ１０、Ｌ２１）よりも長く形成され、第１折れ線と第２折れ線間の長さ（Ｌ１６２）が第１長さよりも短く形成され、第１補強部糊代部は、第１側面部と第２側面部の２つの側面部において第１内側側面部と第２内側側面部の他方が連設された側面部の内側の面に接着された第１補強部（１６０）と、第３内側側面部と第４内側側面部の一方の側辺で第３側面部と第４側面部間の角部側の側辺である第２側辺から連設された第２補強部（１８０）で、該第２側辺から第４折れ線（Ｃ１６）を介して連設された第３補強板部（１８２）と、第３補強板部の該第２側辺側とは反対側の辺部から第４折れ線と平行な第５折れ線（Ｃ１７）を介して連設された第４補強板部（１８４）と、第４補強板部の第３補強板部側とは反対側の辺部から第４折れ線と平行な第６折れ線（Ｃ１８）を介して連設された第２補強部糊代部（１８６）とを有し、第４折れ線と第５折れ線間の長さに第５折れ線と第６折れ線間の長さを加算した長さ（Ｌ１８０）が、第４折れ線と第３側面部と第４側面部間の折れ線（Ｃ１）との間の水平方向の長さである第２長さ（Ｌ３０、Ｌ４１）よりも長く形成され、第４折れ線と第５折れ線間の長さ（Ｌ１８２）が第２長さよりも短く形成され、第２補強部糊代部は、第３側面部と第４側面部の２つの側面部において第３内側側面部と第４内側側面部の他方が連設された側面部の内側の面に接着された第２補強部（１８０）と、第１内側側面部と第４内側側面部の一方の側辺で第１側面部と第４側面部間の角部側の側辺である第３側辺から連設された第１補強片部で、第３側辺側の端部である基端から先端までの長さ（Ｌ１７０）が、第３側辺と第１側面部と第４側面部間の境界線との間の水平方向の長さ（Ｌ２０、Ｌ４０）よりも長く形成された第１補強片部（１７０）と、第２内側側面部と第３内側側面部の一方の側辺で第２側面部と第３側面部間の角部側の側辺である第４側辺から連設された第２補強片部で、第４側辺側の端部である基端から先端までの長さ（Ｌ１６８）が、第４側辺と第２側面部と第３側面部間の折れ線との間の水平方向の長さ（Ｌ１３、Ｌ３１）よりも長く形成された第２補強片部（１６８）と、を有し、箱体が、シート状のブランクにより形成され、第１側面部と第２側面部間の折れ線を介して第１側面部を第２側面部に対して折り返すとともに、第３側面部と第４側面部間の折れ線を介して第４側面部を第３側面部に対して折り返した状態として側面構成部を折り畳んだ場合には、第１補強部は、第２折れ線を介して折り返した状態となり、第２補強部は、第５折れ線を介して折り返した状態となり、側面構成部を筒状に広げていくことにより、第１補強部における第１補強板部と第２補強板部間の角度が大きくなっていき、第１補強板部と第２補強板部が第１側面部と第２側面部間の角部に対して内側に迫り出した状態となり、第２補強部における第３補強板部と第４補強板部間の角度が大きくなっていき、第３補強板部と第４補強板部が第３側面部と第４側面部間の角部に対して内側に迫り出した状態となり、第１補強片部が、第１特定側面部に対して傾斜していくことにより、第１側面部と第４側面部間の角部に対して内側に迫り出した状態となり、第２補強片部が、第２特定側面部に対して傾斜していくことにより、第２側面部と第３側面部間の角部に対して内側に迫り出した状態となることを特徴とする箱体。」としてもよい。
【００４７】
第１−７の構成の箱体によれば、側面構成部を筒状に組み立てることにより、第１補強部と第２補強部と第１補強片部と第２補強片部とが側面構成部の角部から内側に迫り出した状態となるので、箱体の角部の内側を補強するための部材を別途組み立てる必要がなく、箱体の角部の内側を補強するための部材を容易に箱体の角部に設けることができる。
【００４８】
また、第１補強部と第２補強部と第１補強片部と第２補強片部とが側面構成部の角部から内側に迫り出した状態となるので、箱体の４つの角部が補強され、箱体全体の剛性を高めることができ、特に、上下方向からの圧縮強度を高めることができる。
【００４９】
なお、上記第１−７の構成において、側面構成部を筒状に広げていくことにより、第１補強片部の先端が、第１補強片部が第１内側側面部から連設された場合には、第４側面部の内側の面、又は、第４側面部に接着された糊代部の内側の面に接することによって、第１補強片部が第１内側側面部に対して傾斜していき、第１補強片部が第４内側側面部から連設された場合には、第１側面部の内側の面に接することによって、第１補強片部が第４内側側面部に対して傾斜していき、また、第２補強片部の先端が、第２側面部と第３側面部のうち第２内側側面部と第３内側側面部の他方が連設された側面部の内側の面に接することによって、第２補強片部が第２内側側面部と第３内側側面部の一方に対して傾斜していくことを特徴とするものとしてもよい。
【００５０】
また、上記第１−７の構成において、「第１内側側面部と第２内側側面部の一方の側辺で第１側面部と第２側面部間の角部側の側辺である第１側辺」を「第１内側側面部と第２内側側面部の一方の側辺で第１側面部と第２側面部間の角部側の側辺であり、第１側面部と第２側面部の２つの側面部において第１内側側面部と第２内側側面部の一方が連設された側面部の上辺に対して直角をなす第１側辺」としてもよく、「第３内側側面部と第４内側側面部の一方の側辺で第３側面部と第４側面部間の角部側の側辺である第２側辺」を「第３内側側面部と第４内側側面部の一方の側辺で第３側面部と第４側面部間の角部側の側辺であり、第３側面部と第４側面部の２つの側面部において第３内側側面部と第４内側側面部の一方が連設された側面部の上辺に対して直角をなす第２側辺」としてもよく、「第１内側側面部と第４内側側面部の一方の側辺で第１側面部と第４側面部間の角部側の側辺である第３側辺」を「第１内側側面部と第４内側側面部の一方の側辺で第１側面部と第４側面部間の角部側の側辺であり、第１側面部と第４側面部の２つの側面部において第１内側側面部と第４内側側面部の一方が連設された側面部の上辺に対して直角をなす第３側辺」としてもよく、「第２内側側面部と第３内側側面部の一方の側辺で第２側面部と第３側面部間の角部側の側辺である第４側辺」を「第２内側側面部と第３内側側面部の一方の側辺で第２側面部と第３側面部間の角部側の側辺であり、第２側面部と第３側面部の２つの側面部において第２内側側面部と第３内側側面部の一方が連設された側面部の上辺に対して直角をなする第４側辺」としてもよい。
【００５１】
また、第３には、上記第１又は第２の構成において、第２側面部の上辺の高さ位置と第３側面部の上辺の高さ位置と第４側面部の上辺の高さ位置とは、第１側面部の上辺の高さ位置と略同一の高さに形成され、第１補強板部の上端の高さ位置と、第２補強板部の上端の高さ位置と、第３補強板部の上端の高さ位置と、第４補強板部の上端の高さ位置と、第１補強片部の上端の高さ位置と、第２補強片部の上端の高さ位置とは、第１側面部の上辺の高さ位置と略同一の高さに形成されていることを特徴とする。
【００５２】
よって、箱体に被収納物を収納した状態で、２つの箱体を安定して積み重ねることができる。
【００５３】
また、第４には、包装箱であって、内箱部（Ａ）と外箱部（Ｂ）とを有し、内箱部が、底面部（５０）と、底面部の各辺から立設した内側スリーブ状部で、内箱部糊代部（４９）と第１内箱部側面部（２０）と第２内箱部側面部（１０）と第３内箱部側面部（３０）と第４内箱部側面部（４０）とを有し、内箱部糊代部、第１内箱部側面部、第２内箱部側面部、第３内箱部側面部、第４内箱部側面部の順に連設され、内箱部糊代部が第４内箱部側面部の第３内箱部側面部側とは反対側の端部領域に接着され、内箱部を箱状に組み立てた状態では、互いに隣接する側面部が略直角をなす内側スリーブ状部（５）と、第１内箱部側面部と第２内箱部側面部と第３内箱部側面部と第４内箱部側面部の４つの内箱部側面部のうちの少なくとも２つの内箱部側面部の上辺から水平方向の折れ線を介して該側面部に対して折り返して連設された内側側面部を有する内側側面部群（１０５）と、内側側面部群における１つの内側側面部である第１内側側面部が第１内箱部側面部と第２内箱部側面部の一方から連設され、該第１内側側面部の側辺で第１内箱部側面部と第２内箱部側面部間の角部側の側辺である第１側辺から連設された第１補強部（１６０）で、該第１側辺から第１折れ線（Ｃ１１）を介して連設された第１補強板部（１６２）と、第１補強板部の該第１側辺側とは反対側の辺部から第１折れ線と平行な第２折れ線（Ｃ１２）を介して連設された第２補強板部（１６４）と、第２補強板部の第１補強板部側とは反対側の辺部から第１折れ線と平行な第３折れ線（Ｃ１３）を介して連設された第１補強部糊代部（１６６）とを有し、第１折れ線と第２折れ線間の長さに第２折れ線と第３折れ線間の長さを加算した長さ（Ｌ１６０）が、第１折れ線と第３内箱部側面部と第４内箱部側面部間の折れ線（Ｃ３）との間の水平方向の長さである第１長さ（Ｌ１０、Ｌ２１）よりも長く形成され、第１折れ線と第２折れ線間の長さ（Ｌ１６２）が第１長さよりも短く形成され、第１補強部糊代部は、第１内箱部側面部と第２内箱部側面部の他方の内側の面に接着された第１補強部（１６０）と、内側側面部群における他の１つの内側側面部である第２内側側面部が第３内箱部側面部と第４内箱部側面部の一方から連設され、該第２内側側面部の側辺で第３内箱部側面部と第４内箱部側面部間の角部側の側辺である第２側辺から連設された第２補強部（１８０）で、該第２側辺から第４折れ線（Ｃ１６）を介して連設された第３補強板部（１８２）と、第３補強板部の該第２側辺側とは反対側の辺部から第４折れ線と平行な第５折れ線（Ｃ１７）を介して連設された第４補強板部（１８４）と、第４補強板部の第３補強板部側とは反対側の辺部から第４折れ線と平行な第６折れ線（Ｃ１８）を介して連設された第２補強部糊代部（１８６）とを有し、第４折れ線と第５折れ線間の長さに第５折れ線と第６折れ線間の長さを加算した長さ（Ｌ１８０）が、第４折れ線と第３内箱部側面部と第４内箱部側面部間の折れ線（Ｃ１）との間の水平方向の長さである第２長さ（Ｌ３０、Ｌ４１）よりも長く形成され、第４折れ線と第５折れ線間の長さ（Ｌ１８２）が第２長さよりも短く形成され、第２補強部糊代部は、第３内箱部側面部と第４内箱部側面部の他方の内側の面に接着された第２補強部（１８０）と、第１内側側面部が第１内箱部側面部から連設された場合の第１内側側面部と、第２内側側面部が第４内箱部側面部から連設された場合の第２内側側面部（１４０）と、第１内側側面部が第２内箱部側面部から連設された場合に第１内箱部側面部から連設された他の１つの内側側面部である第３内側側面部（１２０）とのいずれかである第１特定側面部の側辺で第１内箱部側面部と第４内箱部側面部間の角部側の側辺である第３側辺から連設された第１補強片部で、第３側辺側の端部である基端から先端までの長さが、第３側辺と第１内箱部側面部と第４内箱部側面部間の境界線との間の水平方向の長さ（Ｌ２０、Ｌ４０）よりも長く形成された第１補強片部（１７０）と、第１内側側面部が第２内箱部側面部から連設された場合の第１内側側面部（１１０）と、第２内側側面部が第３内箱部側面部から連設された場合の第２内側側面部（１３０）と、第１内側側面部が第１内箱部側面部から連設された場合に第２内箱部側面部から連設された他の１つの内側側面部である第４内側側面部と、第２内側側面部が第４内箱部側面部から連設された場合に第３内箱部側面部から連設された他の１つの内側側面部である第５内側側面部ののいずれかである第２特定側面部の側辺で第２内箱部側面部と第３内箱部側面部間の角部側の側辺である第４側辺から連設された第２補強片部で、第４側辺側の端部である基端から先端までの長さが、第４側辺と第２内箱部側面部と第３内箱部側面部間の折れ線との間の水平方向の長さ（Ｌ１３、Ｌ３１）よりも長く形成された第２補強片部（１６８）と、を有し、第１内箱部側面部と第２内箱部側面部と第３内箱部側面部と第４内箱部側面部とにおける２つの内箱部側面部において、内箱部側面部の一部が分離部（２４、３４）として内箱部側面部における分離部以外の部分である内箱部側面部本体部と切目線を介して分離可能に形成され、外箱部が、内箱部の外側の面に沿って設けられた外側スリーブ状部で、第１内箱部側面部の外側の面に沿って形成された第１外箱部側面部（２２０）と、第２内箱部側面部の外側の面に沿って形成された第２外箱部側面部（２１０）と、第３内箱部側面部の外側の面に沿って形成された第３外箱部側面部（２３０）と、第４内箱部側面部の外側の面に沿って形成された第４外箱部側面部（２４０）とを有し、外箱部を箱状に組み立てた状態では、互いに隣接する側面部が略直角をなす外側スリーブ状部（２０５）と、外側スリーブ状部の上端から折れ線を介して連設された蓋部と、を有し、内箱部と外箱部とが、それぞれシート状のブランクにより形成され、第１外箱部側面部と第２外箱部側面部間の折れ線を介して第１外箱部側面部を第２外箱部側面部に対して折り返すとともに、第３外箱部側面部と第４外箱部側面部間の折れ線を介して第４外箱部側面部を第３外箱部側面部に対して折り返した状態として外側スリーブ状部を折り畳んだ状態とするとともに、第１内箱部側面部と第２内箱部側面部間の折れ線を介して第１内箱部側面部を第２内箱部側面部に対して折り返すとともに、第３内箱部側面部と第４内箱部側面部間の折れ線を介して第４内箱部側面部を第３内箱部側面部に対して折り返した状態として内側スリーブ状部を折り畳んだ状態として、包装箱を折り畳んだ場合には、第１補強部は、第２折れ線を介して折り返した状態となり、第２補強部は、第５折れ線を介して折り返した状態となり、外側スリーブ状部と内側スリーブ状部を筒状に広げていくことにより、第１補強部における第１補強板部と第２補強板部間の角度が大きくなっていき、第１補強板部と第２補強板部が第１内箱部側面部と第２内箱部側面部間の角部に対して内側に迫り出した状態となり、第２補強部における第３補強板部と第４補強板部間の角度が大きくなっていき、第３補強板部と第４補強板部が第３内箱部側面部と第４内箱部側面部間の角部に対して内側に迫り出した状態となり、第１補強片部が、第１特定側面部に対して傾斜していくことにより、第１内箱部側面部と第４内箱部側面部間の角部に対して内側に迫り出した状態となり、第２補強片部が、第２特定側面部に対して傾斜していくことにより、第２内箱部側面部と第３内箱部側面部間の角部に対して内側に迫り出した状態となり、内箱部における分離部が設けられた内箱部側面部である分離部形成内箱部側面部に対応した外箱部側面部に分離部が接着され、外箱部側面部における分離部が接着された領域を含む片部である回動片部（２２４、２３４）が分離部が接着された外箱部側面部の他の部分に対して回動可能に形成され、回動片部を外側に回動させることにより分離部と内箱部側面部本体部間の切目線が切断されて分離部が回動片部に接着した状態で内箱部から分離することを特徴とする。
【００５４】
第４の構成の包装箱においては、外側スリーブ状部と内側スリーブ状部を筒状に広げることにより、第１補強部と第２補強部と第１補強片部と第２補強片部とが側面構成部の角部から内側に迫り出した状態となるので、箱体の角部の内側を補強するための部材を別途組み立てる必要がなく、箱体の角部の内側を補強するための部材を容易に箱体の角部に設けることができる。
【００５５】
また、第１補強部と第２補強部と第１補強片部と第２補強片部とが側面構成部の角部から内側に迫り出した状態となるので、箱体の４つの角部が補強され、箱体全体の剛性を高めることができ、特に、上下方向からの圧縮強度を高めることができる。
【００５６】
また、組み立てた状態の包装箱に上方から被収納物である商品を収納して、蓋部を閉じて封止するのみであるので、容易に商品の梱包作業を行うことができ、また、回動片部を外側に回動させて、分離部を内箱部から分離して外箱部を上方に引き上げるのみで陳列することができるので、商品の陳列作業を容易に行なうことができる。
【００５７】
なお、上記第４の構成において、「該第１内側側面部の側辺で第１内箱部側面部と第２内箱部側面部間の角部側の側辺である第１側辺」を「該第１内側側面部の側辺で第１内箱部側面部と第２内箱部側面部間の角部側の側辺で、第１内箱部側面部と第２内箱部側面部と第３内箱部側面部と第４内箱部側面部の４つの内箱部側面部において第１内側側面部が連設された内箱部側面部の上辺に対して直角をなす第１側辺」としてもよく、「該第２内側側面部の側辺で第３内箱部側面部と第４内箱部側面部間の角部側の側辺である第２側辺」を「該第２内側側面部の側辺で第３内箱部側面部と第４内箱部側面部間の角部側の側辺で、第１内箱部側面部と第２内箱部側面部と第３内箱部側面部と第４内箱部側面部の４つの側面部において第２内側側面部が連設された内箱部側面部の上辺に対して直角をなす第２側辺」としてもよく、「第１特定側面部の側辺で第１内箱部側面部と第４内箱部側面部間の角部側の側辺である第３側辺」を「第１特定側面部の側辺で第１内箱部側面部と第４内箱部側面部間の角部側の側辺で、第１内箱部側面部と第２内箱部側面部と第３内箱部側面部と第４内箱部側面部の４つの側面部において第１特定側面部が連設された内箱部側面部の上辺に対して直角をなす第３側辺」としてもよく、「第２特定側面部の側辺で第２内箱部側面部と第３内箱部側面部間の角部側の側辺である第４側辺」を「第２特定側面部の側辺で第２内箱部側面部と第３内箱部側面部間の角部側の側辺で、第１内箱部側面部と第２内箱部側面部と第３内箱部側面部と第４内箱部側面部の４つの側面部において第２特定側面部が連設された内箱部側面部の上辺に対して直角をなす第４側辺」としてもよい。
【００５８】
なお、上記第４の構成において、内側部の構成を上記第１−１の構成から第１−７の構成までにおける箱体の構成としてもよい。その場合には、「側面構成部」は、「内側スリーブ状部」となる。
【００５９】
また、第５には、上記第４の構成において、内側スリーブ状部を筒状に広げていくことにより、第１補強片部の先端が、第４内箱部側面部と第１内箱部側面部のうち第１特定側面部が連設されていない内箱部側面部の内側の面、又は、第１特定側面部が第１内箱部側面部から連設されている場合に第４内箱部側面部に接着された内箱部糊代部の内側の面に接することによって、第１補強片部が第１特定側面部に対して傾斜していき、第２補強片部の先端が、第２内箱部側面部と第３内箱部側面部のうち第２特定側面部が連設されていない内箱部側面部の内側の面に接することによって、第２補強片部が第２特定側面部に対して傾斜していくことを特徴とする。
【００６０】
また、第６には、包装箱であって、内箱部（Ａ）と外箱部（Ｂ）とを有し、内箱部が、底面部（５０）と、底面部の各辺から立設した内側スリーブ状部で、内箱部糊代部（４９）と第１内箱部側面部（２０）と第２内箱部側面部（１０）と第３内箱部側面部（３０）と第４内箱部側面部（４０）とを有し、内箱部糊代部、第１内箱部側面部、第２内箱部側面部、第３内箱部側面部、第４内箱部側面部の順に連設されるか、又は、第１内箱部側面部、第２内箱部側面部、第３内箱部側面部、第４内箱部側面部、内箱部糊代部の順に連設され、内箱部糊代部が、内箱部糊代部が第１内箱部側面部から連設された場合には、第４内箱部側面部の第３内箱部側面部側とは反対側の端部領域に接着され、内箱部糊代部が第４内箱部側面部から連設された場合には、第１内箱部側面部の第２内箱部側面部側とは反対側の端部領域に接着され、内箱部を箱状に組み立てた状態では、互いに隣接する側面部が略直角をなす内側スリーブ状部（５）と、第１内箱部側面部の上辺から水平方向の折れ線を介して第１内箱部側面部に対して折り返して連設された第１内側側面部（１２０）と、第２内箱部側面部の上辺から水平方向の折れ線を介して第２内箱部側面部に対して折り返して連設された第２内側側面部（１１０）と、第３内箱部側面部の上辺から水平方向の折れ線を介して第３内箱部側面部に対して折り返して連設された第３内側側面部（１３０）と、第１内側側面部と第２内側側面部の一方の側辺で第１内箱部側面部と第２内箱部側面部間の角部側の側辺である第１側辺から連設された第１補強部（１６０）で、該第１側辺から第１折れ線（Ｃ１１）を介して連設された第１補強板部（１６２）と、第１補強板部の該第１側辺側とは反対側の辺部から第１折れ線と平行な第２折れ線（Ｃ１２）を介して連設された第２補強板部（１６４）と、第２補強板部の第１補強板部側とは反対側の辺部から第１折れ線と平行な第３折れ線（Ｃ１３）を介して連設された第１補強部糊代部（１６６）とを有し、第１折れ線と第２折れ線間の長さに第２折れ線と第３折れ線間の長さを加算した長さ（Ｌ１６０）が、第１折れ線と第３内箱部側面部と第４内箱部側面部間の折れ線（Ｃ３）との間の水平方向の長さである第１長さ（Ｌ１０、Ｌ２１）よりも長く形成され、第１折れ線と第２折れ線間の長さ（Ｌ１６２）が第１長さよりも短く形成され、第１補強部糊代部は、第１内箱部側面部と第２内箱部側面部の２つの側面部において第１内側側面部と第２内側側面部の他方が連設された側面部の内側の面に接着された第１補強部（１６０）と、第３内側側面部の側辺で第３内箱部側面部と第４内箱部側面部間の角部側の側辺である第２側辺から連設された第２補強部（１８０）で、該第２側辺から第４折れ線（Ｃ１６）を介して連設された第３補強板部（１８２）と、第３補強板部の該第２側辺側とは反対側の辺部から第４折れ線と平行な第５折れ線（Ｃ１７）を介して連設された第４補強板部（１８４）と、第４補強板部の第３補強板部側とは反対側の辺部から第４折れ線と平行な第６折れ線（Ｃ１８）を介して連設された第２補強部糊代部（１８６）とを有し、第４折れ線と第５折れ線間の長さに第５折れ線と第６折れ線間の長さを加算した長さ（Ｌ１８０）が、第４折れ線と第３内箱部側面部と第４内箱部側面部間の折れ線（Ｃ１）との間の水平方向の長さである第２長さ（Ｌ３０）よりも長く形成され、第４折れ線と第５折れ線間の長さ（Ｌ１８２）が第２長さよりも短く形成され、第２補強部糊代部は、第４内箱部側面部の内側の面に接着された第２補強部（１８０）と、第１内側側面部の側辺で第１内箱部側面部と第４内箱部側面部間の角部側の側辺である第３側辺から連設された第１補強片部で、第３側辺側の端部である基端から先端までの長さ（Ｌ１７０）が、第３側辺と第１内箱部側面部と第４内箱部側面部間の境界線との間の水平方向の長さ（Ｌ２０）よりも長く形成された第１補強片部（１７０）と、第２内側側面部と第３内側側面部の一方の側辺で第２内箱部側面部と第３内箱部側面部間の角部側の側辺である第４側辺から連設された第２補強片部で、第４側辺側の端部である基端から先端までの長さ（Ｌ１６８）が、第４側辺と第２内箱部側面部と第３内箱部側面部間の折れ線との間の水平方向の長さ（Ｌ１３、Ｌ３１）よりも長く形成された第２補強片部（１６８）と、を有し、第１内箱部側面部と第２内箱部側面部と第３内箱部側面部と第４内箱部側面部とにおける２つの内箱部側面部において、内箱部側面部の一部が分離部（２４、３４）として内箱部側面部における分離部以外の部分である内箱部側面部本体部と切目線を介して分離可能に形成され、外箱部が、内箱部の外側の面に沿って設けられた外側スリーブ状部で、第１内箱部側面部の外側の面に沿って形成された第１外箱部側面部（２２０）と、第２内箱部側面部の外側の面に沿って形成された第２外箱部側面部（２１０）と、第３内箱部側面部の外側の面に沿って形成された第３外箱部側面部（２３０）と、第４内箱部側面部の外側の面に沿って形成された第４外箱部側面部（２４０）とを有し、外箱部を箱状に組み立てた状態では、互いに隣接する側面部が略直角をなす外側スリーブ状部（２０５）と、外側スリーブ状部の上端から折れ線を介して連設された蓋部と、を有し、内箱部と外箱部とが、それぞれシート状のブランクにより形成され、第１外箱部側面部と第２外箱部側面部間の折れ線を介して第１外箱部側面部を第２外箱部側面部に対して折り返すとともに、第３外箱部側面部と第４外箱部側面部間の折れ線を介して第４外箱部側面部を第３外箱部側面部に対して折り返した状態として外側スリーブ状部を折り畳んだ状態とするとともに、第１内箱部側面部と第２内箱部側面部間の折れ線を介して第１内箱部側面部を第２内箱部側面部に対して折り返すとともに、第３内箱部側面部と第４内箱部側面部間の折れ線を介して第４内箱部側面部を第３内箱部側面部に対して折り返した状態として内側スリーブ状部を折り畳んだ状態として、包装箱を折り畳んだ場合には、第１補強部は、第２折れ線を介して折り返した状態となり、第２補強部は、第５折れ線を介して折り返した状態となり、外側スリーブ状部と内側スリーブ状部を筒状に広げていくことにより、第１補強部における第１補強板部と第２補強板部間の角度が大きくなっていき、第１補強板部と第２補強板部が第１内箱部側面部と第２内箱部側面部間の角部に対して内側に迫り出した状態となり、第２補強部における第３補強板部と第４補強板部間の角度が大きくなっていき、第３補強板部と第４補強板部が第３内箱部側面部と第４内箱部側面部間の角部に対して内側に迫り出した状態となり、第１補強片部が、第１特定側面部に対して傾斜していくことにより、第１内箱部側面部と第４内箱部側面部間の角部に対して内側に迫り出した状態となり、第２補強片部が、第２特定側面部に対して傾斜していくことにより、第２内箱部側面部と第３内箱部側面部間の角部に対して内側に迫り出した状態となり、内箱部における分離部が設けられた内箱部側面部である分離部形成内箱部側面部に対応した外箱部側面部に分離部が接着され、外箱部側面部における分離部が接着された領域を含む片部である回動片部（２２４、２３４）が分離部が接着された外箱部側面部の他の部分に対して回動可能に形成され、回動片部を外側に回動させることにより分離部と内箱部側面部本体部間の切目線が切断されて分離部が回動片部に接着した状態で内箱部から分離することを特徴とする。
【００６１】
第６の構成の包装箱においては、外側スリーブ状部と内側スリーブ状部を筒状に広げることにより、第１補強部と第２補強部と第１補強片部と第２補強片部とが側面構成部の角部から内側に迫り出した状態となるので、箱体の角部の内側を補強するための部材を別途組み立てる必要がなく、箱体の角部の内側を補強するための部材を容易に箱体の角部に設けることができる。
【００６２】
また、第１補強部と第２補強部と第１補強片部と第２補強片部とが側面構成部の角部から内側に迫り出した状態となるので、箱体の４つの角部が補強され、箱体全体の剛性を高めることができ、特に、上下方向からの圧縮強度を高めることができる。
【００６３】
また、組み立てた状態の包装箱に上方から被収納物である商品を収納して、蓋部を閉じて封止するのみであるので、容易に商品の梱包作業を行うことができ、また、回動片部を外側に回動させて、分離部を内箱部から分離して外箱部を上方に引き上げるのみで陳列することができるので、商品の陳列作業を容易に行なうことができる。
【００６４】
また、第１内箱部側面部や第３内箱部側面部に分離部を形成するための切目線が形成されているが、第１内側側面部と第３内側側面部が設けられているので、内箱部の両側の側面を二重に構成でき、また、第２内箱部側面部に切目線を形成した場合でも第２内側側面部により内箱部の正面を二重に構成できるので、内箱部の剛性を高めることができる。
【００６５】
なお、上記第６の構成において、「第１内側側面部と第２内側側面部の一方の側辺で第１内箱部側面部と第２内箱部側面部間の角部側の側辺である第１側辺」を「第１内側側面部と第２内側側面部の一方の側辺で第１内箱部側面部と第２内箱部側面部間の角部側の側辺で、第１内側側面部と第２内側側面部の一方が連設された内箱部側面部の上辺に対して直角をなす第１側辺」としてもよく、「第３内側側面部の側辺で第３内箱部側面部と第４内箱部側面部間の角部側の側辺である第２側辺」を「第３内側側面部の側辺で第３内箱部側面部と第４内箱部側面部間の角部側の側辺で、第３内箱部側面部の上辺に対して直角をなす第２側辺」としてもよく、「第１内側側面部の側辺で第１内箱部側面部と第４内箱部側面部間の角部側の側辺である第３側辺」を「第１内側側面部の側辺で第１内箱部側面部と第４内箱部側面部間の角部側の側辺で、第１内箱部側面部の上辺に対して直角をなす第３側辺」としてもよく、「第２内側側面部と第３内側側面部の一方の側辺で第２内箱部側面部と第３内箱部側面部間の角部側の側辺である第４側辺」を「第２内側側面部と第３内側側面部の一方の側辺で第２内箱部側面部と第３内箱部側面部間の角部側の側辺で、第２内側側面部と第３内側側面部の一方が連設された内箱部側面部の上辺に対して直角をなす第４側辺」としてもよい。
【００６６】
また、第７には、上記第６の構成において、内側スリーブ状部をを筒状に広げていくことにより、第１補強片部の先端が、第４内箱部側面部の内側の面、又は、第４内箱部側面部に接着された内箱部糊代部の内側の面に接することによって、第１補強片部が第１内側側面部に対して傾斜していき、第２補強片部の先端が、第２内箱部側面部と第３内箱部側面部のうち第２内側側面部と第３内側側面部の他方が連設された内箱部側面部の内側の面に接することによって、第２補強片部が第２内側側面部と第３内側側面部の一方に対して傾斜していくことを特徴とする。
【００６７】
また、第８には、上記第６又は第７の構成において、分離部は、第１内箱部側面部と第３内箱部側面部に形成され、第２内箱部側面部に切欠部又は開口部を設けるための切目線が設けられ、第２内箱部側面部に設けられた該切目線を破断することにより、第２内箱部側面部に切欠部又は開口部が形成されることを特徴とする。これにより、内箱部の上方からのみならず、該切欠部又は開口部からも被収納物を取り出すことができる。
【００６８】
また、第９には、上記第６から第８までのいずれかの構成において、第１補強部は、第２内側側面部の側辺から連設されており、第２補強片部は、第２内側側面部の側辺から連設されており、分離部は、第１内箱部側面部と第３内箱部側面部に形成されていることを特徴とする。
【００６９】
よって、内箱部において、第２内箱部側面部を内箱部の正面側とすることにより、内箱部の正面側と右側面側と左側面側に内側側面部が設けられることになり、第２内箱部側面部と第３内箱部側面部に分離部のための切目線を設けることにより剛性が弱くなるおそれがあるのに対して第１内側側面部と第３内側側面部を設けることによりを剛性を高めることができ、また、正面部においては、被収納物を正面側から取り出しやすくするために正面部の一部を取り除くための切目線を設けた場合には、第２内箱部側面部の剛性が弱くなるおそれがあるが、第２内側側面部を設けることにより、剛性を高めることができる。
【００７０】
また、第１０には、上記第６から第９までのいずれかの構成において、分離部は、第１内箱部側面部と第３内箱部側面部に形成され、分離部が接着された外箱部側面部においては、回動片部の外周の一部に沿って切目線が形成され、回動片部の外周の一部に沿って形成された該切目線から連設された切目線により押込み片部（２２６、２３６）が回動片部に隣接して設けられ、第１内箱部側面部と第１内側側面部には、第１外箱部側面部の押込み片部の領域に対応した領域を含む領域に第１外箱部側面部の押込み片部の押し込んだ際に、該押込み片部の第１内箱部側面部と第１内側側面部への接触を防止するための開口部（２４ｂ、１２２）が設けられ、第３内箱部側面部と第３内側側面部には、第３外箱部側面部の押込み片部の領域に対応した領域を含む領域に第３外箱部側面部の押込み片部の押し込んだ際に、該押込み片部の第３内箱部側面部と第３内側側面部への接触を防止するための開口部（３４ｂ、１３２）が設けられていることを特徴とする。
【００７１】
よって、第１内箱部側面部と第１内側側面部には、開口部が設けられているので、押込み片部を内側に押し込んだ際に、第１内箱部側面部と第１内側側面部への接触を防止することができ、押込み片部の押込みに支障がない。また、第３内箱部側面部と第３内側側面部には、開口部が設けられているので、押込み片部を内側に押し込んだ際に、第３内箱部側面部と第３内側側面部への接触を防止することができ、押込み片部の押込みに支障がない。なお、押込み片部を設けることにより、回動片部を回動させる際に回動片部に指を掛止しやすくなる。
【００７２】
また、第１１には、上記第４から第１０までのいずれかの構成において、第２内箱部側面部の上辺の高さ位置と第３内箱部側面部の上辺の高さ位置と第４内箱部側面部の上辺の高さ位置とは、第１内箱部側面部の上辺の高さ位置と略同一の高さに形成され、第１補強板部の上端の高さ位置と、第２補強板部の上端の高さ位置と、第３補強板部の上端の高さ位置と、第４補強板部の上端の高さ位置と、第１補強片部の上端の高さ位置と、第２補強片部の上端の高さ位置とは、第１内箱部側面部の上辺の高さ位置と略同一の高さに形成されていることを特徴とする。
【００７３】
よって、内箱部に被収納物を収納した状態で、２つの内箱部を安定して積み重ねることができる。
【００７４】
また、第１２には、上記第４から第１１までのいずれかの構成において、内箱部の底面部が、第１内箱部側面部と第２内箱部側面部と第３内箱部側面部と第４内箱部側面部の４つの内箱部側面部における相対する２つの内箱部側面部の下辺から連設された底面本体部（５２、５８）と、該４つの内箱部側面部における他の相対する２つの内箱部側面部の下辺から連設されたフラップ部（５４、５６）とを有し、フラップ部を内側スリーブ状部に対して内側に折り曲げるととともに底面本体部を内側スリーブ状部に対して内側に折り曲げて底面本体部がフラップ部の下側となるようにして、２つの底面本体部の先端同士が当接又は近接して内箱部の底面が閉じた状態となり、外箱部において、第１外箱部側面部と第２外箱部側面部と第３外箱部側面部と第４外箱部側面部の４つの外箱部側面部におけるフラップ部が連設された内箱部側面部であるフラップ部連設側面部（２０、３０）に対応する外箱部側面部（１２０、１３０）の下端から、フラップ連設側面部の一方の下端領域と２つの底面本体部とフラップ連設側面部の他方の下端領域とに接着した接着テープ（Ｔ１）のフラップ連設側面部における接着領域を露出させるための切欠部（２２８、２３８）が形成されていることを特徴とする。
【００７５】
よって、底面部は、底面本体部とフラップ部とに構成された、いわゆるＡ式箱の底面部であるので、底面部が内側スリーブ状部の内側に入り込むことがなく、内側スリーブ状部の内側に設けられた各部と接触するのが防止され、底面部の組立てに支障がない。
【００７６】
また、フラップ部連設側面部に対応する外箱部側面部には、切欠部が設けられているので、底面部を組み立てる際に、接着テープをフラップ部連設側面部に接着させることができる。
【００７７】
なお、上記第１から第１２までの構成及び第１−１から第１−７までの構成において、第１折れ線と第２折れ線間の長さと第２折れ線と第３折れ線間の長さが略同一であり、第１長さが、第１折れ線と第２折れ線間の長さの略１．５倍であり、第４折れ線と第５折れ線間の長さと第５折れ線と第６折れ線間の長さが略同一であり、第２長さが、第４折れ線と第５折れ線間の長さの略１．５倍であるとしてもよい。
【発明の効果】
【００７８】
本発明に基づく箱体によれば、側面構成部を筒状に組み立てることにより、第１補強部と第２補強部と第１補強片部と第２補強片部とが側面構成部の角部から内側に迫り出した状態となるので、箱体の角部の内側を補強するための部材を別途組み立てる必要がなく、箱体の角部の内側を補強するための部材を容易に箱体の角部に設けることができる。また、第１補強部と第２補強部と第１補強片部と第２補強片部とが側面構成部の角部から内側に迫り出した状態となるので、箱体の４つの角部が補強され、箱体全体の剛性を高めることができ、特に、上下方向からの圧縮強度を高めることができる。
【００７９】
また、本発明に基づく包装箱によれば、外側スリーブ状部と内側スリーブ状部を筒状に広げることにより、第１補強部と第２補強部と第１補強片部と第２補強片部とが側面構成部の角部から内側に迫り出した状態となるので、箱体の角部の内側を補強するための部材を別途組み立てる必要がなく、箱体の角部の内側を補強するための部材を容易に箱体の角部に設けることができる。また、第１補強部と第２補強部と第１補強片部と第２補強片部とが側面構成部の角部から内側に迫り出した状態となるので、箱体の４つの角部が補強され、箱体全体の剛性を高めることができ、特に、上下方向からの圧縮強度を高めることができる。また、組み立てた状態の包装箱に上方から被収納物である商品を収納して、蓋部を閉じて封止するのみであるので、容易に商品の梱包作業を行うことができ、また、回動片部を外側に回動させて、分離部を内箱部から分離して外箱部を上方に引き上げるのみで陳列することができるので、商品の陳列作業を容易に行なうことができる。
【図面の簡単な説明】
【００８０】
【図１】包装箱の前方斜視図である。
【図２】包装箱の後方斜視図である。
【図３】包装箱の分解斜視図である。
【図４】包装箱の平面図である。
【図５】包装箱の底面図である。
【図６】包装箱の内箱部の構成を示す前方斜視図である。
【図７】包装箱の内箱部の構成を示す後方斜視図である。
【図８】包装箱における内箱部の展開図である。
【図９】図５の要部説明図である。
【図１０】包装箱における外箱部の展開図である。
【図１１】包装箱を折り畳んだ状態を示す正面図である。
【図１２】内箱部を折り畳んだ状態を示す平面図である。
【図１３】内箱部を筒状に広げる途中の状態を示す平面図である。
【図１４】内箱部を広げた状態を示す平面図である。
【図１５】包装箱の使用状態を示す斜視図である。
【図１６】包装箱の使用状態を示す斜視図である。
【図１７】包装箱の使用状態を示す斜視図である。
【図１８】包装箱の使用状態を示す斜視図である。
【図１９】包装箱の使用状態を示す斜視図である。
【図２０】包装箱の使用状態を示す斜視図である。
【図２１】包装箱の使用状態を示す斜視図である。
【図２２】内箱部の他の例を示す展開図である。
【図２３】図２２の要部説明図である。
【図２４】内箱部の他の例を示す展開図である。
【図２５】内箱部の他の例を示す展開図である。
【図２６】内箱部の他の例を示す展開図である。
【図２７】内箱部の他の例を示す展開図である。
【発明を実施するための形態】
【００８１】
本発明においては、箱体の角部の内側を補強するための部材を別途組み立てる必要がなく、箱体の角部の内側を補強するための部材を容易に箱体の角部に設けることができる箱体を提供するという目的を以下のようにして実現した。
【００８２】
本発明に基づく包装箱Ｐは、図１〜図９等に示すように構成され、内箱部Ａと、外箱部Ｂとを有していて、内箱部Ａと外箱部Ｂのそれぞれが１枚のシート状のブランク（具体的には段ボール（特に、両面段ボール）であり、厚紙等でもよい）により形成されている。なお、両面段ボールにおける中芯の段の方向は、図８、図１０に示す円内に示す方向（スリーブ状部５、２０５の下辺に対して直角の方向）である。なお、中芯の段の方向は他の方向でもよい。なお、本実施例において、切目線を構成する切込みは、ブランクの一方の面から他方の面まで貫通している。
【００８３】
内箱部（箱体）Ａは、全体に上部が開口した容器状を呈し、図８、図９に示すように、スリーブ状部（側面構成部）５と、底面部５０と、スリーブ状部５における正面部１０から連設された内側正面部１１０と、スリーブ状部５における側面部２０から連設された内側側面部１２０と、スリーブ状部５における側面部３０から連設された内側側面部１３０と、内側正面部１１０から連設された補強部１６０及び補強片部１６８と、内側側面部１２０から連設された補強片部１７０と、内側側面部１３０から連設された補強部１８０とを有していて、内箱部Ａの展開状態は、図８に示すように構成されている。内側正面部１１０と内側側面部１２０と内側側面部１３０とで内側側面部群１０５が構成される。
【００８４】
スリーブ状部５は、内箱部Ａの組立て状態では、底面部５０の周囲から立設して形成され、正面部１０と、側面部２０と、側面部３０と、背面部４０と、糊代部４９とを有している。内箱部Ａの組立て状態において、正面部１０と、側面部２０と、側面部３０と、背面部４０とは、底面部５０に対して直角（略直角としてもよい）をなす。スリーブ状部５においては、糊代部４９、側面部２０、正面部１０、側面部３０、背面部４０の順に連設されている。
【００８５】
ここで、正面部（第２側面部、第２内箱部側面部）１０は、全体に略方形状の外形を有し、方形状（横長長方形状）の右側面側の辺部に沿って縦長の開口部Ｋ１０による切欠きを形成した形状を呈している。この正面部１０には、略Ｕ字状の切目線Ｋ１１が形成され、切目線Ｋ１１は、正面部１０の上辺から上下方向に形成された直線状の切目線Ｋ１１ａと、切目線Ｋ１１ａの下端から右側面側に向けて円弧状に形成された切目線Ｋ１１ｂと、切目線Ｋ１１ｂの下端から右側面側に向けて左右方向に形成された切目線Ｋ１１ｃと、切目線Ｋ１１ｃの右側面側の端部から上側に向けて円弧状に形成された切目線Ｋ１１ｄと、切目線Ｋ１１ｄの上端から正面部１０の上辺に向けて上下方向に形成された切目線Ｋ１１ｅとを有し、切目線Ｋ１１ａと切目線Ｋ１１ｅとは互いに平行に形成され、切目線Ｋ１１ｃは、正面部１０の上辺や下辺と平行に形成されている。この切目線Ｋ１１により、正面部１０は、切目線Ｋ１１よりも外側の領域である正面部本体１２と、切目線Ｋ１１よりも内側の領域である切取り部１４に区画されている。切目線Ｋ１１は、正面部１０に切欠部１２Ｋを形成するための切目線である。なお、切目線Ｋ１１は、切目線の始点と終点が正面部１０の上辺に位置することにより、正面部１０の上側が開放された切欠部が形成されるが、正面部１０に周状の切目線を形成して正面部１０に開口部を形成してもよい。
【００８６】
また、切目線Ｋ１１ｃの左右方向における中央付近からは、半円状の切目線Ｋ１２が形成されていて、切取り部１４は、この切目線Ｋ１２を介して、切目線Ｋ１２により形成された半円状の抜取り部１６以外の領域である切取り部本体１５と、抜取り部１６に区画されている。
【００８７】
なお、開口部Ｋ１０が設けられていることにより、外箱部Ｂの角部（つまり、正面部２１０と側面部２２０間の角部）との干渉を弱めることができ、外箱部Ｂを内箱部Ａに対して上方に引き上げる際に、容易に引き上げることができる。
【００８８】
また、側面部（第１側面部、第１内箱部側面部）２０は、正面部１０の右側面側の辺部から折れ線Ｃ３を介して連設され、全体に略方形状の外形を有し、方形状の正面側の辺部に沿って開口部Ｋ１０による切欠きを形成した形状を呈している。この側面部２０は、本体部（内箱部側面部本体部）２２と、分離部２４とを有している。折れ線Ｃ３は、開口部Ｋ１０よりも下側の折れ線Ｃ３−１と開口部Ｋ１０よりも上側の折れ線Ｃ３−２とからなり、折れ線Ｃ３−１は、１本の折れ線により形成されているが（つまり、１本の罫線が形成されている）、折れ線Ｃ３−２は、二重の折れ線により形成され、正面部１０側の折れ線Ｃ３−２ａと側面部２０側の折れ線Ｃ３−２ｂとが間隔を介して互いに平行に形成されている（つまり、互いに平行な２本の罫線が形成されている）。なお、折れ線Ｃ３−２における２本の折れ線は、折れ線Ｃ３−１の上方への延長線に対して、等距離の位置にある。つまり、折れ線Ｃ３−２における２本の折れ線の一方と該延長線間の長さと該２本の折れ線の他方と該延長線間の長さは同一となっている。なお、折れ線Ｃ３−２は２本の折れ線により形成されているとしたが、１本の折れ線により形成してもよく、その場合には、折れ線Ｃ３−１の延長線上に形成され、図２２の折れ線Ｃ３のようになる。側面部２０には分離部２４が設けられているので、側面部２０は、「分離部形成内箱部側面部」となる。
【００８９】
また、分離部２４は、側面部２０に形成された切目線２４ａと開口部２４ｂにより区画された領域であり、切目線２４ａは、横方向に間隔を介して設けられた波形形状の切目線２４ａ−１、２４ａ−２（切目線２４ａ−１と切目線２４ａ−２とは互いに左右対称に形成されている）と、切目線２４ａ−１の下端と２４ａ−２の下端を結ぶ横方向（側面部２０の下辺と平行な方向）の直線状の切目線２４ａ−３とを有し、分離部２４は、上下方向における中央が窪んだ形状を呈している。また、開口部２４ｂは、横長の長方形状を呈し、開口部２４ｂにおける下側の一対の角部のうちの正面側の角部と切目線２４ａ−２が接続し、開口部２４ｂにおける下側の一対の角部のうちの背面側の角部と切目線２４ａ−１が接続している。切目線２４ａと開口部２４ｂにより囲まれた領域が分離部２４となる。本体部２２は、側面部２０において分離部２４を除いた領域である。分離部２４は、側面部２０における横方向の略中央位置で上下方向における略中央位置に形成されている。切目線２４ａ−１、２４ａ−２は、ミシン目状の切目線（間隔をおきながら連続して形成された複数の切込みにより形成された切目線）であり、切目線２４ａ−３は、連続した切込みからなる切目線である。つまり、切目線２４ａは、全体として、切断予定線である。
【００９０】
この分離部２４の形成位置は、外箱部Ｂの片部２２４の裏側の領域であり、分離部２４は片部２２４の裏側に接着され、片部２２４の上端を外側かつ下方に回動させることにより、分離部２４も片部２２４の裏側に接着したまま切目線２４ａが切断されて、分離部２４が本体部２２から分離するように形成されている。分離部２４は、片部２２４よりも小さく形成されていて、側面視において、分離部２４の外形が片部２２４の外形よりもはみ出すことがない（図１１参照）。なお、切目線２４ａ−１、２４ａ−２は波形形状であるので、外部からの衝撃に対して不用意に破断してしまうのを防止することができる。
【００９１】
また、開口部２４ｂは、外箱部Ｂにおける片部２２６を押し込むことができるための空間として形成されていて、片部２２６が側面部２０に接触して片部２２６を押し込む際の支障とならないように、開口部２４ｂは、片部２２６よりも大きく形成され、側面視において、片部２２６が開口部２４ｂよりはみ出すことがない。
【００９２】
また、側面部（第３側面部、第３内箱部側面部）３０は、正面部１０の左側面側の辺部から折れ線Ｃ２を介して連設され、全体に方形状の外形を有している。この側面部３０は、本体部（内箱部側面部本体部）３２と、分離部３４とを有している。側面部３０には分離部３４が設けられているので、側面部３０は、「分離部形成内箱部側面部」となる。
【００９３】
この側面部３０の構成は、内箱部Ａの組立て状態では、側面部２０と、開口部Ｋ１０による切欠きを除いて、前後方向に垂直な仮想的な平面である中心面を介して対称に形成されている。
【００９４】
すなわち、分離部３４は、切目線３４ａと開口部３４ｂとにより区画された領域であり、切目線３４ａは、横方向に間隔を介して設けられた波形形状の切目線３４ａ−１、３４ａ−２と、切目線３４ａ−１の下端と３４ａ−２の下端を結ぶ横方向（側面部３０の下辺と平行な方向）の直線状の切目線３４ａ−３とを有し、分離部３４は、上下方向における中央が窪んだ形状を呈している。また、開口部３４ｂは、横長の長方形状を呈し、開口部３４ｂにおける下側の一対の角部のうちの正面側の角部と切目線３４ａ−２が接続し、開口部３４ｂにおける下側の一対の角部のうちの背面側の角部と切目線３４ａ−１が接続している。切目線３４ａと開口部３４ｂにより囲まれた領域が分離部３４となる。本体部３２は、側面部３０において分離部３４を除いた領域である。分離部３４は、側面部３０における横方向の略中央位置で上下方向における略中央位置に形成されている。切目線３４ａ−１、３４ａ−２は、ミシン目状の切目線（間隔をおきながら連続して形成された複数の切込みにより形成された切目線）であり、切目線３４ａ−３は、連続した切込みからなる切目線である。つまり、切目線３４ａは、全体として、切断予定線である。
【００９５】
この分離部３４の形成位置は、外箱部Ｂの片部２３４の裏側の領域であり、分離部３４は片部２３４の裏側に接着され、片部２３４の上端を外側かつ下方に回動させることにより、分離部３４も片部２３４の裏側に接着したまま切目線３４ａが切断されて、分離部３４が本体部３２から分離するように形成されている。分離部３４は、片部２３４よりも小さく形成されていて、側面視において、分離部３４の外形が片部２３４の外形よりもはみ出すことがない。なお、切目線３４ａ−１、３４ａ−２は波形形状であるので、外部からの衝撃に対して不用意に破断してしまうのを防止することができる。
【００９６】
また、開口部３４ｂは、外箱部Ｂにおける片部２３６を押し込むことができるための空間として形成されていて、片部２３６が側面部３０に接触して片部２３６を押し込む際の支障とならないように、開口部３４ｂは、片部２３６よりも大きく形成され、側面視において、片部２３６が開口部３４ｂよりはみ出すことがない。
【００９７】
また、背面部（第４側面部、第４内箱部側面部）４０は、側面部３０の背面側の辺部から折れ線Ｃ１を介して連設され、全体には方形状を呈している。この背面部４０の横幅は、正面部１０の横幅と同一に形成され、背面部４０の縦幅は、正面部１０や側面部２０、３０の縦幅と同一に形成されている。
【００９８】
また、糊代部（内箱部糊代部）４９は、側面部２０の背面側の辺部から折れ線Ｃ４を介して連設され、縦方向に細長の帯状台形形状を呈している。この糊代部４９は、その外側の面が背面部４０の右側面側の端部領域（側面部３０側とは反対側の端部領域）の内側の面に接着されている。糊代部４９の内側の面が背面部４０の外側の面に接着した構成としてもよいが、外箱部Ｂが設けられることから、糊代部４９の外側の面が背面部４０の内側の面に接着した構成とするのが好ましい。
【００９９】
スリーブ状部５において、正面部１０や背面部４０の横幅は、側面部２０や側面部３０の横幅よりも長く形成されている。
【０１００】
なお、折れ線Ｃ１、Ｃ２、Ｃ３、Ｃ４は、スリーブ状部５の内側から押圧した押罫による罫線が形成され、折れ線Ｃ３においては、開口部Ｋ１０よりも下側の折れ線Ｃ３−１が１本の罫線により形成されているのに対して、開口部Ｋ１０よりも上側の折れ線Ｃ３−２が、互いに平行な２本の罫線により形成されている。
【０１０１】
また、スリーブ状部５の展開状態において、正面部１０の上辺と側面部２０の上辺と側面部３０の上辺と背面部４０の上辺は同一直線上にあり、正面部１０の下辺と側面部２０の下辺と側面部３０の下辺と背面部４０の下辺は同一直線上にあり、正面部１０と側面部２０、３０と背面部４０の上辺は、正面部１０と側面部２０、３０と背面部４０の下辺と平行になっている。これにより、正面部１０の上辺の高さ位置と側面部２０の上辺の高さ位置と側面部３０の上辺の高さ位置と背面部４０の高さ位置は、同一の高さ（略同一の高さとしてもよい）に形成され（つまり、正面部１０と側面部３０と背面部４０の上辺の高さ位置は、側面部２０の上辺の高さ位置と同一（略同一としてもよい））の高さに形成されている）、補強板部１６２、１６４の上辺の高さ位置と、補強板部１８２、１８４の上辺の高さ位置と、補強片部１６８の上辺の高さ位置と、補強片部１７０の上辺の高さ位置は、同一の高さ（略同一の高さとしてもよい）に形成され、側面部２０の上辺の高さと同一の高さ（略同一の高さとしてもよい）に形成されている。
【０１０２】
また、底面部５０は、いわゆるＡ式と言われるものであり（つまり、Ａ式箱（Ａ式段ボールとしてもよい）の底面部により構成されている）、正面部１０の下辺から折れ線を介して連設された第１片部５２と、側面部２０の下辺から折れ線を介して連設された第２片部５４と、側面部３０の下辺から折れ線を介して連設された第３片部５６と、背面部４０の下辺から折れ線を介して連設された第４片部５８とを有し、包装箱Ｐの組立て状態では、図５に示すように、方形状の外形を呈している。
【０１０３】
ここで、第１片部（底面本体部）５２は、略長方形状を呈し、長方形状における第１片部５２の先端側（正面部１０側とは反対側）の２つの角部を面取りした形状を呈し、第１片部５２の左右両側の辺部において、第１片部５２の基端から先端までの途中位置（具体的には、第１片部５２の基端側の辺部（正面部１０の下辺に沿った辺部）から先端側の辺部間の長さにおける略中間の位置）から第１片部５２の先端まで第１片部５２の基端側の辺部に対して傾斜した直線状の傾斜辺が形成され、左右両側の傾斜辺は、第１片部５２の先端側の辺部と鈍角を形成している。第１片部５２は、左右対称の形状を呈している。第１片部５２の基端側の辺部と先端側の辺部間の長さは、側面部２０の下辺や側面部３０の下辺の長さの半分（略半分としてもよい）の長さとなっている。
【０１０４】
また、第２片部（フラップ部）５４は、略長方形状を呈し、長方形状における第２片部５４の先端側の２つの角部を面取りした形状を呈し、面取りにより形成された傾斜辺は、第２片部５４の先端側の辺部や左右両側の辺部と対して１３５度の角度（略１３５度の角度としてもよい）をなしている。第２片部５４は、左右対称の形状を呈している。第２片部５４の基端側の辺部と先端側の辺部間の長さは、正面部１０の下辺や背面部４０の下辺の長さの半分よりも短く形成され、第１片部５２の基端から先端までの長さと同一に形成されている。
【０１０５】
また、第３片部（フラップ部）５６は、第２片部と同一の構成（つまり、同大同形状）であり、内箱部Ａの組立て状態においては、第３片部５６は、第２片部５４と左右対称に形成されている。
【０１０６】
なお、側面部２０には、フラップ部としての第２片部５４が連設され、側面部３０には、フラップ部としての第３片部５６が連設されているので、側面部２０、３０は、フラップ部連設側面部となる。
【０１０７】
また、第４片部（底面本体部）５８は、第１片部５２と同一の構成（つまり、同大同形状）であり、内箱部Ａの組立て状態においては、第４片部５８は、第１片部５２と前後対称に形成されていて、第１片部５２と第４片部５８を閉じた際に、第４片部５８の先端と第１片部５２の先端は、互いに接する（つまり、当接する）かあるいは該先端間の隙間がわずかな長さとなっている（つまり、近接する）。
【０１０８】
底面部５０においては、第２片部５４を側面部２０に対して内側に折り曲げるとともに、第３片部５６を側面部３０に対して内側に折り曲げた状態で、第１片部５２を正面部１０に対して内側に折り曲げるとともに、第４片部５８を背面部４０に対して内側に折り曲げることにより、スリーブ状部５の底面側が閉じて被覆された状態となる。つまり、底面部５０によりスリーブ状部５の底面側が閉じた状態では、第１片部５２、第４片部５８が第２片部５４、第３片部５６よりも下側となる。
【０１０９】
また、内側正面部（内側側面部）１１０は、正面部１０の上辺から折れ線Ｃ１０ａ、Ｃ１０ｂを介して連設され、具体的には、内側正面部１１０には、略四角形状の切欠部１１２が設けられていて、切欠部１１２の左右両側の端部は、切目線Ｋ１１における正面部１０の上辺との接点の位置となる（つまり、切目線Ｋ１１ａの上端は、切欠部１１２の左側面側の端部の位置と一致し、切欠部Ｋ１１ｅの上端は、切欠部１１２の右側面側の端部）ので、内側正面部１１０は、正面部本体１２の上辺から連設されている。すなわち、内側正面部１１０の左側面側の端部は、正面部１０の左側面側の端部よりも正面部１０の上辺において内側にあり、内側正面部１１０の左側面側の端部と正面部１０の左側面側の端部（つまり、折れ線Ｃ２）間には、横方向（水平方向としてもよい）に間隔Ｌ１３が形成されていて、つまり、折れ線Ｃ１４の正面部１０の上辺における接点と折れ線Ｃ２の上端の間には、正面部１０の上辺に沿って間隔Ｌ１３が設けられている。また、内側正面部１１０の右側面側の端部は、正面部１０の右側面側の端部よりも正面部１０の上辺において内側にあり、内側正面部１１０の右側面側の端部と正面部１０の右側面側の端部（つまり、折れ線Ｃ３（厳密には、折れ線Ｃ３−２ａ））間には、横方向（水平方向としてもよい）に間隔Ｌ１１が形成されていて、つまり、折れ線Ｃ１１の正面部１０の上辺における接点と折れ線Ｃ３−２ａの上端の間には、正面部１０の上辺に沿って間隔Ｌ１１が設けられている。
【０１１０】
切欠部１１２は、略方形状を呈し、正面部１０の上辺から正面部１０の上辺に対して直角をなす直線状の辺部１１２ａと、辺部１１２ａの下端（正面部１０の上辺側とは反対側の端部）から連設され、右側面側に向けて円弧状に形成された辺部１１２ｂと、辺部１１２ｂの下端（辺部１１２ａ側とは反対側の端部）から連設され正面部１０の上辺と平行な直線状の辺部１１２ｃと、辺部１１２ｃの右側面側の端部から連設され、上側に向けて円弧状に形成された辺部１１２ｄと、辺部１１２ｄの辺部１１２ｃ側とは反対側の端部から連設され、正面部１０の上辺まで正面部１０の上辺に対して直角をなす直線状の辺部１１２ｅとを有している。
【０１１１】
この内側正面部１１０は、折れ線Ｃ１０ａ、Ｃ１０ｂを介して正面部１０の内側に折り返した状態で、正面部１０の正面部本体１２に接着されている。つまり、図９において、内側正面部１１０のハッチングに示す領域に接着剤を塗布した状態で、正面部本体１２に接着されている。なお、内側正面部１１０のハッチングに示す領域は、内側正面部１１０において右側面側に偏った位置であるが、これは、補強部１６０が、内箱部Ａの折畳み状態の際に二つ折りの状態となるとともに、スリーブ状部５を筒状に広げた際に、補強板部１６２、１６４が正面部１０と側面部２０の角部の内側に迫り出すという動作を円滑に行なうためである。
【０１１２】
なお、補強部１６０が連設された第１内側側面部としての内側正面部１１０は正面部１０から連設されているので、内側正面部１１０は、「第１内側側面部が第２側面部から連設された場合の第１内側側面部」であるとともに、「第２特定側面部」となる。
【０１１３】
また、補強部１６０は、内側正面部１１０の右側面側の辺部（第１側辺）から折れ線（第１折れ線）Ｃ１１を介して連設され、補強部１６０は、内側正面部１１０の右側面側の辺部から折れ線Ｃ１１を介して連設された補強板部（第１補強板部）１６２と、補強板部１６２の折れ線Ｃ１１側とは反対側の辺部から折れ線（第２折れ線）Ｃ１２を介して連設された補強板部（第２補強板部）１６４と、補強板部１６４の折れ線Ｃ１２側とは反対側の辺部から折れ線（第３折れ線）Ｃ１３を介して連設された糊代部（第１補強部糊代部）１６６とを有している。折れ線Ｃ１１は、正面部１０の上辺に対して直角をなし、折れ線Ｃ１１と折れ線Ｃ１２と折れ線Ｃ１３とは互いに平行となっている。補強板部１６２、１６４の上辺と下辺は、折れ線Ｃ１１、Ｃ１２に対して直角をなし、補強板部１６２、１６４の上辺は同一直線上に形成され、補強板部１６２、１６４の下辺は同一直線上に形成されている。つまり、内箱部Ａを展開した状態において、補強板部１６２、１６４の下辺は、内側正面部１１０の下辺の延長線上にあり、補強板部１６２、１６４の上辺は、正面部１０の上辺及び側面部２０の上辺と直線状の切込みを介して正面部１０及び側面部２０と隣接している。すなわち、補強板部１６２、１６４は、ともに縦長の長方形状を呈している。また、糊代部１６６の上辺と下辺は、折れ線Ｃ１３に対して傾斜して形成され、糊代部１６６は、略台形形状に形成されている。糊代部１６６の先端側の辺部（折れ線Ｃ１３側とは反対側の辺部）は折れ線Ｃ１３と平行に形成されている。補強板部１６２の横幅（折れ線Ｃ１１と折れ線Ｃ１２間の長さ）Ｌ１６２と補強板部１６４の横幅（折れ線Ｃ１２と折れ線Ｃ１３間の長さ）Ｌ１６４は略同一（同一としてもよい）に形成されている。
【０１１４】
ここで、内箱部Ａを展開した状態において、補強板部１６２と補強板部１６４からなる補強片ユニット１６１の横幅（つまり、補強部１６０を展開した状態における折れ線Ｃ１１と折れ線Ｃ１３間の長さ）Ｌ１６０は、内側正面部１１０の右側面側の端部と折れ線Ｃ３−２間の長さ（水平方向の長さ）（具体的には、内側正面部１１０の右側面側の端部と折れ線Ｃ３−２ｂ間の間隔Ｌ１２）（第１長さ）よりも長く形成されている（これにより、横幅Ｌ１６０は、間隔Ｌ１１よりも長く形成されているとともに、内側正面部１１０の右側面側の端部から折れ線Ｃ３−２ａと折れ線Ｃ３−２ｂの中間位置までの間隔Ｌ１０よりも長く形成されている）。なお、補強片ユニット１６１の横幅Ｌ１６０は、補強板部１６２の横幅（折れ線Ｃ１１と折れ線Ｃ１２間の長さ）と補強板部１６４の横幅（折れ線Ｃ１２と折れ線Ｃ１３間の長さ）を加算したものであるので、補強板部１６２の横幅と補強板部１６４の横幅を加算した長さ（＝横幅Ｌ１６０）が、内側正面部１１０の右側面側の端部と折れ線Ｃ３−２ｂ間の間隔Ｌ１２）よりも長く形成されている。
【０１１５】
また、補強板部１６２の横幅Ｌ１６２は、内側正面部１１０の右側面側の端部と折れ線Ｃ３−２間の長さ（水平方向の長さ）（具体的には、内側正面部１１０の右側面側の端部と折れ線Ｃ３−２ａ間の間隔Ｌ１１）（第１長さ）よりも短く形成されている（これにより、長さＬ１６２は、間隔Ｌ１０（第１長さ）や間隔Ｌ１２よりも短く形成されている）。
【０１１６】
なお、内箱部Ａの展開状態において、折れ線Ｃ３（折れ線Ｃ３−２における２本の折れ線の中間位置）は、補強板部１６４の上辺の中間位置（折れ線Ｃ１２と折れ線Ｃ１３から等距離の位置）と左右方向において一致する。つまり、内箱部Ａの展開状態において、折れ線Ｃ３−１の上方への延長線に対して、折れ線Ｃ１２と折れ線Ｃ１３は等距離となっている。つまり、間隔Ｌ１０は、横幅Ｌ１６２の略１．５倍の長さとなっている。
【０１１７】
また、糊代部１６６は、側面部２０（具体的には、本体部２２）の内側の面に接着され、糊代部１６６は、正面部１０と側面部２０からなる領域が展開されるとともに、内側正面部１１０と補強部１６０からなる領域が展開した状態で側面部２０に接着されている。また、正面部１０と側面部２０とを折れ線Ｃ３を介して折り返した状態では、補強部１６０は、折れ線Ｃ１２を介して折り返した状態となり、糊代部１６６は、正面部１０と側面部２０とを折れ線Ｃ３を介して折り返すとともに、補強部１６０を折れ線Ｃ１２を介して折り返した状態で側面部２０に接着されているといえる。接着に際しては、例えば、糊代部１６６の全面に接着剤を塗布した状態で、側面部２０に接着する。
【０１１８】
また、補強片部（第２補強片部）１６８は、内側正面部１１０の左側面側の辺部（第４側辺）から折れ線Ｃ１４を介して連設されている。折れ線Ｃ１４は、正面部１０の上辺に対して直角をなしている。補強片部１６８の上辺と下辺は、折れ線Ｃ１４に対して直角をなしている。また、補強片部１６８の先端側の辺部（折れ線Ｃ１４側とは反対側の辺部）は、折れ線Ｃ１４と平行に形成され、内側正面部１１０と補強片部１６８からなる領域を展開した状態では、補強片部１６８の下辺は、内側正面部１１０の下辺（つまり、辺部１１０ｃ）の延長線上にあり、補強片部１６８の上辺は、正面部１０の上辺及び側面部３０の上辺と直線状の切込みを介して隣接している。つまり、補強板部１６２、１６４は、縦長の長方形状を呈している。
【０１１９】
ここで、補強片部１６８の横幅の長さ（つまり、折れ線Ｃ１４と補強片部１６８の先端側の辺部間の長さ（水平方向の長さ））Ｌ１６８は、間隔Ｌ１３よりも長く形成されている。この間隔Ｌ１３は、「第４側辺と第２側面部と第３側面部間の境界線との間の水平方向の長さ」に当たる。
【０１２０】
また、内側側面部１２０は、側面部２０の上辺から折れ線Ｃ１０ｃを介して連設され、方形状（具体的には、縦長長方形状）を呈し、内側側面部１２０の縦方向の両側の辺部１２０ａ、１２０ｂは、側面部２０の上辺に対して直角に形成され、内側側面部１２０の先端側の辺部１２０ｃは、側面部２０の上辺と平行に形成されている。
【０１２１】
内側側面部１２０の正面側の端部は、側面部２０の正面側の端部よりも側面部２０の上辺において背面側にあり、辺部１２０ａの側面部２０の上辺との接点と折れ線Ｃ３−２の上端とは間隔が設けられ、また、内箱部Ａの展開状態においては、内側側面部１２０は補強部１６０と間隔を介して設けられている。また、内側側面部１２０の背面側の端部は、側面部２０の背面側の端部よりも側面部２０の上辺において正面側にあり、内側側面部１２０の背面側の端部と側面部２０の背面側の端部（つまり、折れ線Ｃ４）間には、横方向（水平方向としてもよい）に間隔Ｌ２０が設けられ、折れ線Ｃ１５の側面部２０の上辺における接点と折れ線Ｃ４の上端の間には、側面部２０の上辺に沿って間隔Ｌ２０が設けられている。
【０１２２】
この内側側面部１２０には、開口部２４ｂの位置に対応して開口部１２２が設けられ、内側側面部１２０を側面部２０に対して折り返した状態で、側面視において、開口部２４ｂが開口部１２２の領域に入るように形成されている。この開口部１２２は、側面部２２０の片部２２６を内側に押し込む際に片部２２６が内側側面部１２０に接触しないように設けられている。
【０１２３】
この内側側面部１２０は、折れ線Ｃ１０ｃを介して側面部２０の内側に折り返した状態で、側面部２０に接着されている。つまり、図９において、内側側面部１２０のハッチングに示す領域に接着剤を塗布した状態で、側面部２０に接着されている。なお、内側側面部１２０は、側面部本体２２の領域に接着され、分離部２４の領域には接着されていない。つまり、内側側面部１２０が分離部２４に接着されていると、分離部２４の内箱部Ａからの分離に支障があるため、分離部２４には接着されていない。
【０１２４】
なお、補強部１６０が連設された第１内側側面部としての内側正面部１１０は正面部１０から連設されているので、内側側面部１２０は、「第１内側側面部が第２側面部から連設された場合に第１側面部（側面部２０）から連設された他の内側側面部である第３内側側面部」であるとともに、「第１特定側面部」となる。
【０１２５】
また、補強片部（第１補強片部）１７０は、内側側面部１２０の背面側の辺部（第３側辺）から折れ線Ｃ１５を介して連設されている。折れ線Ｃ１５は、側面部２０の上辺に対して直角をなしている。補強片部１７０の上辺と下辺は、折れ線Ｃ１５に対して直角をなしている。また、補強片部１７０の先端側の辺部（折れ線Ｃ１５側とは反対側の辺部）は、折れ線Ｃ１５と平行に形成され、内側側面部１２０と補強片部１７０からなる領域を展開した状態では、補強片部１７０の下辺は、内側側面部１２０の下辺（つまり、辺部１２０ｃ）の延長線上にあり、補強片部１７０の上辺は、側面部２０の上辺と直線状の切込みを介して隣接している。つまり、補強片部１７０は、縦長の長方形状を呈している。
【０１２６】
ここで、補強片部１７０の横幅の長さ（つまり、折れ線Ｃ１５と補強片部１７０の先端側の辺部間の長さ（水平方向の長さ）））Ｌ１７０は、間隔Ｌ２０よりも長く形成されている。なお、長さＬ１７０は、長さＬ１６８と同一となっている。この間隔Ｌ２０は、「第３側辺と第１側面部と第４側面部間の境界線との間の水平方向の長さ」に当たる。
【０１２７】
また、内側側面部１３０は、側面部３０の上辺から折れ線Ｃ１０ｄを介して連設され、方形状（具体的には、縦長長方形状）を呈し、内側側面部１３０の縦方向の両側の辺部１３０ａ、１３０ｂは、側面部３０の上辺に対して直角に形成され、内側側面部１３０の先端側の辺部１３０ｃは、側面部３０の上辺と平行に形成されている。
【０１２８】
内側側面部１３０の正面側の端部は、側面部３０の正面側の端部よりも側面部３０の上辺において背面側にあり、辺部１３０ａの側面部３０の上辺との接点と折れ線Ｃ２の上端とは間隔が設けられ、また、内箱部Ａの展開状態においては、内側側面部１３０は補強部１６８と間隔を介して設けられている。また、内側側面部１３０の背面側の端部は、側面部３０の背面側の端部よりも側面部３０の上辺において正面側にあり、内側側面部１３０の背面側の端部と側面部３０の背面側の端部（つまり、折れ線Ｃ１）間には、横方向（水平方向としてもよい）に間隔Ｌ３０が設けられ、折れ線Ｃ１６の側面部３０の上辺における接点と折れ線Ｃ１の上端の間には、側面部３０の上辺に沿って間隔Ｌ３０が設けられている。
【０１２９】
この内側側面部１３０には、開口部３４ｂの位置に対応して開口部１３２が設けられ、内側側面部１３０を側面部３０に対して折り返した状態で、側面視において、開口部３４ｂが開口部１３２の領域に入るように形成されている。この開口部１３２は、側面部２３０の片部２３６を内側に押し込む際に片部２３６が内側側面部１３０に接触しないように設けられている。
【０１３０】
この内側側面部１３０は、折れ線Ｃ１０ｄを介して側面部３０の内側に折り返した状態で、側面部３０に接着されている。つまり、図９において、内側側面部１３０のハッチングに示す領域に接着剤を塗布した状態で、側面部３０に接着されている。なお、内側側面部１３０は、側面部本体３２の領域に接着され、分離部３４の領域には接着されていない。つまり、内側側面部１３０が分離部３４に接着されていると、分離部３４の内箱部Ａからの分離に支障があるため、分離部３４には接着されていない。
【０１３１】
また、補強部（第２補強部）１８０は、内側側面部１３０の背面側の辺部（第２側辺）から折れ線（第４折れ線）Ｃ１６を介して連設され、補強部１８０は、内側側面部１３０の背面側の辺部から折れ線Ｃ１６を介して連設された補強板部（第３補強板部）１８２と、補強板部１８２の折れ線Ｃ１６側とは反対側の辺部から折れ線（第５折れ線）Ｃ１７を介して連設された補強板部（第４補強板部）１８４と、補強板部１８４の折れ線Ｃ１７側とは反対側の辺部から折れ線（第６折れ線）Ｃ１８を介して連設された糊代部（第２補強部糊代部）１８６とを有している。折れ線Ｃ１６は、側面部３０の上辺に対して直角をなし、折れ線Ｃ１６と折れ線Ｃ１７と折れ線Ｃ１８とは互いに平行となっている。補強板部１８２、１８４の上辺と下辺は、折れ線Ｃ１６、Ｃ１７に対して直角をなし、補強板部１８２、１８４の上辺は同一直線上に形成され、補強板部１８２、１８４の下辺は同一直線上に形成されている。つまり、内箱部Ａを展開した状態において、補強板部１８２、１８４の下辺は、内側側面部１３０の下辺（つまり、辺部１３０ｃ）の延長線上にあり、補強板部１８２、１８４の上辺は、側面部３０の上辺及び背面部４０の上辺と直線状の切込みを介して側面部３０及び背面部４０と隣接している。すなわち、補強板部１８２、１８４は、ともに縦長の長方形状を呈している。また、糊代部１８６の上辺と下辺は、折れ線Ｃ１８に対して傾斜して形成され、糊代部１８６は、略台形形状に形成されている。糊代部１８６の先端側の辺部（折れ線Ｃ１８側とは反対側の辺部）は折れ線Ｃ１８と平行に形成されている。補強板部１８２の横幅（折れ線Ｃ１６と折れ線Ｃ１７間の長さ）Ｌ１８２と補強板部１８４の横幅（折れ線Ｃ１７と折れ線Ｃ１８間の長さ）Ｌ１８４は略同一（同一としてもよい）に形成されている。なお、横幅Ｌ１８２は、横幅Ｌ１６２と同一となっている。
【０１３２】
ここで、内箱部Ａを展開した状態において、補強板部１８２と補強板部１８４からなる補強片ユニット１８１の横幅（つまり、補強部１８０を展開した状態における折れ線Ｃ１６と折れ線Ｃ１８間の長さ）Ｌ１８０は、内側側面部１３０の背面側の端部と折れ線Ｃ１間の長さＬ３０（第２長さ）よりも長く形成されている。なお、補強片ユニット１８１の横幅Ｌ１８０は、補強板部１８２の横幅（折れ線Ｃ１６と折れ線Ｃ１７間の長さ）と補強板部１８４の横幅（折れ線Ｃ１７と折れ線Ｃ１８間の長さ）を加算したものであるので、補強板部１８２の横幅と補強板部１８４の横幅を加算した長さが、内側側面部１３０の背面側の端部と折れ線Ｃ１間の長さＬ３０よりも長く形成されているといえる。
【０１３３】
また、補強板部１８２の横幅Ｌ１８２は、内側側面部１３０の背面面側の端部と折れ線Ｃ１間の長さＬ３０よりも短く形成されている。
【０１３４】
なお、内箱部Ａの展開状態において、折れ線Ｃ１は、補強板部１８４の上辺の中間位置（折れ線Ｃ１７と折れ線Ｃ１８から等距離の位置）となる。つまり、内箱部Ａの展開状態において、折れ線Ｃ１の延長線に対して、折れ線Ｃ１７と折れ線Ｃ１８は等距離となっている。つまり、間隔Ｌ３０は、横幅Ｌ１８２の略１．５倍の長さとなっている。なお、間隔Ｌ１０は、横幅Ｌ１６２の略１．５倍の長さであり、間隔Ｌ３０は、横幅Ｌ１８２の略１．５倍の長さであるので、補強片ユニット１６１、１８１を大きく迫り出すことができる。例えば、略１．５倍よりも小さいと、補強片ユニット１６１、１８１を大きく迫り出すことができない。なお、補強片ユニット１６１、１８１を大きく迫り出せば角部の補強の効果は大きいが、大きく迫り出さなくても角部の補強は可能なので、略１．５倍には限られない。
【０１３５】
また、糊代部１８６は、背面部４０の内側の面に接着され、糊代部１８６は、側面部３０と背面部４０からなる領域が展開した状態で、内側側面部１３０と補強部１８０からなる領域が展開した状態で背面部４０に接着されている。また、背面部４０と側面部３０とを折れ線Ｃ１を介して折り返した状態では、補強部１８０は、折れ線Ｃ１７を介して折り返した状態となり、糊代部１８６は、背面部４０と側面部３０とを折れ線Ｃ１を介して折り返すとともに、補強部１８０を折れ線Ｃ１７を介して折り返した状態で側面部３０に接着されているといえる。
【０１３６】
なお、内箱部Ａの展開状態において、内側正面部１１０の下辺と補強板部１６２、１６４、１６８の下辺と内側側面部１２０の下辺と補強片部１７０の下辺と内側側面部１３０の下辺と補強板部１８２、１８４の下辺は、同一直線上にあり、それらの下辺は、スリーブ状部５の糊代部４９を除く上辺（正面部１０と側面部２０、３０と背面部４０の上辺）と平行になっており、内側正面部１１０と補強板部１６２、１６４、１６８と内側側面部１２０と補強片部１７０と内側側面部１３０と補強板部１８２、１８４の上下方向の長さは、スリーブ状部５の糊代部４９を除く領域の上下方向の長さと略同一であり、厳密には、スリーブ状部５の糊代部４９を除く領域の上下方向の長さよりも若干短く形成されている。
【０１３７】
また、正面部１０の上辺と側面部２０、３０の上辺と背面部４０の上辺は、水平方向に（内箱部Ａを組み立てた状態における水平方向）形成され、折れ線Ｃ１０ａ、Ｃ１０ｂ、Ｃ１０ｃ、Ｃ１０ｄも水平方向に形成されている。
【０１３８】
以上のように、内箱部Ａの４つの角部に、補強部１６０と補強片部１６８と補強片部１７０と補強部１８０が配設されるが、内箱部Ａを折り畳んだ際に、スリーブ状部５を構成する４つの部材（糊代部４９を除く４つの部材）のうち隣接する部材間の角度が直角よりも小さくなる角部（つまり、正面部１０と側面部２０間の角部と背面部４０と側面部３０間の角部）については、補強部（つまり、２つの補強片と糊代部からなる補強部）を設け、一方、スリーブ状部５を構成する４つの部材（糊代部４９を除く４つの部材）のうち隣接する部材間の角度が直角よりも大きくなる角部（つまり、正面部１０と側面部３０間の角部と背面部４０と側面部２０間の角部）については、１つの補強片を設けるのである。
【０１３９】
内箱部Ａを箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。つまり、スリーブ状部５は、底面部５０に対して略直角（直角でもよい）となる。また、スリーブ状部５を構成する各部材（正面部１０、側面部２０、３０、背面部４０）における隣接する部材は互いに直角（略直角としてもよい）となっている。
【０１４０】
また、内箱部Ａは、平板状に折り畳むことができ（図１１参照）、内箱部Ａにおいては、正面部１０と側面部２０との角度を小さくし（つまり、直角より小さくする）、背面部４０と側面部３０との角度を小さくさせる（つまり、直角より小さくする）ことにより、四角筒状のスリーブ状部５が扁平になるとともに、底面部５０を構成する第１片部５２〜第４片部５８においては、スリーブ状部５におけるそれらが連設された各部から下方に伸びた状態となる。
【０１４１】
また、内箱部Ａを平板状に折り畳んだ状態では、平面視においては図１２に示すようになっている。内箱部Ａを平板状に折り畳んだ状態では、側面部２０と正面部１０間の折れ線を介して側面部２０を正面部１０に対して折り返すとともに、側面部３０と背面部４０間の折れ線を介して背面部４０を側面部３０に対して折り返した状態としてスリーブ状部５が折り畳まれる。
【０１４２】
特に、補強部１６０は、補強板部１６２と補強板部１６４間の折れ線Ｃ１２を介して折り返した状態となり、補強板部１６２は、正面部１０の内側の面に沿った状態で正面部１０に接しており、補強板部１６４は、側面部２０の内側の面に沿った状態で側面部２０に接している。また、折れ線Ｃ１２と折れ線Ｃ３の間には、間隔が設けられている。
【０１４３】
また、補強片部１６８は、正面部１０及び側面部３０と背面部４０の間に挟まれた状態となっていて、補強片部１６８は、折れ線Ｃ２（正面部１０と側面部３０の境界）よりも側面部３０側に突出した状態となっている。補強片部１６８の正面部１０に対する角度α１１は、内箱部Ａを組み立てた場合に比べて小さくなっている。
【０１４４】
補強部１８０は、補強板部１８２と補強板部１８４間の折れ線Ｃ１７を介して折り返した状態となり、補強板部１８２は、側面部３０の内側の面に沿った状態で側面部３０に接しており、補強板部１８４は、背面部４０の内側の面に沿った状態で背面部４０に接している。また、折れ線Ｃ１７と折れ線Ｃ１の間には、間隔が設けられている。
【０１４５】
また、補強片部１７０は、側面部２０及び糊代部４９と正面部１０及び内側正面部１１０の間に挟まれた状態となっていて、補強片部１７０は、折れ線Ｃ４（側面部２０と背面部４０の境界）よりも背面部４０側に突出した状態となっている。補強片部１７０と側面部２０がなす角度α２１は、内箱部Ａを組み立てた場合に比べて小さくなっている。
【０１４６】
内箱部Ａを平板状に折り畳んだ状態からスリーブ状部５を筒状に広げていくと、図１３に示すようになり、補強部１６０においては、折り返した状態から補強板部１６２と補強板部１６４間の角度（内側の角度）α３１が徐々に大きくなっていき（つまり、スリーブ状部５を折り畳んだ状態に比べて大きくなっていく）、補強板部１６４と糊代部１６６間の角度（内側の角度）α３２が徐々に小さくなっていき、補強板部１６２の正面部１０に対する角度α３３と補強板部１６４の側面部３０に対する角度α３４は徐々に大きくなっていき、補強片部１６８の正面部１０に対する角度（傾斜角度）α１１は、徐々に大きくなっていき（補強片部１６８が内側正面部１１０に対して傾斜していき、補強片部１６８と内側正面部１１０がなす内側の角度α１２は徐々に小さっていく）、補強部１８０においては、折り返した状態から補強板部１８２と補強板部１８４間の角度（内側の角度）α４１が徐々に大きくなっていき（つまり、スリーブ状部５を折り畳んだ状態に比べて大きくなっていく）、補強板部１８４と糊代部１８６間の角度（内側の角度）α４２が徐々に小さくなっていき、補強板部１８２の側面部３０に対する角度α４３は徐々に大きくなり、補強板部１８４の背面部４０に対する角度α４４は徐々に大きくなっていき、補強片部１７０の側面部２０に対する角度（傾斜角度）α２１は、徐々に大きくなっていく（補強片部１７０が内側側面部１２０に対して傾斜していき、補強片部１７０と内側側面部１２０がなす内側の角度α２２は徐々に小さくなっていく）。つまり、補強片部１６８の長さＬ１６８が間隔Ｌ１３よりも長いことから、正面部１０と側面部３０間の角度が小さくなると、補強片部１６８の先端が、側面部３０（第２側面部（正面部１０）と第３側面部（側面部３０）のうち第２特定側面部が連設されていない側面部）に接触し、正面部１０と側面部３０間の角度が小さくなるに従い、補強片部１６８の先端が、側面部３０に接触しながら正面部１０と側面部３０の角部から遠ざかるように移動して、角度α１１が大きくなっていく。同様に、補強片部１７０の長さＬ１７０が間隔Ｌ２０よりも長いことから、背面部４０と側面部２０間の角度が小さくなると、補強片部１７０の先端が、糊代部４９に接触し、背面部４０と側面部２０間の角度が小さくなるに従い、補強片部１７０の先端が、糊代部４９に接触しながら背面部４０と側面部２０の角部から遠ざかるように移動して、角度α２１が大きくなっていく。なお、補強片部１７０は、糊代部４９の先端位置まで移動した後には、背面部４０（第４側面部（背面部４０）と第１側面部（側面部２０）のうち第１特定側面部が連設されていない側面部）に接触する。なお、糊代部４９が背面部４０の外側の面に接着されている場合には、補強片部１７０は、糊代部４９には接触せず背面部４０に接触する。
【０１４７】
なお、角度α３１が大きくなるに伴い、折れ線Ｃ３と折れ線Ｃ１２間の距離は徐々に長くなり、同様に、角度α４１が大きくなるに伴い、折れ線Ｃ１と折れ線Ｃ１７間の距離は徐々に長くなる。
【０１４８】
そして、正面部１０と背面部４０とが互いに平行で、側面部２０と側面部３０とが互いに平行となって内箱部Ａが組み立てた状態になると、図１４に示す状態となり、補強部１６０においては、折れ線Ｃ１２と折れ線Ｃ３間の間隔が大きくなり、角度α３１、α３３、α３４はさらに大きくなり、補強部１６２と補強部１６４は、正面部１０と側面部２０間の角部（正面部１０の側面部２０側の端部領域と側面部２０の正面部１０側の端部領域とで形成される角部）に対して内側に迫り出した状態となり、補強片部１６８においては、角度α１１はさらに大きくなり、補強片部１６８は、正面部１０と側面部３０間の角部（正面部１０の側面部３０側の端部領域と側面部３０の正面部１０側の端部領域とで形成される角部）に対して内側に迫り出した状態となり、補強部１８０においては、折れ線Ｃ１７と折れ線Ｃ１間の間隔が大きくなり、角度α４１、α４３、α４４はさらに大きくなり、補強部１８２と補強部１８４は、背面部４０と側面部３０間の角部（背面部４０の側面部３０側の端部領域と側面部３０の背面部４０側の端部領域とで形成される角部）に対して内側に迫り出した状態となり、補強片部１７０においては、角度α２１はさらに大きくなり、補強片部１７０は、背面部４０と側面部２０間の角部（背面部４０の側面部２０側の端部領域と側面部２０の背面部４０側の端部領域とで形成される角部）に対して内側に迫り出した状態となる。
【０１４９】
このようにして、各補強片が内箱部Ａの角部に対して内側に迫り出した状態となり、角度α１１、α２１、α３３、α３４、α４３、α４４は鋭角で、内箱部Ａの角部を形成するスリーブ状部５の各部（つまり、正面部１０と側面部２０、３０と背面部４０）に対して傾斜した状態となるので、内箱部Ａの角部を補強することができる。
【０１５０】
また、スリーブ状部５を筒状に広げた状態から折り畳んだ状態にすると、上記の動作と逆に動作し（つまり、図１４の状態から図１３の状態を経て図１２の状態となる）、補強部１６０は、補強板部１６２と補強板部１６４間の折れ線Ｃ１２を介して折り返した状態となり、補強片部１６８は、正面部１０及び側面部３０と背面部４０の間に挟まれた状態となり、補強部１８０は、補強板部１８２と補強板部１８４間の折れ線Ｃ１７を介して折り返した状態となり、補強片部１７０は、側面部２０及び糊代部４９と正面部１０及び内側正面部１１０の間に挟まれた状態となる。つまり、補強部１６０と、補強片部１６８と、補強部１８０と、補強片部１７０は、角部に対して内側に迫り出した状態から自動的にもとの状態に戻ることになる。
【０１５１】
なお、図８のに示す内箱部Ａにおいては、糊代部４９は側面部（第１内箱部側面部）２０から連設されているとしたが、糊代部４９が背面部４０から連設された構成としてもよい。つまり、側面部２０、正面部１０、側面部３０、背面部４０、糊代部４９の順に連設されることになる。その場合には、糊代部４９は、背面部４０の側面部３０側とは反対側の端部から連設され、側面部２０の正面部１０側とは反対側の端部領域に接着されることになる。
【０１５２】
次に、外箱部Ｂは、内箱部Ａを覆う箱体であり、図１〜図５、図１０等に示すように、スリーブ状部（外側スリーブ状部）２０５と、蓋部２６０、２９０と、フラップ部２７０、２８０とを有していて、その展開状態は、図１０に示すように形成されている。
【０１５３】
ここで、スリーブ状部２０５は、組み立てた状態では、四角形状の筒状を呈し、正面部（外側正面部）２１０と、側面部（外側右側面部）２２０と、側面部（外側左側面部）２３０と、背面部（外側背面部）２４０と、糊代部２４２とを有している。
【０１５４】
ここで、正面部２１０は、方形状（長方形状）の板状を呈している。この正面部２１０の横幅は、内箱部Ａを収納することができるように、内箱部Ａの左右方向の幅よりも若干大きく形成されている。
【０１５５】
また、側面部２２０は、正面部２１０の右側面側の辺部から折れ線Ｃ２４を介して連設され、方形状の下端に方形状の切欠部を形成した形状を呈し、切目線２２２と切目線２２４ａ、２２４ｂが形成されている。折れ線Ｃ２４は、互いに平行な２つの折れ線により形成されている。
【０１５６】
ここで、切目線２２２は、切断予定線により形成され、横方向に間隔を介して設けられた波形形状の切目線２２２ａ、２２２ｃと、切目線２２２ａの上端と２２２ｃの上端を結ぶ切目線２２２ｂとを有していて、全体に下向きの略コ字状を呈している。切目線２２２ａ、２２２ｃは、ミシン目状の切込み（間隔をおきながら形成された切込み）により形成され、切目線２２２ｂは、横方向（側面部２２０の下辺と平行な方向）の直線状の切込みにより形成されている。切目線２２２と、切目線２２２ａ及び切目線２２２ｃの切目線２２２ｂ側とは反対側の端部間を結ぶ折れ線Ｃ２２４により囲まれた領域が、片部（第１片部）２２４となる。
【０１５７】
また、切目線２２２ｂの一方の端部から他方の端部までに途中位置には、切目線２２２ａや切目線２２２ｃが設けられている側とは反対側に、縦方向（切目線２２２ｂと直角方向）に互いに平行な切目線２２４ａ、２２４ｂが形成されている。つまり、切目線２２４ａと切目線２２４ｂは、互いに平行に形成され、連続した切込みにより形成されている。また、切目線２２４ａは、切目線２２２ａよりも内側（横方向の内側）に形成され、切目線２２４ｂは、切目線２２２ｃよりも内側（横方向の内側）に形成されている。以上のように、切目線２２４ａと、切目線２２４ｂと、切目線２２２ｂと、切目線２２４ａ及び切目線２２４ｂの切目線２２２ｂ側とは反対側の端部間を結ぶ直線状の折れ線Ｃ２２６により囲まれた領域が、片部（押込み片部）２２６となる。すなわち、片部２２６は、片部２２４の外周の一部に沿って形成された切目線２２２から連設された切目線２２４ａ、２２４ｂにより、片部２２４に隣接して設けられている。この側面部２２０の横幅は、内箱部Ａを外箱部Ｂ内に収納することができるように、側面部２０の横幅よりも若干大きく形成されている。
【０１５８】
また、側面部２２０の下端からは方形状の切欠部２２８が形成されている。切欠部２２８は、接着テープＴ１の端部を側面部２０に貼り付けて、内箱部Ａの底面部５０を組み立てる際に、側面部２２０が邪魔にならないように設けられたものである。つまり、切欠部２２８は、側面部２０における接着テープＴ１の接着領域を外部に露出させるためのものである。この切欠部２２８は、片部２２４の下側に設けられ、切欠部２２８の上端と折れ線Ｃ２２４間には間隔が設けられている。
【０１５９】
また、側面部２３０は、正面部２１０の左側面側の辺部から折れ線Ｃ２３を介して連設され、方形状を呈し、切目線２３２と切目線２３４ａ、２３４ｂが形成されている。
【０１６０】
この側面部２３０の構成は、側面部２２０と前後方向に垂直な仮想的な平面である中心面を介して対称に形成されていて、切目線２３２は、切目線２２２と対称に形成され、横方向に間隔を介して設けられた波形形状の切目線２３２ａ、２３２ｃと、切目線２３２ａの上端と２３２ｃの上端を結ぶ横方向（側面部２３０の下辺と平行な方向）の直線状の切目線２３２ｂとを有し、全体に下向きの略コ字状を呈している。切目線２３２と、切目線２３２ａ及び切目線２３２ｃの切目線２３２ｂ側とは反対側の端部間を結ぶ折れ線Ｃ２３４により囲まれた領域が、片部（第２片部）２３４となる。
【０１６１】
また、切目線２３２ｂの一方の端部から他方の端部までに途中位置には、切目線２３２ａや切目線２３２ｃが設けられている側とは反対側に、縦方向（切目線２３２ｂと直角方向）に互いに平行な切目線２３４ａ、２３４ｂが形成されている。つまり、切目線２３４ａと切目線２３４ｂは、互いに平行に形成され、連続した切込みにより形成されている。また、切目線２３４ａは、切目線２３２ａよりも内側（横方向の内側）に形成され、切目線２３４ｂは、切目線２３２ｃよりも内側（横方向の内側）に形成されている。以上のように、切目線２３４ａと、切目線２３４ｂと、切目線２３２ｂと、切目線２３４ａ及び切目線２３４ｂの切目線２３２ｂ側とは反対側の端部間を結ぶ直線状の折れ線Ｃ２３６により囲まれた領域が、片部（押込み片部）２３６となる。すなわち、片部２３６は、片部２３４の外周の一部に沿って形成された切目線２３２から連設された切目線２３４ａ、２３４ｂにより、片部２３４に隣接して設けられている。この側面部２３０の横幅は、内箱部Ａを外箱部Ｂ内に収納することができるように、側面部３０の横幅よりも若干大きく形成されていて、側面部２２０の横幅と同一に形成されている。
【０１６２】
また、側面部２３０の下端からは方形状の切欠部２３８が形成されている。切欠部２３８は、接着テープの端部を側面部３０に貼り付けて、内箱部Ａの底面部５０を組み立てる際に、側面部２３０が邪魔にならないように設けられたものである。つまり、切欠部２３８は、側面部３０における接着テープＴ１の接着領域を外部に露出させるためのものである。この切欠部２３８は、片部２３４の下側に設けられ、切欠部２３８の上端と折れ線Ｃ２３４間には間隔が設けられている。
【０１６３】
また、背面部２４０は、側面部２３０の背面側の辺部から折れ線Ｃ２２を介して連設され、方形状を呈している。この背面部２４０の横幅は、正面部２１０の横幅と同一に形成され、内箱部Ａを外箱部Ｂ内に収納することができるように、内箱部Ａの左右方向の幅よりも若干大きく形成されている。折れ線Ｃ２２は、互いに平行な２つの折れ線により形成されている。
【０１６４】
また、糊代部２４２は、背面部２４０の右側面側の辺部から折れ線Ｃ２１を介して連設され、縦方向に細長の帯状台形形状を呈している。この糊代部２４２は、図１に示すように、その内側の面が側面部２２０の背面側の端部領域の外側の面に接着されている。糊代部２４２の外側の面が側面部２２０の内側の面に接着した構成としてもよいが、内箱部Ａが内側に設けられることから、糊代部２４２の内側の面が側面部２２０の外側の面に接着した構成とするのが好ましい。
【０１６５】
また、正面部２１０と側面部２２０、２３０と背面部２４０の縦幅は同一に形成されていて、内箱部Ａの縦幅と略同一に（厳密には、内箱部Ａの縦幅よりも若干大きく）形成されている。すなわち、外箱部Ｂのスリーブ状部２０５の縦方向の長さは、内箱部Ａのスリーブ状部５の縦方向の長さよりも若干大きく形成されている。
【０１６６】
また、蓋部２６０は、正面部２１０の上辺から折れ線を介して連設され、略方形状を呈し、第１片部５２と略同一に形成され、略長方形状を呈し、長方形状における蓋部２６０の先端側（正面部２１０側とは反対側）の２つの角部を面取りした形状を呈し、蓋部２６０の左右両側の辺部において、蓋部２６０の基端から先端までの途中位置（具体的には、蓋部２６０の基端側の辺部（正面部２１０の上辺に沿った辺部）から先端側の辺部間の長さにおける略中間の位置）から蓋部２６０の先端まで蓋部２６０の基端側の辺部に対して傾斜した直線状の傾斜辺が形成され、左右両側の傾斜辺は、蓋部２６０の先端側の辺部と鈍角を形成している。蓋部２６０は、左右対称の形状を呈している。蓋部２６０の基端側の辺部と先端側の辺部間の長さは、側面部２２０の上辺や側面部２３０の上辺の長さの半分（略半分としてもよい）の長さとなっている。
【０１６７】
また、フラップ部２７０は、側面部２２０の上辺から折れ線を介して連設され、略長方形状を呈し、長方形状におけるフラップ部２７０の先端側の２つの角部を面取りした形状を呈し、面取りにより形成された傾斜辺は、フラップ部２７０の先端側の辺部や左右両側の辺部と対して１３５度の角度（略１３５度の角度としてもよい）をなしている。フラップ部２７０は、左右対称の形状を呈している。フラップ部２７０の基端側の辺部と先端側の辺部間の長さは、正面部２１０の上辺や背面部２４０の上辺の長さの半分よりも短く形成され、蓋部２６０の基端から先端までの長さと同一に形成されている。
【０１６８】
また、フラップ部２８０は、フラップ部２７０と同一の構成（つまり、同大同形状）であり、外箱部Ｂの組立て状態において、フラップ部２８０は、フラップ部２７０と左右対称に形成されている。
【０１６９】
また、蓋部２９０は、蓋部２６０と同一の構成（つまり、同大同形状）であり、外箱部Ｂの組立て状態においては、蓋部２９０は、蓋部２６０と前後対称に形成されていて、蓋部２６０と蓋部２９０を閉じた際には、蓋部２９０の先端と蓋部２６０の先端は、互いに接するかあるいは該先端間の隙間がわずかな長さになっている。
【０１７０】
これら蓋部２６０、２９０及びフラップ部２７０、２８０は、外箱部Ｂの上面を開閉するものであり、特に、蓋部２６０、２９０を閉状態とすることにより外箱部Ｂの上面が塞がれる。蓋部２６０、２９０及びフラップ部２７０、２８０は、いわゆるＡ式と言われるものである。なお、蓋部２６０、２９０及びフラップ部２７０、２８０は、予め上方に立設した状態になっていて、外箱部Ｂの上方が開口した状態になっている。
【０１７１】
また、正面部２１０と側面部２２０の境界位置の下側には縦長帯状の切欠部２１０Ｋが形成され、この切欠部２１０Ｋにより、内箱部Ａの角部（正面部１０と側面部２０間の角部）との干渉を弱めることができ、外箱部Ｂを内箱部Ａに対して引き上げる際に、容易に引き上げることができるようになっている。
【０１７２】
外箱部Ｂを箱状に組み立てた状態では、正面部２１０と背面部２４０とが互いに平行になり、側面部２２０と側面部２３０とが互いに平行になる。また、スリーブ状部２０５を構成する各部材（正面部２１０、側面部２２０、２３０、背面部２４０）における隣接する部材は互いに直角となっている。
【０１７３】
次に、内箱部Ａと外箱部Ｂとは、分離部２４、３４の箇所で互いに接着されている。つまり、分離部２４の外側の面と側面部２２０（特に、片部２２４）の内側の面とが接着剤その他の接着手段により接着されるとともに、分離部３４の外側の面と側面部２３０（特に、片部２３４）の内側の面とが接着剤その他の接着手段により接着されることにより、包装箱Ｐが全体に一体に形成される。つまり、分離部２４の外側の面の全部又は一部の領域と側面部２２０の内側の面の間には接着剤層（図示せず）が設けられていて、同様に、分離部３４の外側の面の全部又は一部の領域と側面部２３０の内側の面の間には接着剤層（図示せず）が設けられている。これにより、外箱部Ｂのスリーブ状部２０５は、内箱部Ａにおけるスリーブ状部５の外側の面に沿って設けられ、例えば、正面部１０の外側の面に沿って正面部２１０が設けられ、側面部２０の外側の面に沿って側面部２２０が設けられ、側面部３０の外側の面に沿って側面部２３０が設けられ、背面部４０の外側の面に沿って背面部２４０が設けられている。該接着剤層の接着力は、外箱部Ｂの片部２２４を外側に回動させた際に、同時に分離部２４の周囲の切目線２４ａが破れて、分離部２４が内箱部Ａから分離し、回動させた片部２２４に接着した状態で片部２２４に従動するように設定されていて、同様に、外箱部Ｂの片部２３４を外側に回動させた際に、同時に分離部３４の周囲の切目線３４ａが破れて、分離部３４が内箱部Ａから分離し、回動させた片部２３４に接着した状態で片部２３４に従動するように設定されている。
【０１７４】
また、内箱部Ａと外箱部Ｂとが接着された状態では、内箱部Ａの下端と外箱部Ｂの下端とが同じ高さになるように形成されている。なお、内箱部Ａと外箱部Ｂとは、分離部２４、３４の箇所以外は互いに接着されていない。
【０１７５】
以上のように、内箱部Ａは外箱部Ｂの内側に収納した状態となっていて、内箱部Ａの底面部５０以外は外箱部Ｂに被覆された状態となっている。つまり、外箱部Ｂの下端の高さ方向の位置は、内箱部Ａの下端の高さ方向の位置と略同一であり、蓋部２６０、２９０を封止した状態では内箱部Ａにおいては底面部５０のみが露出している。
【０１７６】
なお、上記構成の包装箱Ｐは、内箱部Ａが上記のように折り畳むことができ、また、外箱部Ｂがスリーブ状部２０５を有し、全体に略スリーブ状を呈しているので、包装箱Ｐの状態においても平板状に折り畳むことができ、正面部２１０を側面部２２０に対して略平行になるようにし、かつ、側面部２３０を背面部２４０に対して略平行になるようにすることにより、図１１に示すように平板状に折り畳むことができる。
【０１７７】
なお、上記内箱部Ａ及び外箱部Ｂにおいて、各折れ線の箇所には、予め罫線が形成されている。各罫線は、内側の面から押圧した押罫により形成されているが、折れ線Ｃ１１、Ｃ１２、Ｃ１３、Ｃ１４、Ｃ１５、Ｃ１６、Ｃ１７、Ｃ１８に沿った罫線は、罫線を挟んで外側の２つの面の角度が小さくなるように折れ曲がるので、外側の面から押圧した押罫により（つまり、逆罫）により形成されている。なお、折れ線Ｃ１２、Ｃ１７においては、罫線を形成するとともに複数の直線状の切込みを折れ線に沿って間隔を介して形成してもよく、また、罫線を形成する代わりに、複数の直線状の切込みを折れ線に沿って間隔を介して形成してもよい。
【０１７８】
上記構成の包装箱Ｐの製造工程について説明する。まず、展開状態の内箱部Ａと外箱部Ｂとを製造する。
【０１７９】
次に、外箱部Ｂの内側の面に内箱部Ａの外側の面を接着させる（第１接着工程）。つまり、展開状態の外箱部Ｂの内側の面を上側にして（なお、図８、図９は、内箱部Ａの外側の面を表しており、図１０は、外箱部Ｂの外側の面を表している）、片部２２４における分離部２４との接着領域と片部２３４における分離部３４との接着領域に接着剤を塗布して、展開状態の内箱部Ａを重ねる。これにより、分離部２４と片部２２４が接着され、分離部３４と片部２３４が接着される。その際、外箱部Ｂのスリーブ状部２０５の下辺と内箱部Ａのスリーブ状部５の下辺とが略一致する（一致するとしてもよい）ようにし、また、外箱部Ｂと内箱部Ａとにおいて、折れ線Ｃ２と折れ線Ｃ２３を一致させる。なお、スリーブ状部５とスリーブ状部２０５において、互いに対応する部材の横方向の長さは、外箱部Ｂの方が長く形成されているので、折れ線Ｃ２４（２本の折れ線間における中間位置（２本の折れ線から等距離の位置））は、折れ線Ｃ３（特に、折れ線Ｃ３−１）に対して外側にずれ、折れ線Ｃ２２（２本の折れ線間における中間位置（２本の折れ線から等距離の位置））は折れ線Ｃ１に対して外側にずれる。なお、外箱部Ｂのスリーブ状部２０５の下辺と内箱部Ａのスリーブ状部５の下辺とを略一致させるので、内箱部Ａは外箱部Ｂの底面側からのみ視認でき、見栄えが悪くなることがない。
【０１８０】
次に、内側正面部１１０と糊代部１６６と内側側面部１２０と内側側面部１３０と糊代部１８６に接着剤を塗布して（第１接着剤塗布工程）、内側正面部１１０を折れ線Ｃ１０ａ、Ｃ１０ｂを介して正面部１０に対して折り返し、内側側面部１２０を折れ線Ｃ１０ｃを介して側面部２０に対して折り返し、内側側面部１３０を折れ線Ｃ１０ｄを介して側面部３０に対して折り返す（第１折返し工程）ことにより、正面部１０と内側正面部１１０とを接着し、糊代部１６６と側面部２０（具体的には、本体部２２）とを接着し、側面部２０（具体的には、本体部２２）と内側側面部１２０とを接着し、側面部３０（具体的には、本体部３２）と内側側面部１３０とを接着し、糊代部１８６と背面部４０とを接着する（第１接着工程）。
【０１８１】
なお、正面部１０の正面部本体１２に接着剤を塗布して、正面部１０と内側正面部１１０とを接着してもよく、側面部２０の本体部２２に接着剤を塗布して、側面部２０と内側側面部１２０とを接着してもよく、側面部３０の本体部３２に接着剤を塗布して、側面部３０と内側側面部１３０とを接着してもよく、側面部２０における糊代部１６６と接着する領域に接着剤を塗布して、糊代部１６６と側面部２０とを接着してもよく、側面部３０における糊代部１８６が接着する領域に接着剤を塗布して、糊代部１８６と側面部３０とを接着してもよい。
【０１８２】
次に、側面部２２０を折れ線Ｃ２４を介して正面部２１０の側に内側に折り返すことにより、側面部２０を折れ線Ｃ３を介して正面部１０側に折り返す（第２折返し工程）。
【０１８３】
そして、糊代部４９の外側の面と糊代部２４２の内側の面に接着剤を塗布し（第２接着剤塗布工程）、背面部２４０を折れ線Ｃ２２を介して側面部２３０の側に内側に折り返すことにより、背面部４０を折れ線Ｃ１を介して側面部３０側に折り返して（第３折返し工程）、背面部４０と糊代部４９とを接着し、糊代部２４２と側面部２２０とを接着する（第２接着工程）。以上のようにして、包装箱Ｐが製造される。
【０１８４】
上記構成の包装箱Ｐの使用状態について説明する。包装箱Ｐを使用しない状況では、包装箱Ｐは平板状に折り畳むことができるので、折り畳んで保管しておく。
【０１８５】
次に、包装箱Ｐを使用する際に、包装箱Ｐを組み立てる。すなわち、外箱部Ｂにおける正面部２１０と背面部２４０とが互いに平行になり、側面部２２０と側面部２３０とが互いに平行になるようにするとともに、内箱部Ａにおける正面部１０と背面部４０とが互いに平行になり、側面部２０と側面部３０とが互いに平行になるようにし、底面部５０を組み立てて底面部５０がスリーブ状部５、２０５に対して直角になるようにすることにより包装箱Ｐが立体状に組み立てられる。
【０１８６】
なお、底面部５０の組立てに際しては、第２片部５４、第３片部５６を閉じた後に第１片部５２、第４片部５８を閉じてスリーブ状部５の底面側を閉じて（つまり、第２片部５４、第３片部５６ををスリーブ状部５に対して内側に折り曲げるとともに、第１片部５２、第４片部５８をスリーブ状部５に対して内側に折り曲げて、第１片部５２、第４片部５８が第２片部５４、第３片部５６の下側になるようにする）、その状態で、側面部２０から第１片部５２及び第４片部５８を経て側面部３０に至るように接着テープＴ１を貼り付けることによりスリーブ状部５の底面側を封止する。第１片部５２と第４片部５８とが接する位置が接着テープＴ１の幅方向の略中央となるようにして、接着テープＴ１が第１片部５２と第４片部５８の両方に接着するようにする。また、外箱部Ｂには、切欠部２２８、２３８が設けられているので、接着テープＴ１を側面部２０、３０に接着するのに支障はない。
【０１８７】
包装箱Ｐが立体状に組み立てられると、上記のように、内箱部Ａにおいて、補強片ユニット１６１（つまり、補強板部１６２と補強板部１６４）と、補強片ユニット１８１（つまり、補強板部１８２と補強板部１８４）と、補強片部１６８と、補強片部１７０が内箱部Ａの角部に対して内側に迫り出した状態となる（図１４参照）。
【０１８８】
そして、図１５に示すように、包装箱Ｐの上方から複数の内箱被収納物（商品）Ｇを内箱部Ａ内に収納する。図１５は、袋状の商品である例を示しているが、他の内箱被収納物であってもよい。なお、蓋部２６０、２９０及びフラップ部２７０、２８０は、予め上方に立設した状態になっていて、外箱部Ｂの上方が開口した状態になっているので、内箱被収納物Ｇはそのまま包装箱Ｐの上方から収納すればよい。その後、フラップ部２７０、２８０を閉じた後に蓋部２６０、２９０を閉じて、図１６に示すように、接着テープＴ２を外箱部Ｂの側面部２０から上面を経て側面部３０側にまで接着させることにより、蓋部２６０、２９０を封止する。
【０１８９】
以上のようにして、内箱被収納物Ｇを包装箱Ｐに包装したら、内箱被収納物Ｇを収納した包装箱Ｐを内箱被収納物Ｇを陳列する場所に搬送する。
【０１９０】
その後、内箱被収納物を陳列する場合には、外箱部Ｂを内箱部Ａから分離する。すなわち、外箱部Ｂの側面部２２０の片部２２６を内側に押し込むことにより片部２２４の先端に指を引っかけることができるようにした後に、片部２２４を外側に回動させる。つまり、折れ線Ｃ２２４が回動軸となって片部２２４が上下方向に回動する。
【０１９１】
同様に、外箱部Ｂの側面部２３０の片部２３６を内側に押し込むことにより片部２３４の先端に指を引っかけることができるようにした後に、片部２３４を外側に回動させて、図１７に示す状態とする。つまり、折れ線Ｃ２３４が回動軸となって片部２３４が上下方向に回動する。なお、片部２２４、２３４が回動する際の回動軸となる折れ線Ｃ２２４、Ｃ２３４の箇所には、罫線を形成しておかなくても片部２２４、２３４を回動させることにより自然と折れ線が形成されるが、予め該折れ線の箇所に罫線を形成しておいてもよい。
【０１９２】
なお、内箱部Ａには、開口部２４ｂ、１２２が設けられているので、片部２２６を押し込む際に支障はなく、開口部３４ｂ、１３２が設けられているので、片部２３６を押し込む際に支障はない。
【０１９３】
すると、外箱部Ｂの片部２２４を外側に回動させた際に、同時に分離部２４の周囲の切目線２４ａが破れて、分離部２４が内箱部Ａ（具体的には、本体部２２）から分離し、回動させた片部２２４に接着した状態で片部２２４に従動する。同様に、外箱部Ｂの片部２３４を外側に回動させた際に、同時に分離部３４の周囲の切目線３４ａが破れて、分離部３４が内箱部Ａ（具体的には、本体部３２）から分離し、回動させた片部２３４に接着した状態で片部２３４に従動する。
【０１９４】
そして、外箱部Ｂを上方に引き上げることにより、図１８に示すように、内箱被収納物、つまり、商品Ｇを収納した状態で、かつ、分離部２４、３４が分離した状態の内箱部Ａが残るので、商品Ｇを収納した状態で内箱部Ａを陳列する。
【０１９５】
なお、商品Ｇを陳列する際には、正面部１０における切取り部１４を取り除いて、正面部１０の正面側を開口させる。切取り部１４を取り除くには、半円状の抜き取り部１６に指を入れて抜き取り部１６を切取り部１４から取り除いて、抜き取り部１６の領域に開口部を形成し、その後、該開口部に指を掛止して上方に切取り部本体１５をひっぱることにより切目線Ｋ１１が破断して、切取り部本体１５が取り除かれる。以上のようにして、切取り部１４が取り除かれる。
【０１９６】
内箱部Ａにおいて、切取り部１４を取り除いた状態は、図１９に示すようになり、図１９において、商品Ｇが収納された状態は、図２０に示すようになる。切取り部１４を取り除くことにより、図２０に示すように、正面部本体１２には、切欠部１２Ｋが設けられ、この切欠部１２Ｋから商品を取り出すことができる。
【０１９７】
また、内箱部Ａにおいては、補強部１６０と補強片部１６８と補強片部１７０と補強部１８０とにより内箱部Ａの角部から迫り出した状態となっているので、内箱部Ａの４つの角部が補強され、内箱部Ａ全体の剛性を高めることができ、特に、上下方向からの圧縮強度を高めることができる。
【０１９８】
また、補強部１６０と補強片部１６８と補強片部１７０と補強部１８０とにより内箱部Ａの角部から迫り出した状態となっているので、図２１に示すように、内箱部Ａに商品（被収納物）を収納した状態で、内箱部Ａの上に内箱部Ａを積み重ねることができる。つまり、上記のように内箱部Ａの角部が補強されていない場合には、内箱部Ａ（商品を収納した内箱部Ａ）の上に商品を収納した内箱部Ａを収納することはできないが、本実施例においては、正面部１０の上辺の高さ位置と側面部２０の上辺の高さ位置と側面部３０の上辺の高さ位置と背面部４０の高さ位置は、同一の高さ（略同一の高さとしてもよい）に形成され（つまり、正面部１０と側面部３０と背面部４０の上辺の高さ位置は、側面部２０の上辺の高さ位置と同一（略同一としてもよい））の高さに形成されている）、補強板部１６２〜１６６の上辺の高さ位置と、補強板部１８２〜１８６の上辺の高さ位置と、補強片部１６８の上辺の高さ位置と、補強片部１７０の上辺の高さ位置は、同一の高さ（略同一の高さとしてもよい）に形成され、側面部２０の上辺の高さと同一の高さ（略同一の高さとしてもよい）に形成されているので、商品を収納した状態で内箱部Ａを安定して積み重ねることができる。なお、仮に、補強板部１６２〜１６６の上辺の高さ位置と、補強板部１８２〜１８６の上辺の高さ位置と、補強片部１６８の上辺の高さ位置と、補強片部１７０の上辺の高さ位置が、側面部２０の上辺の高さよりも低い場合でも、内箱部Ａの４つの角部が補強され、内箱部Ａ全体の剛性を高めることができ、例えば、商品が収納されて蓋部２６０、２９０が閉じられた包装箱Ｐを積み重ねる場合に、包装箱Ｐ全体の剛性を高めることができる。
【０１９９】
なお、下側の内箱部Ａにおいては、内箱部Ａの剛性をなるべく強くするために、図２１に示すように、切取り部１４は取り除かないのが望ましいが、内箱部Ａの角部が補強されているので、切取り部１４を取り除いて、下側の内箱部Ａ内の商品も視認できるようにしてもよい。
【０２００】
以上のように、本実施例の包装箱Ｐによれば、内箱部Ａのスリーブ状部５を筒状に組み立てることにより、補強部１６０と補強片部１６８と補強片部１７０と補強部１８０とが自動的に内箱部Ａのスリーブ状部５の角部から内側に迫り出した状態となるので、内箱部Ａの角部の内側を補強するための部材を別途組み立てる必要がなく、内箱部Ａの角部の内側を補強するための部材を容易に箱体の角部に設けることができる。
【０２０１】
また、包装箱Ｐによれば、図１や図２に示すように、上方が開口した包装箱Ａに対して上方から被収納物である商品を収納して、蓋部２６０、２９０を閉じて１つの接着テープＴ２により封止するのみであるので、容易に被収納物（商品）の梱包作業を行うことができる。
【０２０２】
また、底面部５０は、第１片部５２〜第４片部５８により形成された、いわゆるＡ式箱の底面部であるので、底面部５０がスリーブ状部５の内側に入り込むことがなく、スリーブ状部５の内側に設けられた各部（すなわち、内側正面部１１０と内側側面部１２０と内側側面部１３０と補強部１６０及び補強片部１６８と補強片部１７０と補強部１８０）と接触するのが防止され、底面部５０の組立てに支障がない。つまり、底面部を底ワンタッチにより構成した場合には、折り畳んだ際にスリーブ状部５の内側に底面部が入り込むので、スリーブ状部５の内側に設けられた各部が設けられていて、底面部が該各部と接触してしまうので、底ワンタッチで底面部を構成するのは困難であり、また、底面部をアメリカンロックにより構成した場合にも、組立て時にスリーブ状部５の内側に底面部が入り込むので、底面部の組立てに支障があるおそれがあるが、本実施例の場合には、底面部５０の組立てに支障がない。
【０２０３】
なお、上記の説明においては、補強部１６０と補強片部１６８は、正面部１０から連設された内側側面部１１０から連設され、補強片部１７０は、側面部２０から連設された内側側面部１２０から連設され、補強部１８０は、側面部３０から連設された内側側面部１３０から連設されるとしたが、これには限られず、図２２、図２３に示す内箱部Ａ’のように、補強部１６０は、側面部２０から連設された内側側面部１２０から連設されたものでもよく、補強片部１６８は、側面部３０から連設された内側側面部１３０から連設されたものでもよく、補強片部１７０は、背面部４０から連設された内側背面部１４０から連設されたものでもよく、補強部１８０は、背面部４０から連設された内側背面部１４０から連設されたものでもよい。
【０２０４】
すなわち、図２２、図２３に示す構成においては、以下のように構成されている。
【０２０５】
すなわち、補強部１６０は、内側側面部１２０の正面側の辺部から折れ線Ｃ１１を介して連設され、補強部１６０は、内側側面部１２０の正面側の辺部から折れ線Ｃ１１を介して連設された補強板部１６２と、補強板部１６２の折れ線Ｃ１１側とは反対側の辺部から折れ線Ｃ１２を介して連設された補強板部１６４と、補強板部１６４の折れ線Ｃ１２側とは反対側の辺部から折れ線Ｃ１３を介して連設された糊代部１６６とを有している。折れ線Ｃ１１は、側面部２０の上辺に対して直角をなし、折れ線Ｃ１１と折れ線Ｃ１２と折れ線Ｃ１３とは互いに平行となっている。内箱部Ａ’を展開した状態において、補強板部１６２と補強板部１６４からなる補強片ユニット１６１の横幅（つまり、補強部１６０を展開した状態における折れ線Ｃ１１と折れ線Ｃ１３間の長さ）Ｌ１６０は、内側側面部１２０の正面側の端部と折れ線Ｃ３間の長さ（水平方向の長さ）Ｌ２１（第１長さ）よりも長く形成されている。また、補強板部１６２の横幅Ｌ１６２は、内側側面部１２０の正面側の端部と折れ線Ｃ３間の長さ（水平方向の長さ）Ｌ２１よりも短く形成されている。横幅Ｌ１６２と横幅Ｌ１６４は略同一（同一としてもよい）に形成されている。また、内箱部Ａ’の展開状態において、折れ線Ｃ３は、補強板部１６４の上辺の中間位置（折れ線Ｃ１２と折れ線Ｃ１３から等距離の位置）となる。つまり、間隔Ｌ２１は、横幅Ｌ１６２の略１．５倍の長さとなっている。
【０２０６】
ここで、図２２、図２３において、折れ線Ｃ３において、開口部Ｋ１０よりも上側の部分は１本の折れ線により形成されている。糊代部１６６は、正面部１０（具体的には、正面部本体１２）の内側の面に接着され、糊代部１６６は、正面部１０と側面部２０からなる領域が展開されるとともに、内側側面部１２０と補強部１６０からなる領域が展開した状態で正面部１０に接着されている。また、正面部１０と側面部２０とを折れ線Ｃ３を介して折り返した状態では、補強部１６０は、折れ線Ｃ１２を介して折り返した状態となり、糊代部１６６は、正面部１０と側面部２０とを折れ線Ｃ３を介して折り返すとともに、補強部１６０を折れ線Ｃ１２を介して折り返した状態で正面部１０に接着されているといえる。
【０２０７】
また、補強片部１６８は、内側側面部１３０の正面側の辺部から折れ線Ｃ１４を介して連設されている。折れ線Ｃ１４は、側面部３０の上辺に対して直角をなしている。補強片部１６８の横幅の長さ（つまり、折れ線Ｃ１４と補強片部１６８の先端側の辺部間の長さ）Ｌ１６８は、間隔Ｌ３１（内側側面部１３０の正面側の端部と側面部３０の正面側の端部（つまり、折れ線Ｃ２）間の長さ（水平方向の長さ））よりも長く形成されている。この間隔Ｌ３１は、「第４側辺と第２側面部と第３側面部間の境界線との間の水平方向の長さ」に当たる。
【０２０８】
また、補強片部１７０は、内側背面部（内側側面部）１４０の右側面側の辺部から折れ線Ｃ１５を介して連設されている。内側背面部１４０は、背面部４０の上辺から折れ線Ｃ１０ｅを介して連設され、折れ線Ｃ１５は、背面部４０の上辺に対して直角をなしている。補強片部１７０の横幅の長さ（つまり、折れ線Ｃ１５と補強片部１７０の先端側の辺部間の長さ）Ｌ１７０は、間隔Ｌ４０（内側背面部１４０の右側面側の端部と背面部４０の右側面側の端部間の長さ（水平方向の長さ））よりも長く形成されている。この間隔Ｌ４０は、「第３側辺と第１側面部と第４側面部間の境界線との間の水平方向の長さ」に当たる。
【０２０９】
また、補強部１８０は、内側背面部１４０の左側面側の辺部から折れ線Ｃ１６を介して連設され、補強部１８０は、内側背面部１４０の左側面側の辺部から折れ線Ｃ１６を介して連設された補強板部１８２と、補強板部１８２の折れ線Ｃ１６側とは反対側の辺部から折れ線Ｃ１７を介して連設された補強板部１８４と、補強板部１８４の折れ線Ｃ１７側とは反対側の辺部から折れ線Ｃ１８を介して連設された糊代部１８６とを有している。折れ線Ｃ１６は、背面部４０の上辺に対して直角をなし、折れ線Ｃ１６と折れ線Ｃ１７と折れ線Ｃ１８とは互いに平行となっている。内箱部Ａ’を展開した状態において、補強板部１８２と補強板部１８４からなる補強片ユニット１８１の横幅（つまり、補強部１８０を展開した状態における折れ線Ｃ１６と折れ線Ｃ１８間の長さ）Ｌ１８０は、内側背面部１４０の左側面側の端部と折れ線Ｃ１間の長さ（水平方向の長さ）Ｌ４１（第２長さ）よりも長く形成されている。また、補強板部１８２の横幅Ｌ１８２は、内側背面部１４０の左側面側の端部と折れ線Ｃ１間の長さ（水平方向の長さ）よりも短く形成されている。横幅Ｌ１８２と横幅Ｌ１８４は略同一（同一としてもよい）に形成されている。また、内箱部Ａ’の展開状態において、折れ線Ｃ１は、補強板部１８４の上辺の中間位置（折れ線Ｃ１７と折れ線Ｃ１８から等距離の位置）となる。つまり、間隔Ｌ４１は、横幅Ｌ１８２の略１．５倍の長さとなっている。糊代部１８６は、側面部３０（具体的には、本体部３２）の内側の面に接着され、糊代部１８６は、背面部４０と側面部３０からなる領域が展開されるとともに、内側背面部１４０と補強部１８０からなる領域が展開した状態で側面部３０に接着されている。また、背面部４０と側面部３０とを折れ線Ｃ１を介して折り返した状態では、補強部１８０は、折れ線Ｃ１７を介して折り返した状態となり、糊代部１８６は、背面部４０と側面部３０とを折れ線Ｃ１を介して折り返すとともに、補強部１８０を折れ線Ｃ１７を介して折り返した状態で側面部３０に接着されているといえる。
【０２１０】
なお、補強部１８０が連設された第２内側側面部としての内側背面部１４０は背面部４０から連設されているので、内側背面部１４０は、「第２内側側面部が第４側面部から連設された場合の第２内側側面部」であるとともに、「第１特定側面部」となる。
【０２１１】
また、補強部１８０が連設された第２内側側面部としての内側背面部１４０は背面部４０から連設されているので、内側側面部１３０は、「第２内側側面部が第４側面部から連設された場合に第３側面部から連設された他の１つの内側側面部である第５内側側面部」であるとともに、「第２特定側面部」となる。
【０２１２】
内箱部Ａ’において、内箱部Ａ’を平板状に折り畳んだ状態では、補強部１６０は、補強板部１６２と補強板部１６４間の折れ線Ｃ１２を介して折り返した状態となり、補強板部１６２は、側面部２０の内側の面に沿った状態で側面部２０に接しており、補強板部１６４は、正面部１０の内側の面に沿った状態で正面部１０に接している。また、折れ線Ｃ１２と折れ線Ｃ３の間には、間隔が設けられている。
【０２１３】
また、補強片部１６８は、正面部１０及び側面部３０と背面部４０の間に挟まれた状態となっていて、補強片部１６８は、折れ線Ｃ２（正面部１０と側面部３０の境界）よりも正面部１０側に突出した状態となっている。
【０２１４】
補強部１８０は、補強板部１８２と補強板部１８４間の折れ線Ｃ１７を介して折り返した状態となり、補強板部１８２は、背面部４０の内側の面に沿った状態で背面部４０に接しており、補強板部１８４は、側面部３０の内側の面に沿った状態で側面部３０に接している。また、折れ線Ｃ１７と折れ線Ｃ１の間には、間隔が設けられている。
【０２１５】
また、補強片部１７０は、側面部２０及び糊代部４９と正面部１０及び内側正面部１１０の間に挟まれた状態となっていて、補強片部１７０は、折れ線Ｃ４（側面部２０と背面部４０の境界）よりも側面部２０側に突出した状態となっている。
【０２１６】
そして、スリーブ状部５を筒状に広げることにより、補強部１６８における補強板部１６２と補強板部１６４間の角度が、内箱部Ａ’を折り畳んだ状態に比べて大きくなって、補強板部１６２と補強板部１６４が側面部２０と正面部１０間の角部に対して内側に迫り出した状態となり、補強部１８０における補強板部１８２と補強板部１８４間の角度が、内箱部Ａ’を折り畳んだ状態に比べて大きくなって、補強板部１８２と補強板部１８４が側面部３０と背面部４０間の角部に対して内側に迫り出した状態となり、補強片部１７０が、内側側面部１４０に対して傾斜することにより、長さＬ１７０が間隔Ｌ４０よりも長いので、補強片部１７０の先端が、側面部２０（第４側面部（背面部４０）と第１側面部（側面部２０）のうち第１特定側面部が連設されていない側面部）に接触しながら背面部４０と側面部２０の角部から遠ざかるように移動して、背面部４０と側面部２０間の角部に対して内側に迫り出した状態となり、補強片部１６８が、側面部１３０に対して傾斜することにより、長さＬ１６８が間隔Ｌ３１よりも長いので、補強片部１６８の先端が、正面部１０（第２側面部（正面部１０）と第３側面部（側面部３０）のうち第２特定側面部が連設されていない側面部）に接触しながら正面部１０と側面部３０の角部から遠ざかるように移動して、正面部１０と側面部３０間の角部に対して内側に迫り出した状態となる。
【０２１７】
また、スリーブ状部５を筒状に広げた状態から折り畳んだ状態にすると、内箱部Ａの場合と同様に、上記の動作と逆に動作し、補強部１６０は、補強板部１６２と補強板部１６４間の折れ線Ｃ１２を介して折り返した状態となり、補強片部１６８は、正面部１０及び側面部３０と背面部４０の間に挟まれた状態となり、補強部１８０は、補強板部１８２と補強板部１８４間の折れ線Ｃ１７を介して折り返した状態となり、補強片部１７０は、側面部２０及び糊代部４９と正面部１０及び内側正面部１１０の間に挟まれた状態となる。
【０２１８】
なお、図２２のに示す内箱部Ａ’においては、糊代部４９は側面部（第１内箱部側面部）２０から連設されているとしたが、糊代部４９が背面部４０から連設された構成としてもよい。つまり、側面部２０、正面部１０、側面部３０、背面部４０、糊代部４９の順に連設されることになる。その場合には、糊代部４９は、背面部４０の側面部３０側とは反対側の端部から連設され、側面部２０の正面部１０側とは反対側の端部領域に接着されることになる。
【０２１９】
なお、補強部１６０を内側正面部１１０から連設するか内側側面部２０から連設するかの選択と、補強片部１６８を内側正面部１１０から連設するか内側側面部１３０から連設するかの選択と、補強片部１７０を内側側面部１２０から連設するか内側背面部１４０から連設するかの選択と、補強部１８０を内側側面部１３０から連設するか内側背面部１４０から連設するかの選択は、任意に組み合わせてもよく、各選択の組み合わせとしては、図２４〜図２７に示すものが考えられる。
【０２２０】
すなわち、図２４（ａ）に示す内箱部Ａ１においては、正面部１０から内側正面部１１０が連設され、背面部４０から内側背面部１４０が連設され、補強部１６０と補強片部１６８は、内側正面部１１０から連設され、補強部１８０と補強片部１７０は、内側背面部１４０から連設されている。
【０２２１】
なお、内箱部Ａ１においては、補強部１８０が連設された第２内側側面部としての内側背面部１４０は背面部４０から連設されているので、内側背面部１４０は、「第２内側側面部が第４側面部から連設された場合の第２内側側面部」であるとともに、「第１特定側面部」となる。また、補強部１６０が連設された第１内側側面部としての内側正面部１１０は正面部１０から連設されているので、内側正面部１１０は、「第１内側側面部が第２側面部から連設された場合の第１内側側面部」であるとともに、「第２特定側面部」となる。
【０２２２】
また、内箱部Ａ１においては、スリーブ状部５を筒状に広げていくことにより、補強片部１７０の先端が、側面部２０の内側の面に接することによって、補強片部１７０が内側背面部１４０に対して傾斜していき、補強片部１６８の先端が、側面部３０の内側の面に接することによって、補強片部１６８が内側正面部１１０に対して傾斜していく。
【０２２３】
また、図２４（ｂ）に示す内箱部Ａ２においては、側面部２０から内側側面部１２０が連設され、側面部３０から内側側面部１３０が連設され、補強部１６０と補強片部１７０が内側側面部１２０から連設され、補強部１８０と補強片部１６８が内側側面部１３０から連設されている。
【０２２４】
なお、内箱部Ａ２においては、補強部１６０が連設された第１内側側面部としての内側側面部１２０は側面部２０から連設されているので、内側側面部１２０は、「第１内側側面部が第１側面部から連設された場合の第１内側側面部」であるとともに、「第１特定側面部」となる。また、補強部１８０が連設された第２内側側面部としての内側側面部１３０は側面部３０から連設されているので、内側側面部１３０は、「第２内側側面部が第３側面部から連設された場合の第２内側側面部」であるとともに「第２特定側面部」となる。
【０２２５】
また、内箱部Ａ２においては、スリーブ状部５を筒状に広げていくことにより、補強片部１７０の先端が、背面部４０の内側の面、又は、背面部４０に接着された糊代部４９の内側の面に接することによって（実際には、糊代部４９に接した後に、背面部４０に接する）、補強片部１６８が内側側面部１２０に対して傾斜していき、補強片部１６８の先端が、正面部１１０の内側の面に接することによって、補強片部１６８が内側側面部１３０に対して傾斜していく。
【０２２６】
また、図２５（ｃ）に示す内箱部Ａ３においては、正面部１０から内側正面部１１０が連設され、側面部３０から内側側面部１３０が連設され、背面部４０から内側背面部１４０が連設され、補強部１６０は、内側正面部１１０から連設され、補強片部１６８は、内側正面部１１０又は内側側面部１３０から連設され、補強部１８０は、内側側面部１３０又は内側背面部１４０から連設され、補強片部１７０は、内側背面部１４０から連設されている。
【０２２７】
なお、内箱部Ａ３においては、補強部１８０が連設された第２内側側面部としての内側背面部１４０は背面部４０から連設されているので、内側背面部１４０は、「第２内側側面部が第４側面部から連設された場合の第２内側側面部」であるとともに、「第１特定側面部」となる。また、補強片部１６８が内側正面部１１０から連設された場合には、補強部１６０が連設された第１内側側面部としての内側正面部１１０は正面部１０から連設されているので、内側正面部１１０は、「第１内側側面部が第２側面部から連設された場合の第１内側側面部」であるとともに、「第２特定側面部」となり、また、補強片部１６８が内側側面部１３０から連設された場合には、補強部１８０が連設された第２内側側面部としての内側側面部１３０は側面部３０から連設されているので、内側側面部１３０は、「第２内側側面部が第３側面部から連設された場合の第２内側側面部」であるとともに「第２特定側面部」となる。
【０２２８】
また、内箱部Ａ３においては、スリーブ状部５を筒状に広げていくことにより、補強片部１７０の先端が、側面部２０の内側の面に接することによって、補強片部１７０が内側背面部１４０に対して傾斜していき、また、補強片部１６８の先端が、正面部１０と側面部３０のうち内側正面部１１０と内側側面部１３０の他方（内側正面部１１０と内側側面部１３０のうち補強片部１６８が連設された方が内側正面部１１０と内側側面部１３０の一方となる）が連設された側面部の内側の面に接することによって、補強片部１６８が内側正面部１１０と内側側面部１３０の該一方に対して傾斜していく。
【０２２９】
また、図２５（ｄ）に示す内箱部Ａ４においては、正面部１０から内側正面部１１０が連設され、側面部２０から内側側面部１２０が連設され、側面部３０から内側側面部１３０が連設され、補強部１６０は、内側正面部１１０又は内側側面部１２０から連設され、補強片部１７０は、内側側面部１２０から連設され、補強部１８０は、内側側面部１３０から連設され、補強片部１６８は、内側正面部１１０又は内側側面部１３０から連設されている。
【０２３０】
なお、内箱部Ａ４においては、補強部１６０が内側側面部１２０から連設された場合には、補強部１６０が連設された第１内側側面部としての内側側面部１２０は側面部２０から連設されているので、内側側面部１２０は、「第１内側側面部が第１側面部から連設された場合の第１内側側面部」であるとともに、「第１特定側面部」となり、また、補強部１６０が内側正面部１１０から連設された場合には、「第１内側側面部が第２側面部から連設された場合に第１側面部から連設された他の１つの内側側面部である第３内側側面部」であるとともに、「第１特定側面部」となる。
【０２３１】
また、補強片部１６８が内側正面部１１０から連設された場合で、補強部１６０が第１内側側面部としての内側正面部１１０から連設された場合には、内側正面部１１０は、「第１内側側面部が第２側面部から連設された場合の第１内側側面部」であるとともに、「第２特定側面部」となり、補強片部１６８が内側正面部１１０から連設された場合で、補強部１６０が第１内側側面部としての内側側面部１２０から連設された場合には、内側正面部１１０は、「第１内側側面部が第１側面部から連設された場合に第２側面部から連設された他の１つの内側側面部である第４内側側面部」であるとともに、「第２特定側面部」となり、また、補強片部１６８が内側側面部１３０から連設された場合には、補強部１８０が連設された第２内側側面部としての内側側面部１３０は側面部３０から連設されているので、内側側面部１３０は、「第２内側側面部が第３側面部から連設された場合の第２内側側面部」であるとともに「第２特定側面部」となる。
【０２３２】
また、内箱部Ａ４においては、スリーブ状部５を筒状に広げていくことにより、補強片部１７０の先端が、背面部４０の内側の面、又は、背面部４０に接着された糊代部４９の内側の面に接することによって（実際には、糊代部４９に接した後に、背面部４０に接する）、補強片部１７０が内側側面部１２０に対して傾斜していき、補強片部１６８の先端が、正面部１０と側面部３０のうち内側正面部１１０と内側側面部１３０の他方（内側正面部１１０と内側側面部１３０のうち補強片部１６８が連設された方が内側正面部１１０と内側側面部１３０の一方となる）が連設された側面部の内側の面に接することによって、補強片部１６８が内側正面部１１０と内側側面部１３０の該一方に対して傾斜していく。
【０２３３】
また、図２６（ｅ）に示す内箱部Ａ５においては、正面部１０から内側正面部１１０が連設され、側面部２０から内側側面部１２０が連設され、背面部４０から内側背面部１４０が連設され、補強部１６０は、内側正面部１１０又は内側側面部１２０から連設され、補強片部１７０は、内側側面部１２０又は内側背面部１４０から連設され、補強部１８０は、内側背面部１４０から連設され、補強片部１６８は、内側正面部１１０から連設されている。
【０２３４】
なお、内箱部Ａ５において、補強片部１７０が内側側面部１２０から連設されるとともに、補強部１６０が内側側面部１２０から連設された場合には、補強部１６０が連設された第１内側側面部としての内側側面部１２０は側面部２０から連設されているので、内側側面部１２０は、「第１内側側面部が第１側面部から連設された場合の第１内側側面部」であるとともに、「第１特定側面部」となり、また、補強部１８０が連設された第２内側側面部としての内側背面部１４０は背面部４０から連設されているので、内側背面部１４０は、「第２内側側面部が第４側面部から連設された場合の第２内側側面部」であるとともに、「第１特定側面部」となる。また、補強部１６０が内側正面部１１０から連設された場合には、第１内側側面部としての内側正面部１１０からは正面部１０から連設されているので、内側正面部１１０は、「第１内側側面部が第２側面部から連設された場合の第１内側側面部」であるとともに、「第２特定側面部」となり、また、補強部１６０が内側側面部１２０から連設された場合には、第１内側側面部としての内側側面部１２０からは側面部２０から連設されているので、内側正面部１１０は、「第１内側側面部が第１側面部から連設された場合に第２側面部から連設された他の１つの内側側面部である第４内側側面部」であるとともに、「第２特定側面部」となる。
【０２３５】
また、内箱部Ａ５においては、スリーブ状部５を筒状に広げていくことにより、補強片部１７０の先端が、補強片部１７０が内側側面部１２０から連設された場合には、背面部４０の内側の面、又は、背面部４０に接着された糊代部４９の内側の面に接することによって（実際には、糊代部４９に接した後に、背面部４０に接する）、補強片部１７０が内側側面部１２０に対して傾斜していき、補強片部１７０が内側背面部１４０から連設された場合には、側面部２０の内側の面に接することによって、補強片部１７０が内側背面部１４０に対して傾斜していき、また、補強片部１６８の先端が、側面部３０の内側の面に接することによって、補強片部１６８が内側正面部１１０に対して傾斜していく。
【０２３６】
また、図２５（ｆ）に示す内箱部Ａ６においては、側面部２０から内側側面部１２０が連設され、側面部３０から内側側面部１３０が連設され、背面部４０から内側背面部１４０が連設され、補強部１６０は、内側側面部１２０から連設され、補強片部１６８は、内側側面部１３０から連設され、補強部１８０は、内側側面部１３０又は内側背面部１４０から連設され、補強片部１７０は、内側側面部１２０又は内側背面部１４０から連設されている。
【０２３７】
なお、内箱部Ａ６において、補強片部１７０が内側側面部１２０から連設され場合には、補強部１６０が連設された第１内側側面部としての内側側面部１２０は側面部２０から連設されているので、内側側面部１２０は、「第１内側側面部が第１側面部から連設された場合の第１内側側面部」であるとともに、「第１特定側面部」となり、また、補強片部１７０が内側背面部１４０から連設され場合には、補強部１８０が連設された第２内側側面部としての内側背面部１４０は背面部４０から連設されているので、内側背面部１４０は、「第２内側側面部が第４側面部から連設された場合の第２内側側面部」であるとともに、「第１特定側面部」となる。
【０２３８】
また、補強部１８０が内側側面部１３０から連設された場合には、補強部１８０が連設された第２内側側面部としての内側側面部１３０は側面部３０から連設されているので、内側側面部１３０は、「第２内側側面部が第３側面部から連設された場合の第２内側側面部」であるとともに「第２特定側面部」となり、また、補強部１８０が内側背面部１４０から連設された場合には、補強部１８０が連設された第２内側側面部としての内側背面部１４０は背面部４０から連設されているので、内側側面部１３０は、「第２内側側面部が第４側面部から連設された場合に第３側面部から連設された他の１つの内側側面部である第５内側側面部」であるとともに、「第２特定側面部」となる。
【０２３９】
また、内箱部Ａ６においては、スリーブ状部５を筒状に広げていくことにより、補強片部１７０の先端が、補強片部１７０が内側側面部１２０から連設された場合には、背面部４０の内側の面、又は、背面部４０に接着された糊代部４９の内側の面に接することによって（実際には、糊代部４９に接した後に、背面部４０に接する）、補強片部１７０が内側側面部１２０に対して傾斜していき、補強片部１７０が内側背面部１４０から連設された場合には、側面部２０の内側の面に接することによって、補強片部１７０が内側背面部１４０に対して傾斜していき、また、補強片部１６８の先端が、正面部１０の内側の面に接することによって、補強片部１６８が内側側面部１３０に対して傾斜していく。
【０２４０】
また、図２５（ｇ）に示す内箱部Ａ７においては、正面部１０から内側正面部１１０が連設され、側面部２０から内側側面部１２０が連設され、側面部３０から内側側面部１３０が連設され、背面部４０から内側背面部１４０が連設され、補強部１６０は、内側正面部１１０又は内側側面部１２０から連設され、補強片部１６８は、内側正面部１１０又は内側側面部１３０から連設され、補強部１８０は、内側側面部１３０又は内側背面部１４０から連設され、補強片部１７０は、内側側面部１２０又は内側背面部１４０から連設されている。
【０２４１】
なお、内箱部Ａ７においては、スリーブ状部５を筒状に広げていくことにより、補強片部１７０が内側側面部１２０から連設された場合には、背面部４０の内側の面、又は、背面部４０に接着された糊代部４９の内側の面に接することによって（実際には、糊代部４９に接した後に、背面部４０に接する）、補強片部１７０が内側側面部１２０に対して傾斜していき、補強片部１７０が内側背面部１４０から連設された場合には、側面部２０の内側の面に接することによって、補強片部１７０が内側背面部１４０に対して傾斜していき、また、正面部１０と側面部３０のうち内側正面部１１０と内側側面部１３０の他方（内側正面部１１０と内側側面部１３０のうち補強片部１６８が連設された方が内側正面部１１０と内側側面部１３０の一方となる）が連設された側面部の内側の面に接することによって、補強片部１６８が内側正面部１１０と内側側面部１３０の該一方に対して傾斜していく。
【０２４２】
なお、図８、図９に示す内箱部Ａは、図２５（ｄ）の内箱部Ａ４においては、補強部１６０と補強片部１６８が内側正面部１１０から連設された例であるといえ、また、図２２、図２３に示す内箱部Ａ’は、図２７の内箱部Ａ７において、補強部１６０が内側側面部１２０から連設され、補強片部１６８が内側側面部１３０から連設され、補強部１８０が内側背面部１４０から連設され、補強片部１７０が内側背面部１４０から連設された例であるといえる。
【０２４３】
なお、上記選択の組み合わせの中でも、図８、図９に示す内箱部Ａにおいては、内側正面部１１０と内側側面部１２０、１３０が設けられているので、箱としての剛性を高めることができる。すなわち、正面部１０には切目線が設けられ、側面部２０、３０には切目線と開口部が設けられているのに対して、背面部４０には切目線や開口部が設けられていないので、正面部１０と側面部２０、３０は背面部４０と比べると剛性が弱くなるおそれがあるといえるので、内側正面部１１０と内側側面部１２０、１３０を設けて正面部１０と側面部２０、３０を二重に構成することにより、包装箱Ｐにおける正面側と右側面側のと左側面側の剛性を高めることができ、結果として、箱としての剛性を高めることができる。
【０２４４】
また、内箱部Ａにおいては、補強部１６０と補強片部１６８は、内側正面部１１０から連設されているので、特に、包装箱Ｐの正面側（つまり、正面部１０と内側正面部１１０）の剛性を維持することができ、正面部１０において切目線Ｋ１１が設けられ、内側正面部１１０において、切欠部１１２が設けられていても、包装箱Ｐの剛性を維持することができる。
【０２４５】
なお、横幅Ｌ１６２と横幅Ｌ１６４は略同一であり、横幅Ｌ１８２と横幅Ｌ１８４は略同一であるとしたが、略同一でなくても、横幅Ｌ１６０が第１長さよりも長く、横幅Ｌ１６２が第１長さよりも短い構成であれば、補強片ユニット１６１が迫り出すようにでき、また、横幅Ｌ１８０が第２長さよりも長く、横幅Ｌ１８２が第２長さよりも短い構成であれば、補強片ユニット１８１が迫り出すようにできる。ただし、横幅Ｌ１６２と横幅Ｌ１６４が略同一であれば、角度α３３と角度α３４を大きくできるので、補強片ユニット１６１を大きく内側に迫り出すことができ（例えば、折れ線Ｃ３と折れ線Ｃ１２間の長さを大きくできる）、横幅Ｌ１８２と横幅Ｌ１８４が同一であれば、角度α４３と角度α４４を大きくできるので、補強片ユニット１８１を大きく内側に迫り出すことができ（例えば、折れ線Ｃ１と折れ線Ｃ１７間の長さを大きくできる）、大きく内側に迫り出すことにより角部の補強の効果は大きいが、一方、横幅Ｌ１６２と横幅Ｌ１６４が大きく異なる場合には、横幅Ｌ１６０の長さが同じであっても、角度α３３と角度α３４を大きくできないので、補強片ユニット１６１を大きく迫り出すことができず、また、横幅Ｌ１８２と横幅Ｌ１８４が大きく異なる場合には、横幅Ｌ１８０の長さが同じであっても、角度α４３と角度α４４を大きくできないので、補強片ユニット１８１を大きく迫り出すことができない。
【０２４６】
なお、外箱部Ｂにおいて、切目線２２２ａ、２２２ｃ、２３２ａ、２３２ｃは切断予定線であるとしたが、連続した切込みにより形成された切目線でもよい。
【０２４７】
また、上記の説明において、包装箱Ｐを上記のように製造するとして説明したが、外箱部Ｂと内箱部Ａの展開状態を左右対称として製造してもよい。図８〜図１０が内側の面を表すものとしてもよい。その場合に製造された包装箱は、図１〜図７の構成に際して左右対称に形成されることになる。
【０２４８】
また、内箱部Ａの底面部５０において、第１片部５２の先端と第４片部５８の先端とが接触して第１片部５２と第４片部５８によりスリーブ状部５の底面側を閉じるとしたが、第２片部５４と第３片部５６の長さを長くして、第２片部５４の先端と第３片部５６の先端とが接触して、第２片部５４と第３片部５６とによりスリーブ状部５の底面側を閉じるようにしてもよい。この場合には、第１片部５２と第４片部５８の基端から先端までの長さは、第２片部５４、第３片部５６の基端から先端までの長さよりも短いことになる。
【０２４９】
また、外箱部Ｂにおいて、蓋部２６０と蓋部２９０の先端とが接触して蓋部２６０と蓋部２９０によりスリーブ状部２０５の上面側を閉じるとしたが、フラップ部２７０、２８０の長さを長くして、長さを長くしたフレーム部２７０、２８０を蓋部として、２つの蓋部の先端とが接触してスリーブ状部２０５の上面側を閉じるようにしてもよい。この場合には、正面部２１０の上辺からはフラップ部が連設され、背面部２４０の上辺からはフラップ部が連設され、これらのフラップ部の基端から先端までの長さは、蓋部の基端から先端までの長さよりも短いことになる。
【０２５０】
また、外箱部Ｂにおいては、スリーブ状部２０５の上辺から連設された蓋部２６０、２９０、フラップ部２７０、２８０は、Ａ式であるとしたが、他の形式、例えば、Ｂ式（一対の内フラップと蓋部とを有し、蓋部が、スリーブ状部２０５から連設された蓋部本体と、蓋部本体の先端から連設され、スリーブ状部２０５の内側に差し込まれる差込み片部とを有するもの）としてもよい。
【０２５１】
また、上記の説明において、分離部２４、３４は側面部２０、３０に設けられるとしたが、相対する側面部に設けられていればよく、例えば、正面部（第２内箱部側面部）１０と背面部（第４内箱部側面部）４０に設けてもよい。
【０２５２】
また、上記の説明において、内箱部Ａにおいて、分離部２４、３４が設けられるのは、スリーブ状部５において相対する側面部（例えば、側面部２０と側面部３０、正面部１０と背面部４０）であるとしたが、これには限られず、スリーブ状部５を構成する４つの部材（正面部１０と側面部２０、３０と背面部４０）（４つの側面部としてもよい）において、互いに隣接する部材に分離部を設けてもよい。例えば、正面部１０の構成を図８におけるスリーブ状部５を構成する４つの部材（糊代部４９を除く４つの部材）のうちの端部に位置する部材（例えば、背面部４０）の位置に配置し、分離部を内側の２つの部材（図８における正面部１０と側面部３０の位置の部材）に配置してもよい。
【０２５３】
同様に、外箱部Ｂにおいて、片部２２４、２３４が設けられるのは、スリーブ状部２０５において相対する側面部（側面部２２０と側面部２３０）であるとしたが、これには限られず、スリーブ状部２０５を構成する４つの部材（正面部２１０と側面部２２０、２３０と背面部２４０）（４つの側面部としてもよい）において、互いに隣接する部材に分離部と接着する片部を設けてもよい。
【０２５４】
また、上記の説明において、包装箱Ｐは、内箱部Ａと外箱部Ｂとを有する構成であるとしたが、外箱部Ｂの構成を省略して、内箱部Ａのみの箱体としてもよい。その場合には、外箱部Ｂと接着されないので、分離部２４、３４や開口部２４ｂ、３４ｂの構成は省略されることになる。当該箱体においても、商品（被収納物）を収納した状態で箱体を積み重ねることができる。
【符号の説明】
【０２５５】
Ｐ  包装箱
Ａ  内箱部
Ｂ  外箱部
５、２０５  スリーブ状部
１０、２１０  正面部
１２  正面部本体
１４  切取り部
２０、３０、２２０、２３０  側面部
２２、３２  本体部
２４、３４  分離部
２４ｂ、１２２、３４ｂ、１３２  開口部
Ｋ１１、Ｋ１２、２４ａ、３４ａ、２２２、２３２  切目線
４０、２４０  背面部
４９、１６６、１８６、２４２  糊代部
５０  底面部
５２  第１片部
５４  第２片部
５６  第３片部
５８  第４片部
１１０  内側正面部
１２０、１３０  内側側面部
１６０、１８０  補強部
１６２、１６４、１６８、１７０、１８２、１８４  補強片
Ｃ１、Ｃ２、Ｃ３、Ｃ４、Ｃ１０ａ、Ｃ１０ｂ、Ｃ１０ｃ、Ｃ１０ｄ、Ｃ１１、Ｃ１２、Ｃ１３、Ｃ１４、Ｃ１５、Ｃ１６、Ｃ１７、Ｃ１８、Ｃ２１、Ｃ２２、Ｃ２３、Ｃ２４  折れ線
【図１】
2018052542.tif 000003
【図２】
2018052542.tif 000004
【図３】
2018052542.tif 000005
【図４】
2018052542.tif 000006
【図５】
2018052542.tif 000007
【図６】
2018052542.tif 000008
【図７】
2018052542.tif 000009
【図８】
2018052542.tif 000010
【図９】
2018052542.tif 000011
【図１０】
2018052542.tif 000012
【図１１】
2018052542.tif 000013
【図１２】
2018052542.tif 000014
【図１３】
2018052542.tif 000015
【図１４】
2018052542.tif 000016
【図１５】
2018052542.tif 000017
【図１６】
2018052542.tif 000018
【図１７】
2018052542.tif 000019
【図１８】
2018052542.tif 000020
【図１９】
2018052542.tif 000021
【図２０】
2018052542.tif 000022
【図２１】
2018052542.tif 000023
【図２２】
2018052542.tif 000024
【図２３】
2018052542.tif 000025
【図２４】
2018052542.tif 000026
【図２５】
2018052542.tif 000027
【図２６】
2018052542.tif 000028
【図２７】
2018052542.tif 000029